(57)【要約】  本発明は、ヤーン、繊維、織物、ニット製品、不織布、網製品の材料、ホイル、防水シート及び被覆組成物からなる群から選択されるテキスタイル材料又はプラスチック材料に施すための殺虫剤組成物であって、少なくとも１種の殺虫剤及び／又は少なくとも１種の防虫剤と、少なくとも１種のバインダーと、を含む組成物を含む殺虫剤組成物；少なくとも１種の殺虫剤及び／又は少なくとも１種の防虫剤と、少なくとも１種のバインダーと、を含む含浸テキスタイル材料又はプラスチック材料；テキスタイル材料又はプラスチック材料の含浸方法；及びテキスタイル材料又はプラスチック材料の被覆方法に関する【特許請求の範囲】
【請求項１】
テキスタイル材料又はプラスチック材料に施すための殺虫剤組成物であって、
前記組成物は、
ａ）成分Ａとしての少なくとも１種の殺虫剤及び／又は少なくとも１種の防虫剤と、
ｂ１）以下の各成分ｂ１ａ）〜ｂ１ｅ）：
ｂ１ａ）成分Ｂ１Ａとしてのｎ−ブチルアクリレート、
ｂ１ｂ）式Ｉ：
【化１】
2007524773.tif 000017
［但し、Ｒ1、Ｒ2及びＲ3が独立して、直鎖であっても又は分岐していても良いＣ1〜Ｃ10アルキル、置換されていても良いアリールから選択され、Ｒ1及びＲ2が更にＨであっても良く、そしてＲ1及びＲ2がＨであってＲ3がｎ−ブチルである場合を除く。］
で表される成分Ｂ１Ｂとしての少なくとも１種のモノマー、
ｂ１ｃ）式ＩＩ：
【化２】
2007524773.tif 000018
［但し、Ｒ4、Ｒ5、Ｒ6及びＲ7が独立して、Ｈ、直鎖であっても又は分岐していても良いＣ1〜Ｃ10アルキル、置換されていても良いアリールから選択される。］
で表される成分Ｂ１Ｃとしての少なくとも１種のモノマー、
ｂ１ｄ）必要により、式ＩＩＩ：
【化３】
2007524773.tif 000019
［但し、Ｒ8及びＲ9が独立して、Ｈ、直鎖であっても又は分岐していても良いＣ1〜Ｃ10アルキル、置換されていても良いアリールから選択され、
Ｘが、Ｈ、ＯＨ、ＮＨ2、ＯＲ11ＯＨ、グリシジル、ヒドロキシプロピル、以下の基、
【化４】
2007524773.tif 000020
そして、下式：
【化５】
2007524773.tif 000021
｛但し、Ｒ10が直鎖であっても又は分岐していても良いＣ1〜Ｃ10アルキル、置換されていても良いアリールから選択される。｝
で表される基からなる群から選択され、
Ｒ11がＣ1〜Ｃ10アルキレン、置換されていても良いアリーレンから選択される。］
で表される成分Ｂ１Ｄとしての少なくとも１種のモノマー、
ｂ１ｅ）以下の成分：
ｂ１ｅ１）成分Ｂ１Ｅ１としての極性モノマー、及び／又は
ｂ１ｅ２）成分Ｂ１Ｅ２としての無極性モノマー、
から選択される上述のモノマーと共重合可能な他のモノマー、
のエマルジョン重合により得られる成分Ｂ１としての少なくとも１種のアクリルバインダと、及び／又は
ｂ２）以下の各成分ｂ２ａ）〜ｂ２ｄ）：
ｂ２ａ）成分Ｂ２Ａとしての少なくとも１種のジイソシアネート又はポリイソシアネート、
ｂ２ｂ）成分Ｂ２Ｂとしての少なくとも１種のジオール、トリオール又はポリオール、好ましくは炭素原子数２〜１４、好ましくは４〜１０の脂肪族、脂環式及び／又はアリール脂肪族ジオール、更に好ましくは１，６−ヘキサンジオール又はネオペンチルグリコール、
ｂ２ｃ）必要により、成分Ｂ２Ｃとしての他の成分、及び
ｂ２ｄ）必要により、成分Ｂ２Ｄとしての他の添加剤、
の反応により得られる成分Ｂ２としての少なくとも１種のポリウレタンと、を含む混合物を含むことを特徴とする殺虫剤組成物。
【請求項２】
アクリルバインダは、以下の成分：
ｂ１ａ）１０〜９０質量％、好ましくは１５〜８０質量％、更に好ましくは２０〜７０質量％の成分Ｂ１Ａ、
ｂ１ｂ）１０〜９０質量％、好ましくは１２〜８５質量％、更に好ましくは１５〜６５質量％の成分Ｂ１Ｂ、
ｂ１ｃ）１〜５質量％の成分Ｂ１Ｃ、
ｂ１ｄ）０〜５質量％、好ましくは１〜４質量％、更に好ましくは０．２〜３質量％の成分Ｂ１Ｄ、
ｂ１ｅ）以下の成分：
ｂ１ｅ１）０〜３０質量％、好ましくは０〜２５質量％、更に好ましくは５〜２０質量％の成分Ｂ１Ｅ１、及び／又は
ｂ１ｅ２）０〜４０質量％、好ましくは０〜３０質量％、更に好ましくは５〜２０質量％の成分Ｂ１Ｅ２、
から選択される上述のモノマーと共重合可能な他のモノマー、
（但し、成分Ｂ１Ａ、Ｂ１Ｂ、Ｂ１Ｃ及び必要によりＢ１Ｄ、Ｂ１Ｅの合計が１００質量％となる。）
のエマルジョン重合により得られる請求項１に記載の殺虫剤組成物。
【請求項３】
ポリウレタンは、以下の成分：
ｂ２ａ）ポリウレタンに対して、５５〜９９質量％、好ましくは７０〜９８質量％、更に好ましくは７５〜９０質量％の成分Ｂ２Ａ、
ｂ２ｂ）ポリウレタンに対して、１０〜９０質量％、好ましくは１２〜８５質量％、更に好ましくは１５〜６５質量％の成分Ｂ２Ｂ、
ｂ２ｃ）ポリウレタンに対して、０〜１０質量％、好ましくは０．１〜５質量％、更に好ましくは１〜５質量％の成分Ｂ２Ｃ、及び
ｂ２ｄ）０〜１０質量％、好ましくは０．１〜５質量％、更に好ましくは０．５〜５質量％の成分Ｂ２Ｄ、
（但し、成分Ｂ２Ａ、Ｂ２Ｂ、必要によりＢ２Ｃ及び必要によりＢ２Ｄの合計が１００質量％となる。）
の反応により得られる請求項１又は２に記載の殺虫剤組成物。
【請求項４】
殺虫剤は、
ピレスロイド化合物、例えば
エトフェンプロックス（Etofenprox）：２−（４−エトキシフェニル）−２−メチルプロピル−３−フェノキシベンジルエーテル、
クロロフェナピル（Chlorfenapyr）：４−ブロモ−２−（４−クロロフェニル）−１−エトキシメチル−５−（トリフルオロメチル）ピロール−３−カルボニトリル、
フェンバレレート（Fenvalerate）：（ＲＳ）−α−シアノ−３−フェノキシベンジル（ＲＳ）−２−（４−クロロフェニル）−３メチルブチレート、
エスフェンバレレート（Esfenvalerate）：（Ｓ）−α−シアノ−３−フェノキシベンジル（Ｓ）−２−（４−クロロフェニル）−３−メチルブチレート、
フェンプロパトリン（Fenpropathrin）：（ＲＳ）−α−シアノ−３−フェノキシベンジル２，２，３，３−テトラメチルシクロプロパンカルボキシレート、
シペルメトリン（Cypermethrin）：（ＲＳ）−α−シアノ−３−フェノキシベンジル（１ＲＳ）−ｃｉｓ，ｔｒａｎｓ−３−（２，２−ジクロロビニル）−２，２−ジメチルシクロプロパンカルボキシレート、
α−シペルメトリン：（Ｓ）−α−（１Ｒ）と（Ｒ）−α−（１Ｓ）のジアステレオマーを含むラセミ化合物、
ペルメトリン（Permethrin）：３−フェノキシベンジル（１ＲＳ）−ｃｉｓ，ｔｒａｎｓ−３−（２，２−ジクロロビニル）−２，２−ジメチルシクロプロパンカルボキシレート、
シハロトリン（Cyhalothrin）：（ＲＳ）−α−シアノ−３−フェノキシベンジル（Ｚ）−（１ＲＳ）−ｃｉｓ−３−（２−クロロ−３，３，３−トリフルオロプロパ−１−エニル）−２，２−ジメチルシクロプロパンカルボキシレート、
λ−シハロトリン、
デルタメトリン（Deltamethrin）：（Ｓ）−α−シアノ−３−フェノキシベンジル（１Ｒ）−ｃｉｓ−３−（２，２−ジブロモビニル）−２，２−ジメチルシクロプロパンカルボキシレート、
シクロプロトリン（Cycloprothrin）：（ＲＳ）−α−シアノ−３−フェノキシベンジル（ＲＳ）−２，２−ジクロロ−１−（４−エトキシフェニル）シクロプロパンカルボキシレート、
フルバリネート（Fluvalinate）：α−シアノ−３−フェノキシベンジルＮ−（２−クロロ−α、α、α、α−トリフルオロ−ｐ−トリル）−Ｄ−バリネート、
ビフェントリン（Bifenthrin）：（２−メチルビフェニル−３−イルメチル）０（Ｚ）−（１ＲＳ）−ｃｉｓ−３−（２−クロロ−３，３，３−トリフルオロ−１−プロペニル）−２，２−ジメチルシクロプロパンカルボキシレート、
２−メチル−２−（４−ブロモジフルオロメトキシフェニル）プロピル（３−フェノキシベンジル）エーテル、
トラロメトリン（Tralomethrin）：（Ｓ）−α−シアノ−３−フェノキシベンジル（１Ｒ−ｃｉｓ）３（（１’ＲＳ）（１’、２’、２’、２’−テトラブロモエチル））−２，２−ジメチルシクロプロパンカルボキシレート、
シラフルオフェン（Silafluofen）：４−エトキシフェニル（３−（４−フルオロ−３−フェノキシフェニル）プロピル）ジメチルシラン、
Ｄ−フェノトリン（D-fenothrin）：３−フェノキシベンジル（１Ｒ）−ｃｉｓ，ｔｒａｎｓ−クリサンセメート、
シフェノトリン（Cyphenothrin）：（ＲＳ）−α−シアノ−３−フェノキシベンジル（１Ｒ−ｃｉｓ，ｔｒａｎｓ）−クリサンセメート、
Ｄ−レスメトリン（D-resmethrin）：５−ベンジル−３−フリルメチル（１Ｒ−ｃｉｓ，ｔｒａｎｓ）クリサンセメート、
アクリナトリン（Acrinathrin）：（Ｓ）−α−シアノ−３−フェノキシベンジル（１Ｒ−ｃｉｓ（Ｚ））−（２，２−ジメチル−３−（オキソ−３−（１，１，１，３，３，３−ヘキサフルオロプロピルオキシ）プロペニル）シクロプロパンカルボキシレート、
シフルトリン（Cyfluthrin）：（ＲＳ）−α−シアノ−４−フルオロ−３−フェノキシベンジル３−（２，２−ジクロロビニル）−２，２−ジメチルシクロプロパンカルボキシレート、
テフルトリン（Tefluthrin）：２，３，５，６−テトラフルオロ−４−メチルベンジル（１ＲＳ−ｃｉｓ（Ｚ））−３−（２−クロロ−３，３，３−トリフルオロプロパ−１−エニル）−２，２−ジメチルシクロプロパンカルボキシレート、
トランスフルトリン（Transfluthrin）：２，３，５，６−テトラフルオロベンジル（１Ｒ−ｔｒａｎｓ）−３−（２，２−ジクロロビニル）−２，２−ジメチルシクロプロパンカルボキシレート、
テトラメトリン（Tetramethrin）：３，４，５，６−テトラヒドロフタルイミドメチル（１ＲＳ）−ｃｉｓ、ｔｒａｎｓ−クリサンセメート、
アレトリン（Allethrin）：（ＲＳ）−３−アリル−２−メチル−４−オキソシクロペンタ−２−エニル（１ＲＳ）−ｃｉｓ、ｔｒａｎｓ−クリサンセメート、
プラレトリン（Prallethrin）：（Ｓ）−２−メチル−４−オキソ−３−（２−プロピニル）シクロペンタ−２−エニル（１ＲＳ）−ｃｉｓ、ｔｒａｎｓ−クリサンセメート、
エンペントリン（Empenthrin）：（ＲＳ）−１−エチニル−２−メチル−２−ペンテニル（１Ｒ）−ｃｉｓ、ｔｒａｎｓ−クリサンセメート、
イミプロトリン（Imiprothrin）：２，５−ジオキソ−３−（プロパ−２−イニル）イミダゾリジン−１−イルメチル（１Ｒ）−ｃｉｓ、ｔｒａｎｓ−２，２−ジメチル−３−（２−メチル−１−プロペニル）シクロプロパンカルボキシレート、
Ｄ−フラメトリン（D-flamethrin）：５−（２−プロピニル）フルフリル（１Ｒ）−ｃｉｓ、ｔｒａｎｓ−クリサンセメート、及び５−（２−プロピニル）フルフリル２，２，３，３−テトラメチルシクロプロパンカルボキシレート、
ピリプロキシフェン（Pyriproxyfen）：４−フェノキシフェニル（ＲＳ）−２−（２−ピリジルオキシ）プロピルエーテル、
ピレスルム（Pyrethrum）、
ｄ−ｄ、ｔｒａｎｓ−シフェノトリン（d-d, trans-Cyphenothrin）：（ＲＳ）−α−シアノ−３−フェノキシベンジル（１ＲＳ，３ＲＳ；１ＲＳ，３ＳＲ）−２，２−ジメチル−３−（２−メチルプロパ−１−エニル）シクロプロパンカルボキシレート、
ＤＤＴ；
カルバメート化合物、例えば
アラニカルブ（Alanycarb）：Ｓ−メチル−Ｎ［［Ｎ−メチル−Ｎ−［Ｎ−ベンジル−Ｎ（２−エトキシカルボニルエチル）アミノチオ］カルバモイル］チオアセトイミデート、
ベンジオカルブ（Bendiocarb）：２，２−ジメチル−１，３−ベンゾジオキソール−４−イル−メチルカルバメート、
カルバリル（１−ナフチル）Ｎ−メチルカルバメート、
イソプロカルブ（Isoprocarb）：２−（１−メチルエチル）フェニルメチルカルバメート、
カルボスルファン（Carbosulfan）：２，３−ジヒドロ−２，２−ジメチル−７−ベンゾフラニル［（ジブチルアミノ）チオ］メチルカルバメート、
フェノキシカルブ（Fenoxycarb）：エチル［２−（４−フェノキシフェノキシ）エチル］カルバメート、
インドキサカルブ（Indoxacarb）：メチル−７−クロロ−２，２，３，４，５−テトラヒドロ−２−［メトキシカルボニル（４−トリフルオロメトキシフェニル）］、
プロポキスル（Propoxur）：２−イソプロピルオキシフェノールメチルカルバメート、
ピリミカルブ（Pirimicarb）：２−ジメチルアミノ−５，６−ジメチル−４−ピリミジニル−ジメチルカルバメート、
チオジオカルブ（Thiodiocarb）：ジメチルＮ，Ｎ’（チオビス（メチルイミノ）カルボノイルオキシ）ビスエタンイミジオチオエート、
メソミル（Methomyl）：Ｓ−メチルＮ−（（メチルカルバモイル）オキシ）チオアセトアミデート、
エチオフェンカルブ（Ethiofencarb）：２−（（エチルチオ）メチル）フェニルメチルカルバメート、
フェノチオカルブ（Fenothiocarb）：Ｓ−（４−フェノキシブチル）−Ｎ，Ｎ−ジメチルチオカルバメート、
カルタップ（Cartap）：Ｓ，Ｓ’−（２，５−ジメチルアミノ）トリメチレン）ビス（チオカルバメート）ヒドロクロリド、
フェノブカルブ（Fenobucarb）：２−ｓｅｃ−ブチルフェニルメチルカルバメート、
ＸＭＣ：３，５−ジメチルフェニル−メチルカルバメート、
キシリルカルブ（Xylylcarb）：３，４−ジメチルフェニルメチルカルバメート；
有機リン化合物、例えば
トリクロルフォン（Trichlorfon）：リン酸（２，２，２−トリクロロ−１−ヒドロキシエチル）ジメチルエスエル、
フェニトロチオン（Fenitrothion）：Ｏ，Ｏ−ジメチルＯ−（４−ニトロ−ｍ−トリル）ホスホロチオエート、
ジアジノン（Diazinon）：Ｏ，Ｏ−ジエチル−Ｏ−（２−イソプロピル−６−メチル−４−ピリミジニル）ホスホロチオエート、
ピリダフェンチオン（Pyridaphenthion）：Ｏ−（１，６−ジヒドロ−６−オキソ−１−フェニルピラジジン−３−イル）Ｏ，Ｏ−ジエチルホスホロチオエート、
ピリミホス−エチル（Pirimiphos-Etyl）：Ｏ，Ｏ−ジエチルＯ−（２−（ジエチルアミノ）６−メチルピリミジニル）ホスホロチオエート、
ピリミホス−メチル（Pirimiphos-Methyl）：Ｏ−［２−（ジエチルアミノ）−６−メチル−４−ピリミジニル］Ｏ，Ｏ−ジメチルホスホロチオエート、
エトリムホス（Etrimphos）：Ｏ−６−エトキシ−２−エチル−ピリミジン−４−イル−Ｏ，Ｏ−ジメチル−ホスホロチオエート、
フェンチオン（Fenthion）：Ｏ，Ｏ−ジメチル−Ｏ−［３−メチル−４−（メチルチオ）フェニル］ホスホロチオエート、
ホキシム（Phoxim）：２−（ジエトキシホスフィノトイルオキシイミノ）−２−フェニルアセトニトリル、
クロルピリフォス（Chlorpyrifos）：Ｏ，Ｏ−ジエチル−Ｏ−（３，５，６−トリクロロ−２−ピリニル）ホスホロチオエート、
クロルピリホスメチル（Chlorpyriphosmethyl）：Ｏ，Ｏ−ジメチルＯ−（３，５，６−トリクロロ−２−ピリジニル）ホスホロチオエート、
シアノホス（Cyanophos）：Ｏ，Ｏ−ジメチルＯ−（４−シアノフェニル）ホスホロチオエート、
ピラクロフォス（Pyraclofos）：（Ｒ，Ｓ）［４−クロロフェニル）−ピラゾール−４−イル］−Ｏ−エチル−Ｓ−ｎ−プロピルホスホロチオエート、
アセフェート（Acephate）：Ｏ，Ｓ−ジメチルアセチルホスホロアミドチオエート、
アザメチホス（Azamethiphos）：Ｓ−（６−クロロ−２，３−ジヒドロ−オキソ−１，３−オキサゾロ［４，５−ｂ］ピリジン−３−イルメチルホスホロチオエート、
マラチオン（Malathion）：ジエチルメルカプトスクシネートのＯ，Ｏ−ジメチルホスホロジチオエートエステル、
テメホス（Temephos）：（Ｏ，Ｏ’（チオジ−４−１−フェニレン））Ｏ，Ｏ，Ｏ，Ｏ−テトラメチルホスホロジチオエート、
ジメトエート（Dimethoate）：（（Ｏ，Ｏ−ジメチルＳ−（ｎ−メチルカルバモイルエチル）ホスホロジチオエート、
フォルモチオン（Formothion）：Ｓ［２−ホルミルメチルアミノ］−２−オキソエチル−Ｏ，Ｏ−ジメチルホスホロジチオエート、
フェントエート（Phenthoate）：Ｏ，Ｏ−ジメチルＳ−（α−エトキシカルボニルベンザール）ホスホロジチオエート、
ロドフェンホス（Lodofenphos）：Ｏ−（２，５−ジクロロ−４−ヨードフェニル）−Ｏ，Ｏ−ジメチルホスホロチオエート；
成虫の蚊に対する殺菌効果を有する殺虫剤、例えば
１−（α−（クロロ−α−シクロプロピルベンジリデンアミノ−オキシ）−ｐ−トリル）−３−（２，６−ジフルオロベンゾイル）尿素、
ジフルベンズロン（Diflubenzuron）：Ｎ−（（（３，５−ジクロロ−４−（１，１，２，２−テトラフルオロエトキシ）フェニルアミノ）カルボニル）２，６−ジフルオロベンズアミド、
トリフルムロン（Triflumuron）：２−クロロ−Ｎ−（（（４−（トリフルオロメトキシ）フェニル）−アミノ−）カルボニル）ベンズアミド、又はトリアジン、例えばＮ−シクロプロピル−１，３，５−トリアジン−２，４，６−トリアミン；及び
ラムダシハオトリン（Lambda-cyhalothrine）：（Ｚ）−（１Ｒ，３Ｒ），Ｒ−エステルと（Ｚ）−（１Ｓ，３Ｓ），Ｓ−エステルとの１：１混合物としてのα−シアノ−３−フェノキシベンジル−３−（２−クロロ−３，３，３−トリフルオロプロパ−１−エニル）−２，２−ジメチルシクロプロパンカルボキシレート；
から選択され、
防虫剤は、
Ｎ，Ｎ−ジメチル−ｍ−トルアミド（ＤＥＥＴ）、
Ｎ，Ｎ−ジエチルフェニルアセトアミド（ＤＥＰＡ）、
１−（３−シクロヘキサン−１−イルカルボニル）−２−メチルピペリン、
（２−ヒドロキシメチルシクロヘキシル）酢酸ラクトン、
２−エチル−１，３−ヘキサンジオール、
インダロン、
メチルネオデカンアミド（ＭＮＤＡ）、
昆虫の防除に使用されないピレスロイド、例えば｛（＋／−）−３−アリル−２−メチル−４−オキソシクロペンタ−２−（＋）−エニル−（＋）−ｔｒａｎｓ−クリサンセメート｝（エスビオトリン（Esbiothrin））、
植物の抽出物から誘導されるか、又は植物の抽出物と同一の防虫剤、例えばリモネン、オイゲノール、（＋）−オイカマロル（１）（Eucamalol(1)）、（−）−１−エピオイカマロール又は植物から得られる粗な植物抽出物、例えばユーカリプツスマクラタ（Eucalyptus maculata）、ビテックスロツンジフォリア（Vitex rotundifolia）、シンボポガンマルチニ（Cymbopogan martinii）、シンボポガンシトラツス（Cymbopogan citratus）（レモングラス）、シモポガンナルトヅス（Cymopogan nartdus）（シトロネラソウ）、ＩＲ３５３５（エチルブチルアセチルアミノプロピオネート）、イカリジン（icaridin）（１−ピペリジンカルボン酸２−（２−ヒドロキシエチル）−１−メチルプロピルエステル）；
好適なムロシサイド（mulloscicide）としてのニクロサミド（niclosamide）；
第１世代の抗凝固性殺鼠剤としてのヴァルファリン（warfarin）、クロルファシノン（chlorphacinone）、コウマテトラリル（coumatetralyl）、及び第２世代の抗凝固性殺鼠剤としてのフロコウマフェン（flocoumafen）、ブロジファコウム（brodifacoum）、ジフェナコウム（difenacoum）、ブロマジアロン（bromadialone）、ジフェチアロン（difethialone）及びブロメタリン（bromethalin）から選択される第１世代の抗凝固性殺鼠剤と第２世代の抗凝固性殺鼠剤の殺鼠剤；
水虫の場合に用いられる抗真菌薬であり、以下の群から選択される殺菌剤：
クロトリマゾール（clotrimazole）：１−（２−クロロトリチル）イミダゾール、
ミコナゾール（miconazole）：１−［２−（２，４−ジクロロフェニル）−２−［（２，４−ジクロロフェニル）メトキシ］エトキシ］−１Ｈ−イミダゾール、
エコナゾール（econazole）：４−［２−［（４−クロロフェニル）メトキシ］−２−（２，４−ジクロロフェニル）エチル］−４Ｈ−イミダゾール、
チオコナゾール（tioconazole）：１−［２−［（２−クロロ−３−チエニル）メトキシ］−２−（２，４−ジクロロフェニル）エチル］−１Ｈ−イミダゾール、
ウンデシレン酸、
テルビナフィン（terbinafine）ヒドロクロリド：Ｎ，６，６−トリメチル−Ｎ−（ナフタレン−４−イルメチル）ヘプタ−２−エン−４−イン−１−アミンヒドロクロリド（ラミシルトピカル（lamisil topical））、及び
トルナフテート（tolnaftate）：Ｎ−メチル−Ｎ−（ｍ−トリル）−１−ナフタレン−３−イルオキシチオホルムアミド；
以下の他の殺菌剤、
アゾール、例えばビテルタノール（Bitertanol）、ブロモコナゾール（Bromoconazol）、シプロコナゾール（Cyproconazol）、ジフェノコナゾール（Difenoconazole）、ジニトロコナゾール（Dinitroconazol）、エポキシコナゾール（Epoxiconazol）、フェンブコナゾール（Fenbuconazol）、フルキコナゾール（Fluquiconazol）、フルシラゾール（Flusilazol）、フルトリアフォール（Flutriafol）、ヘキサコナゾール（Hexaconazol）、イマザリル（Imazalil）、イプコナゾール（Ipconazol）、メトコナゾール（Metconazol）、マイクロブタニル（Myclobutanil）、ペンコナゾール（Penconazol）、プロピコナゾール（Propiconazol）、プロクロラゾ（Prochloraz）、プロチオコナゾール（Prothioconazol）、シメコナゾール（Simeconazol）、テブコナゾール（Tebuconazol）、テトラコナゾール（Tetraconazol）、トリアジメフォン（Triadimefon）、トリアジメノール（Triadimenol）、トリフルミゾール（Triflumizol）、トリチコナゾール（Triticonazol）、
ストロビルリン（Strobilurine）、例えばアゾキシストロビン（Azoxystrobin）、ジモキシストロビン（Dimoxystrobin）、フルオキサストロビン（Fluoxastrobin）、クレソキシム−メチル（Kresoxim-methyl）、メトミノストロビン（Metominostrobin）、オリサストロビン（Orysastrobin）、ピコキシストロビン（Picoxystrobin）、ピラクロストロビン（Pyraclostrobin）、トリフロキシストロビン（Trifloxystrobin）、
アシルアラニン（Acylalanine）、例えばベナラキシル（Benalaxyl）、メタラキシル（Metalaxyl）、メフェノキサム（Mefenoxam）、オフラセ（Ofurace）、オキサジキシル（Oxadixyl）、
アミン誘導体、例えばアルジモルフ（Aldimorph）、ドジン（Dodine）、ドデモルフ（Dodemorph）、フェンプロピモルフ（Fenpropimorph）、フェンプロピジン（Fenpropidin）、グアザチン（Guazatine）、イミノクタジン（Iminoctadine）、スピロキサミン（Spiroxamin）、トリデモルフ（Tridemorph）、
アニリノピリミジン（Anilinopyrimidine）、例えばピリメタニル（Pyrimethanil）、メパニピリム（Mepanipyrim）、シプロジニル（Cyprodinil）、
ジカルボキシイミド、例えばイプロジオン（Iprodion）、マイクロゾリン（Myclozolin）、プロシミドン（Procymidon）、ビンクロゾリン（Vinclozolin）、
桂皮酸アミド及び類似物、例えばジメトモルフ（Dimethomorph）、フルメトバー（Flumetover）又はフルモルフ（Flumorph）、
抗生物剤、例えばシクロヘキシミド（Cycloheximid）、グリセオフルビン（Griseofulvin）、カスガマイシン（Kasugamycin）、ナタマイシン（Natamycin）、ポリオキイン（Polyoxin）又はストレプトマイシン（Streptomycin）、
ジチオカルバメート、例えばフェルバム（Ferbam）、ナバム（Nabam）、マネブ（Maneb）、マンコゼブ（Mancozeb）、メタム（Metam）、メチラム（Metiram）、プロピネブ（Propineb）、ポリカルバマト（Polycarbamat）、チラム（Thiram）、ジラム（Ziram）、ジネブ（Zineb）、
複素環式化合物、例えばアニラジン（Anilazin）、ベノマイル（Benomyl）、ボスカリド（Boscalid）、カルベンダジム（Carbendazim）、カルボキン（Carboxin）、オキシカルボキシン（Oxycarboxin）、シアゾファミド（Cyazofamid）、ダゾメト（Dazomet）、ジチアノン（Dithianon）、ファモキサドン（Famoxadon）、フェナミドン（Fenamidon）、フェナリモル（Fenarimol）、フベリダゾール（Fuberidazol）、フルトラニル（Flutolanil）、フラメトピル（Furametpyr）、イソプロチオラン（Isoprothiolan）、メプロニル（Mepronil）、ヌアリモル（Nuarimol）、ピコベンズアミド（Picobenzamid）、プロベンアゾール（Probenazol）、プロキナジド（Proquinazid）、ピリフェノックス（Pyrifenox）、ピロキロン（Pyroquilon）、キノキシフェン（Quinoxyfen）、シルチオファム（Silthiofam）、チアベンダゾール（Thiabendazol）、チフルザミド（Thifluzamid）、チオファナトメチル（Thiophanat methyl）、チアジニル（Tiadinil）、トリシクラゾール（Tricyclazol）、トリフォリン（Triforine）、Mアノルガニカ（M Anorganika）、
ニトロフェニル誘導体、例えばビナパクリル（Binapacryl）、ジノキャプ（Dinocap）、ジノブトン（Dinobuton）、ニトロフタル−イソプロピル、
フェニルピロール、例えばフェンピクロニル（Fenpiclonil）、フルジオキソニル（Fludioxonil）、
スルホン酸誘導体、例えばキャプタフォル（Captafol）、キャプタン（Captan）、ジクロフルアニド（Dichlofluanid）、フォルペト（Folpet）、トリルフルアニド（Tolyfluanid）、
他の殺菌剤、例えばアシベンゾラル（Acibenzolar）−Ｓ−メチル、ベンチアバリカルブ（Benthiavalicarb）、キャルプロパミド（Carpropamid）、クロロタロニル（Chlorothalonil）、シフルフェナミド（Cyflufenamid）、シモキサニル（Cymoxanil）、ダゾメト（Dazomet）、ジクロメジン（Diclomezin）、ジクロシメト（Diclocymet）、ジクロフルアニド（Diclofluanid）、ジエトフェンカルブ（Diethofencarb）、エジフェンホス（Edifenphos）、エタボキサム（Ethaboxam）、フェンヘキサミド（Fenhexamid）、フェン錫−アセタト（Fentin-Acetat）、フェノキサニル（Fenoxanil）、フェリムゾン（Ferimzone）、フルアジナム（Fluazinam）、フォセチル（Fosetyl）、フォセチル−アルミニウム、亜リン酸、イプロバリカルブ（Iprovalicarb）、ヘキサクロルベンゾール（Hexachlorbenzol）、メトラフェノン（Metrafenon）、ペンシキュロン（Pencycuron）、プロパモカルブ（Propamocarb）、フタリド（Phthalid）、トロクロフォス−メチル（Toloclofos-methyl）、キントゼン（Quintozene）、ゾキサミド（Zoxamid）、
から選択される請求項１〜３のいずれか１項に記載の殺虫剤組成物。
【請求項５】
殺虫剤及び／又は防虫剤の粒径が５０ｎｍ〜２０μｍの範囲、好ましくは５０ｎｍ〜８μｍの範囲、更に好ましくは５０ｎｍ〜４μｍの範囲、もっとも好ましくは５０ｎｍ〜５００ｎｍの範囲である請求項１〜４のいずれか１項に記載の殺虫剤組成物。
【請求項６】
更に、水、防腐剤、浄化剤、安定剤、ＵＶ保護性を有する薬剤、蛍光増白剤、展着剤、拡散防止剤、発砲形成剤、湿潤剤、防汚剤、増粘剤、他の殺生物剤、可塑剤、接着剤、芳香剤、顔料及び染料からなる群から選択される１種以上の成分を含む請求項１〜５のいずれか１項に記載の殺虫剤組成物。
【請求項７】
約０．００１〜９５質量％の殺虫剤及び／又は防虫剤を含む請求項１〜６のいずれか１項に記載の殺虫剤組成物。
【請求項８】
最終使用者により行われるか、又は地元の工場で行われる含浸のためのキットとして設けられている請求項１〜７のいずれか１項に記載の殺虫剤組成物。
【請求項９】
キットにおける組成は、水の添加によって溶液又はエマルジョンの調製にあわせて変更する請求項８に記載の殺虫剤組成物。
【請求項１０】
ａ）少なくとも１種の殺虫剤及び／又は少なくとも１種の防虫剤と、
ｂ１）請求項１又は２に記載の少なくとも１種のアクリルバインダと、及び／又は
ｂ２）請求項１に記載の少なくとも１種のポリウレタンと、
を含み、昆虫の殺傷及び／又は虫除けに用いられる含浸テキスタイル材料又はプラスチック材料。
【請求項１１】
請求項４に記載の殺虫剤及び／又は防虫剤を含む請求項１０に記載の含浸テキスタイル材料又はプラスチック材料。
【請求項１２】
更に、防腐剤、浄化剤、安定剤、ＵＶ保護性を有する薬剤、蛍光増白剤、展着剤、拡散防止剤、発砲形成剤、湿潤剤、防汚剤、増粘剤、他の殺生物剤、可塑剤、接着剤、芳香剤、顔料及び染料からなる群から選択される１種以上の成分を含む請求項１０又は１１に記載の含浸テキスタイル材料又はプラスチック材料。
【請求項１３】
テキスタイル材料又はプラスチック材料の質量に対して、約０．００１〜１０質量％の少なくとも１種の殺虫剤及び／又は少なくとも１種の防虫剤を含む請求項１０〜１２のいずれか１項に記載の含浸テキスタイル材料又はプラスチック材料。
【請求項１４】
ｉ）請求項１〜１３のいずれか１項に記載の少なくとも１種の殺虫剤及び／又は少なくとも１種の防虫剤及び少なくとも１種のアクリルバインダ及び／又は少なくとも１種のポリウレタンと、必要により他の成分と、を含む水性調製液又は溶融物を形成する工程、
ｉｉ）
ｉｉａ）テキスタイル材料又はプラスチック材料を水性調製液に通過させるか、又は
ｉｉｂ）テキスタイル材料又はプラスチック材料を、水性調製液に部分的に又は完全に浸漬しているローラに接触させ、そして水性調製液を、ローラに接触しているテキスタイル材料又はプラスチック材料の一面に引き寄せるか、又は
ｉｉｃ）テキスタイル材料又はプラスチック材料を両面コーティングするか、又は
ｉｉｄ）水性調製液をテキスタイル材料又はプラスチック材料に噴霧し、且つその噴霧が手動で又は機械的に噴霧するための装置、例えば工場で用いられるエーロゾル缶又は装置を用いて行われるか、又は
ｉｉｅ）水性調製液をフォームの形で施すか、又は
ｉｉｆ）テキスタイル材料又はプラスチック材料を水性調製液中に沈めるか、又は
ｉｉｇ）水性調製液をテキスタイル材料又はプラスチック材料上に又はテキスタイル材料又はプラスチック材料中にはけ塗りするか、又は
ｉｉｈ）水性調製液をテキスタイル材料又はプラスチック材料に注ぐことにより水性調製液をテキスタイル材料又はプラスチック材料に施すか、或いは溶融物をカレンダ処理により又はドクターブレードを用いて施す工程、
ｉｉｉ）必要により、余分な水性調製液又は溶融物を除去する工程、及び
ｉｖ）テキスタイル材料又はプラスチック材料を乾燥及び／又は硬化する工程、
を含むテキスタイル材料又はプラスチック材料の含浸方法。
【請求項１５】
工程ｉｉａ）は、水性調製液を含む漕において、テキスタイル材料又はプラスチック材料を水性調製液に完全に沈めるか、或いはテキスタイル材料又はプラスチック材料を、２個の水平方向のローラの間に保持される水性調製液に通過させることによって行われる請求項１４に記載の方法。
【請求項１６】
殺虫剤及び／又は防虫剤が請求項４に記載の殺虫剤及び／又は防虫剤である請求項１４又は１５に記載の方法。
【請求項１７】
水性調製液が、更に、浄化剤、安定剤、ＵＶ保護性を有する薬剤、蛍光増白剤、展着剤、拡散防止剤、防腐剤、発砲形成剤、湿潤剤、増粘剤、他の殺生物剤、可塑剤、接着剤、防汚剤、芳香剤、顔料及び染料からなる群から選択される１種以上の成分を含む請求項１４〜１６のいずれか１項に記載の方法。
【請求項１８】
含浸組成物が、最終使用者により行われるか、又は地元の工場で行われる含浸のためのキットとして設けられている請求項１４〜１７のいずれか１項に記載の方法。
【請求項１９】
テキスタイル材料又はプラスチック材料の染色が、テキスタイル材料又はプラスチック材料の含浸と同時に行われ、且つ少なくとも１種の染料及び／又は少なくとも１種の顔料を更に含む水性調製液を形成する請求項１４〜１８のいずれか１項に記載の方法。
【請求項２０】
請求項１又は２に記載の少なくとも１種の殺虫剤及び／又は少なくとも１種の防虫剤及び少なくとも１種のアクリルバインダ及び／又は請求項１に記載の少なくとも１種のポリウレタンを含む組成物をテキスタイル材料又はプラスチック材料に施すことによるテキスタイル材料又はプラスチック材料の被覆方法。
【請求項２１】
組成物が、更に、浄化剤、安定剤、ＵＶ保護性を有する薬剤、蛍光増白剤、展着剤、拡散防止剤、防腐剤、発砲形成剤、防汚剤、湿潤剤、増粘剤、他の殺生物剤、可塑剤、接着剤、芳香剤、顔料及び染料からなる群から選択される１種以上の成分を含む請求項２０に記載の方法。
【請求項２２】
ｉ）テキスタイル材料又はプラスチック材料を、耐圧容器に含まれる他の添加剤を必要により含んでいても良い水性浴槽中に導入する工程、
ｉｉ）少なくとも１種の殺虫剤及び／又は防虫剤を含む水性調製液を添加する工程、
ｉｉｉ）水性浴槽を１００〜１４０℃の温度に加熱し、その温度を２０〜１２０分間保持する工程、及び
ｉｖ）水性浴槽を冷却し、排水し、そして含浸されたテキスタイル材料又はプラスチック材料を濯ぎ、乾燥する工程、
を含むテキスタイル材料又はプラスチック材料を含浸するための排気法。
【請求項２３】
水性浴槽が、他の添加剤として、防腐剤、洗浄剤、フィラー、衝撃改良剤、防曇剤、発泡剤、澄まし剤、核剤、カップリング剤、導電性向上剤（耐電防止剤）、安定剤、例えば酸化防止剤、炭素及び酸素ラジカルのスカベンジャー及び分解剤の過酸化物、難燃剤、離型剤、ＵＶ保護性を有する薬剤、増白剤、展着剤、ブロッキング防止剤、拡散防止剤、発砲形成剤、防汚剤、増粘剤、他の殺生物剤、湿潤剤、可塑剤及びフィルム形成剤、接着剤又は粘着防止剤、蛍光増白剤（蛍光増白）、芳香剤、顔料及び染料からなる群から選択される１種以上の成分を含む請求項２２に記載の方法。
【請求項２４】
少なくとも１種の殺虫剤及び／又は防虫剤を含む水性調製液が、殺虫剤において水を除く各成分の合計に対して、０．１〜４５質量％の水を含む請求項２２又は２３に記載の方法。
【請求項２５】
請求項２２〜２４のいずれか１項に記載の排気法により得られる含浸されたテキスタイル材料又はプラスチック材料。
【請求項２６】
テキスタイル材料又はプラスチック材料が、ポリエステル、特にポリエチレンテレフタレートから作製された網製品である請求項１０〜１３又は２５のいずれか１項に記載の含浸されたテキスタイル材料又はプラスチック材料。
【発明の詳細な説明】
【技術分野】
【０００１】
本発明は、ヤーン、繊維、織物、ニット製品、不織布、網製品の材料（ネット材料）、ホイル、防水シート及び被覆組成物からなる群から選択されるテキスタイル材料又はプラスチック材料に施すための殺虫剤組成物であって、少なくとも１種の殺虫剤及び／又は少なくとも１種の防虫剤と、少なくとも１種のバインダーと、を含む組成物を含む殺虫剤組成物；少なくとも１種の殺虫剤及び／又は少なくとも１種の防虫剤と、少なくとも１種のバインダーと、を含む含浸テキスタイル材料又はプラスチック材料；テキスタイル材料又はプラスチック材料の含浸方法；及びテキスタイル材料又はプラスチック材料の被覆方法に関する。
【背景技術】
【０００２】
感染による病気は、人間及び動物を衰弱させ、又は死なせることにより多くの国、特に熱帯性の国において甚大な損害を引き起こしている。これらの病気（例えば、マラリア、デング熱及び黄熱、リンパ管フィラリア症、そしてリーシュマニア症）の多くは、昆虫によって伝染する。多くの医療法、例えば予防接種又は医療処置が、不可能であるか、又は非常に高価であり、或いは薬剤に対する広がり抵抗に起因して効果的でないことから、労力は、昆虫の感染を防除することに関し集中してきた。このような昆虫を防除するための方法としては、小屋及び家の表面を処理し、エア噴霧し、そしてカーテン及びベッドのネットを含浸することである。後者の含浸処理は、テキスタイル材料を殺虫剤のエマルジョン又は分散液に浸すか、又はかかるエマルジョン又は分散液をネットに噴霧することにより、今日に至るまで最も多く行われている。これにより、繊維の表面において殺虫剤分子の付着を緩くするだけであるので、この処理は、永続洗浄（wash-permanent）ではなく、各洗浄後に繰り返す必要がある。研究では、長時間効果の殺虫剤処理ネット（ＬＬＩＮｓ）が、従来のネット（各洗浄後に殺虫剤を含浸する必要がある）と比較して、キャリアボーン病の予防において信頼性のあることが証明されてきた。しかしながら、経験では、洗浄されたネットは、多くの場合に再処理されないので、ネットを生物活性を有していない状態にすることが分かっている。従って、ＷＨＯ、ＵＮＩＣＥＦ及び世界的な救援組織では、予備処理される長時間効果の殺虫剤処理ネットを推奨しており、これは、致命的な熱帯特有の病気、特にマラリア及びデング熱を抑制する有効な手段としての永続洗浄である。これは、利用者にとって快適であるだけでなく、利用者が経済的に有利となるので、繰り返される含浸のコストを減ずる。その上、これは環境的にも有効である。なぜなら、永続処理は、テキスタイルの最終プラントにおいて制御条件下で行われるからである。
【０００３】
特許文献１は、殺虫剤及び／又は防虫剤と、被膜形成成分と、を含み、昆虫又はダニの殺傷及び／又は虫除け若しくはダニ除け用の含浸ネット又は織物を開示している。塗膜形成成分は、耐水性フィルム及び必要により耐油性フィルムを形成することによってネット又は織物から殺虫剤成分の洗い流し及び分解を減している。被膜形成成分は、パラフィン油又はワックス誘導体、ケイ素誘導体、シリコンオイル又はワックス誘導体、及びポリフルオロカーボン誘導体から選択される１種以上の成分を含んでいるのが好ましい。殺虫剤及び／又は防虫剤及び被膜形成成分の溶液又は水エマルジョンを連続的に（二段階で）又は一回の処理工程で添加することによってネット又は織物を含浸する。特許文献１の明細書によれば、織物又はネットの含浸方法において有機溶剤に溶解させた殺虫剤及び／又は防虫剤を開示している。
【０００４】
特許文献２は、ファブリック（織物）材料に施す殺虫剤組成物を開示しており、組成物は、殺虫剤、共重合体のバインダ（染色後且つファブリック材料の乾燥と同時に、疎水性を殺虫剤に付与する）、及び分散剤（当該組成物を織物に施した後且つその織物の湿潤時に、殺虫剤に付与された疎水性をバインダで減じることにより、殺虫剤の放出を制限することができる）を含む混合物を含む。共重合体のバインダは、ａ）炭素原子数１〜１８の脂肪酸のビニルエステル、例えば酢酸ビニル及びビニルバーサテート、ｂ）炭素原子数１〜１８のアルコールのアクリル酸及びメタクリル酸エステル、例えばブチルアクリレート、２−エチルヘキシルアクリレート及びメチルアクリレート、並びにｃ）モノエチレン性及びジエチレン性不飽和炭化水素、例えばスチレン、及び脂肪族ジエン、例えばブタジエンを含む少なくとも１種の基から選択されるモノマーからエマルジョン重合技術によって誘導される共重合体エマルジョンとして調製される。好ましい共重合体バインダは、２種類の相互に異なるモノマーのエマルジョン重合によって調製される。特許文献２の殺虫剤組成物は、浸漬、噴霧、はけ塗り等によって織物又はネットに施される。実施例によれば、殺虫剤組成物をファブリック材料に施す前に、殺虫剤を有機溶剤に溶解させる必要がある。
【０００５】
特許文献３は、洗濯のきく衣服とするため、特に、ペルメトリン等の殺虫剤を織物に導入するための織物の製造方法を開示し、殺虫剤の導入は、ポリマーのバインダ及び架橋剤を含浸させるか、或いはポリマーのバインダ及び増粘剤を表面コーティングすることによって行われ、これにより、防虫剤としての有効性及び衣類の良好な洗浄を介しての効果的な殺虫剤として織物におけるペルメトリンの保持力を改良する。実施例によると、好適なバインダは、アクリルバインダ及びポリビニルアセテートバインダであり、これらは更に特定されていない。織物の含浸のための溶液中における殺虫剤の量は、極めて高い（１
ｍ2あたり１２５０ｍｇの殺虫剤）。
【０００６】
【特許文献１】ＷＯ０１／３７６６２
【特許文献２】ＷＯ０３／０３４８２３
【特許文献３】ＵＳ５６３１０７２
【発明の開示】
【０００７】
従って、本発明の目的は、テキスタイル材料又はプラスチック材料に施す殺虫剤組成物であって、殺虫剤が洗い流されず且つ昆虫を殺傷するための殺虫剤の生物学的利用能が複数回の洗浄後に保持されている殺虫剤組成物を提供することにある。
【０００８】
本発明によると、テキスタイル材料又はプラスチック材料に施すための殺虫剤組成物であって、
前記組成物は、
ａ）成分Ａとしての少なくとも１種の殺虫剤及び／又は少なくとも１種の防虫剤と、
ｂ１）以下の各成分ｂ１ａ）〜ｂ１ｅ）：
ｂ１ａ）成分Ｂ１Ａとしてのｎ−ブチルアクリレート、
ｂ１ｂ）式Ｉ：
【０００９】
【化１】
2007524773.tif 000002
【００１０】
［但し、Ｒ1、Ｒ2及びＲ3が相互に独立して、直鎖であっても又は分岐していても良いＣ1〜Ｃ10アルキル、例えばメチル、エチル、ｎ−プロピル、ｉ−プロピル、ｎ−ブチル、ｉ−ブチル、ｓｅｃ−ブチル、ｔｅｒｔ−ブチル、ｎ−ペンチル、ｉ−ペンチル、ｓｅｃ−ペンチル、ネオペンチル、１，２−ジメチルプロピル、ｉ−アミル、ｎ−ヘキシル、ｉ−ヘキシル、ｓｅｃ−ヘキシル、ｎ−ヘプチル、ｎ−オクチル、２−エチルヘキシル、ｎ−ノニル、ｎ−デシル、Ｃ1〜Ｃ4アルキル、例えばメチル、エチル、ｎ−プロピル、ｉ−プロピル、ｎ−ブチル、ｉ−ブチル、ｓｅｃ−ブチル及びｔｅｒｔ−ブチル；置換されていても良いアリール、好ましくは置換されていても良いＣ6〜Ｃ10アリール、更に好ましくは置換されていても良いＣ6アリール、例えばフェニル又はトリルから選択され、Ｒ1及びＲ2が更にＨであっても良く、そしてＲ1及びＲ2がＨである場合にはＲ3がｎ−ブチルを表さず、
好ましくは、Ｒ1がＨ又はメチルを表し、Ｒ2がＨを表し、Ｒ3がメチル、エチル、又は２−エチルヘキシルを表し、
更に好ましくは、Ｒ1がＨ又はメチルを表し、Ｒ2がＨを表し、Ｒ3がメチル、エチル、又は２−エチルヘキシルを表し、
最も好ましくは、式Ｉのモノマーが２−エチルヘキシルアクリレート、メチルアクリレート、メチルメタクリレート又はエチルアクリレートから選択される。］
で表される成分Ｂ１Ｂとしての少なくとも１種のモノマー、
ｂ１ｃ）式ＩＩ：
【００１１】
【化２】
2007524773.tif 000003
【００１２】
［但し、Ｒ4、Ｒ5、Ｒ6及びＲ7が相互に独立して、Ｈ、直鎖であっても又は分岐していても良いＣ1〜Ｃ10アルキル、例えばメチル、エチル、ｎ−プロピル、ｉ−プロピル、ｎ−ブチル、ｉ−ブチル、ｓｅｃ−ブチル、ｔｅｒｔ−ブチル、ｎ−ペンチル、ｉ−ペンチル、ｓｅｃ−ペンチル、ネオペンチル、１，２−ジメチルプロピル、ｉ−アミル、ｎ−ヘキシル、ｉ−ヘキシル、ｓｅｃ−ヘキシル、ｎ−ヘプチル、ｎ−オクチル、２−エチルヘキシル、ｎ−ノニル、ｎ−デシル、好ましくはＨ、置換されていても良いＣ1〜Ｃ4アルキル、例えばメチル、エチル、ｎ−プロピル、ｉ−プロピル、ｎ−ブチル、ｉ−ブチル、ｓｅｃ−ブチル及びｔｅｒｔ−ブチル；置換されていても良いアリール、好ましくは置換されていても良いＣ6〜Ｃ10アリール、更に好ましくは置換されていても良いＣ6アリール、例えばフェニル又はトリルから選択され、
更に好ましくは、Ｒ4がＨ又はメチルを表し、Ｒ5、Ｒ6及びＲ7が相互に独立してそれぞれＨを表し、
最も好ましくは、Ｒ4がＨ又はメチルを表し、Ｒ5、Ｒ6及びＲ7がＨを表す。］
で表される成分Ｂ１Ｃとしての少なくとも１種のモノマー、
ｂ１ｄ）必要により、式ＩＩＩ：
【００１３】
【化３】
2007524773.tif 000004
【００１４】
［但し、Ｒ8及びＲ9が相互に独立して、Ｈ、直鎖であっても又は分岐していても良いＣ1〜Ｃ10アルキル、例えばメチル、エチル、ｎ−プロピル、ｉ−プロピル、ｎ−ブチル、ｉ−ブチル、ｓｅｃ−ブチル、ｔｅｒｔ−ブチル、ｎ−ペンチル、ｉ−ペンチル、ｓｅｃ−ペンチル、ネオペンチル、１，２−ジメチルプロピル、ｉ−アミル、ｎ−ヘキシル、ｉ−ヘキシル、ｓｅｃ−ヘキシル、ｎ−ヘプチル、ｎ−オクチル、２−エチルヘキシル、ｎ−ノニル、ｎ−デシル、好ましくはＨ、置換されていても良いＣ1〜Ｃ4アルキル、例えばメチル、エチル、ｎ−プロピル、ｉ−プロピル、ｎ−ブチル、ｉ−ブチル、ｓｅｃ−ブチル及びｔｅｒｔ−ブチル；置換されていても良いアリール、好ましくは置換されていても良いＣ6〜Ｃ10アリール、更に好ましくは置換されていても良いＣ6アリール、例えばフェニル又はトリルから選択され、
最も好ましくは、Ｒ8及びＲ9がＨを表し、
Ｘが、Ｈ、ＯＨ、ＮＨ2、ＯＲ11ＯＨ、グリシジル、ヒドロキシプロピル、以下の基、
【００１５】
【化４】
2007524773.tif 000005
【００１６】
そして、下式：
【００１７】
【化５】
2007524773.tif 000006
【００１８】
｛但し、Ｒ10が直鎖であっても又は分岐していても良いＣ1〜Ｃ10アルキル、例えばメチル、エチル、ｎ−プロピル、ｉ−プロピル、ｎ−ブチル、ｉ−ブチル、ｓｅｃ−ブチル、ｔｅｒｔ−ブチル、ｎ−ペンチル、ｉ−ペンチル、ｓｅｃ−ペンチル、ネオペンチル、１，２−ジメチルプロピル、ｉ−アミル、ｎ−ヘキシル、ｉ−ヘキシル、ｓｅｃ−ヘキシル、ｎ−ヘプチル、ｎ−オクチル、２−エチルヘキシル、ｎ−ノニル、ｎ−デシル、好ましくは置換されていても良いＣ1〜Ｃ4アルキル、例えばメチル、エチル、ｎ−プロピル、ｉ−プロピル、ｎ−ブチル、ｉ−ブチル、ｓｅｃ−ブチル及びｔｅｒｔ−ブチル；置換されていても良いアリール、好ましくは置換されていても良いＣ6〜Ｃ10アリール、更に好ましくは置換されていても良いＣ6アリール、例えばフェニル又はトリルから選択される。｝
で表される基からなる群から選択され、
Ｒ11がＣ1〜Ｃ10アルキレン、例えばメチレン、エチレン、プロピレン、ブチレン、ペンチレン、ヘキシレン、ヘプチレン、オクチレン、ノニレン、デシレン、好ましくはＣ1〜Ｃ4アルキレン、例えばメチレン、エチレン、プロピレン、ブチレン；置換されていても良いアリーレン、好ましくは置換されていても良いＣ6〜Ｃ10アリーレン、更に好ましくは置換されていても良いＣ6アリーレン、例えばフェニレンから選択される。］
で表される成分Ｂ１Ｄとしての少なくとも１種のモノマー、最も好ましくは成分Ｂ１ＤにおいてＸがアセトアセチルを表し、
ｂ１ｅ）以下の成分：
ｂ１ｅ１）成分Ｂ１Ｅ１としての極性モノマー、好ましくは（メタ）アクリル酸ニトリル及び／又はメチル（メタ）アクリレート、及び／又は
ｂ１ｅ２）成分Ｂ１Ｅ２としての無極性モノマー、好ましくはスチレン及び／又はメチルスチレン
から選択される上述のモノマーと共重合可能な他のモノマー、
のエマルジョン重合により得られる成分Ｂ１としての少なくとも１種のアクリルバインダと、及び／又は
ｂ２）以下の各成分ｂ２ａ）〜ｂ２ｄ）：
ｂ２ａ）成分Ｂ２Ａとしての少なくとも１種のジイソシアネート又はポリイソシアネート、好ましくは脂肪族、脂環式、アリール脂肪族及び／又は芳香族イソシアネート、更に好ましくはジイソシアネート（必要によりビウレット化及び／又はイソシアヌレート化されていても良い。）、最も好ましくは１−イソシアナト−３，３，５−トリメチル−５−イソシアナトメチレンシクロヘキサン（ＩＰＤＩ）及びヘキサメチレンジイソシアネート−１，６（ＨＭＤＩ）、
ｂ２ｂ）成分Ｂ２Ｂとしての少なくとも１種のジオール、トリオール又はポリオール、好ましくは炭素原子数２〜１４、好ましくは４〜１０の脂肪族、脂環式及び／又はアリール脂肪族ジオール、更に好ましくは１，６−ヘキサンジオール又はネオペンチルグリコール、
ｂ２ｃ）必要により、成分Ｂ２Ｃとしての他の成分、好ましくはアジピン酸又はカルボニルジイミダゾール（ＣＤＩ）、及び
ｂ２ｄ）必要により、成分Ｂ２Ｄとしての他の添加剤、
の反応により得られる成分Ｂ２としての少なくとも１種のポリウレタンと、を含む混合物を含むことを特徴とする殺虫剤組成物を提供する。
【００１９】
本発明の殺虫剤組成物は、固体又は水性調製液の状態であっても良く、水性調製液であるのが好ましい。
【００２０】
本発明の殺虫剤組成物により、耐洗浄性を得られると共に、殺虫剤及び／又は防虫剤を制御された割合で連続放出可能となり、これにより殺虫剤及び／又は防虫剤の必要な生物学的利用能を得ることができる。本発明者等により、成分Ａ並びにＢ１Ａ、Ｂ１Ｂ及びＢ１Ｃ及び／又はＢ２を含む殺虫剤組成物により、極めて良好な耐洗浄性が得られると共に、殺虫剤及び／又は防虫剤を制御された割合で連続放出可能となることが見出された。更に、テキスタイル材料又はプラスチック材料に施される本発明の組成物を用いることによって、環境への殺虫剤の排出を低減する。
【００２１】
本願発明において、テキスタイル材料又はプラスチック材料は、ヤーン、繊維、織物、ニット製品、不織布、網製品（ネット製品）の材料、ホイル、防水シート及び被覆組成物からなる群から選択される。網製品の材料は、当該分野における公知の方法により、例えば輪編み又はワープニットか、或いは網（網製品）の一部を縫い合わせて所望の網製品を得ることによって製造可能である。
【００２２】
本発明の殺虫剤組成物は、殺虫剤組成物の質量に対して、一般に０．００１〜９５質量％、好ましくは０．１〜４５質量％、更に好ましくは０．５〜３０質量％の少なくとも１種の殺虫剤及び／又は防虫剤を含んでいる。
【００２３】
殺虫剤組成物は、組成物の固体含有量に対して、以下の成分：
ａ）０．１〜４５質量％、好ましくは０．５〜３０質量％、更に好ましくは１〜２５質量％の少なくとも１種の殺虫剤及び／又は少なくとも１種の防虫剤（成分Ａ）、
ｂ１）以下のｂ１ａ）〜ｂ１ｅ）を含む５５〜９９質量％、好ましくは７０〜９８質量％、更に好ましくは７５〜９０質量％の少なくとも１種の上述のアクリルバインダ（成分Ｂ１）、すなわち
ｂ１ａ）アクリルバインダに対して、１０〜９０質量％、好ましくは１５〜８０質量％、更に好ましくは２０〜７０質量％のｎ−ブチルアクリレート（成分Ｂ１Ａ）、
ｂ１ｂ）アクリルバインダに対して、１０〜９０質量％、好ましくは１２〜８５質量％、更に好ましくは１５〜６５質量％の少なくとも１種の式Ｉのモノマー（成分Ｂ１Ｂ）、
ｂ１ｃ）アクリルバインダに対して、１〜５質量％の少なくとも１種の式ＩＩのモノマー（成分Ｂ１Ｃ）、
ｂ１ｄ）アクリルバインダに対して、０〜５質量％、好ましくは１〜４質量％、更に好ましくは０．２〜３質量％の少なくとも１種の式ＩＩＩのモノマー（成分Ｂ１Ｄ）、
ｂ１ｅ）以下の成分：
ｂ１ｅ１）アクリルバインダに対して、０〜３０質量％、好ましくは０〜２５質量％、更に好ましくは５〜２０質量％の少なくとも１種の極性モノマー、好ましくは（メタ）アクリル酸ニトリル及び／又はメチル（メタ）アクリレート（成分Ｂ１Ｅ１）、及び／又は
ｂ１ｅ２）アクリルバインダに対して、０〜４０質量％、好ましくは０〜３０質量％、更に好ましくは５〜２０質量％の少なくとも１種の無極性モノマー、好ましくはスチレン及び／又はメチルスチレン（成分Ｂ１Ｅ２）、
から選択される上述のモノマーと共重合可能な他のモノマー（成分Ｂ１Ｅ）、及び／又は
ｂ２）以下のｂ２ａ）〜ｂ２ｄ）を含む５５〜９９質量％、好ましくは７０〜９８質量％、更に好ましくは７５〜９０質量％の少なくとも１種の上述のポリウレタン（成分Ｂ２）、すなわち
ｂ２ａ）ポリウレタンに対して、５５〜９９質量％、好ましくは７０〜９８質量％、更に好ましくは７５〜９０質量％の少なくとも１種のジイソシアネート又はポリイソシアネート（成分Ｂ２Ａ）、好ましくは脂肪族、脂環式、アリール脂肪族及び／又は芳香族イソシアネート、更に好ましくはジイソシアネート（必要によりビウレット化及び／又はイソシアヌレート化されていても良い。）、最も好ましくは１−イソシアナト−３，３，５−トリメチル−５−イソシアナトメチレンシクロヘキサン（ＩＰＤＩ）及びヘキサメチレンジイソシアネート−１，６（ＨＭＤＩ）、
ｂ２ｂ）ポリウレタンに対して、１０〜９０質量％、好ましくは１２〜８５質量％、更に好ましくは１５〜６５質量％の少なくとも１種のジオール、トリオール又はポリオール（成分Ｂ２Ｂ）、好ましくは炭素原子数２〜１４、好ましくは４〜１０の脂肪族、脂環式及び／又はアリール脂肪族ジオール、更に好ましくは１，６−ヘキサンジオール又はネオペンチルグリコール、
ｂ２ｃ）ポリウレタンに対して、０〜１０質量％、好ましくは０．１〜５質量％、更に好ましくは１〜５質量％の他の成分（成分Ｂ２Ｃ）、好ましくはアジピン酸又はカルボニルジイミダゾール（ＣＤＩ）、及び
ｂ２ｄ）ポリウレタンに対して、０〜１０質量％、好ましくは０．１〜５質量％、更に好ましくは０．５〜５質量％の他の添加剤（成分Ｂ２Ｄ）、
（但し、各成分の合計は、殺虫剤組成物の固体含有量に対して１００質量％となる。）
を含んでいるのが好ましい。
【００２４】
他の好ましい実施の形態において、殺虫剤組成物は、組成物の固体含有量に対して、以下の成分：
ａ）２０〜７０質量％、好ましくは２５〜６５質量％、更に好ましくは３０〜６５質量％の少なくとも１種の殺虫剤及び／又は少なくとも１種の防虫剤（成分Ａ）、
ｂ１）以下のｂ１ａ）〜ｂ１ｅ）を含む３０〜８０質量％、好ましくは３５〜７５質量％、更に好ましくは３５〜７０質量％の少なくとも１種の上述のアクリルバインダ（成分Ｂ１）、すなわち
ｂ１ａ）アクリルバインダに対して、１０〜９０質量％、好ましくは１５〜８５質量％、更に好ましくは３０〜８５質量％のｎ−ブチルアクリレート（成分Ｂ１Ａ）、
ｂ１ｂ）アクリルバインダに対して、１０〜９０質量％、好ましくは１２〜８５質量％、更に好ましくは１５〜６５質量％の少なくとも１種の式Ｉのモノマー（成分Ｂ１Ｂ）、
ｂ１ｃ）アクリルバインダに対して、１〜５質量％の少なくとも１種の式ＩＩのモノマー（成分Ｂ１Ｃ）、
ｂ１ｄ）アクリルバインダに対して、０〜５質量％、好ましくは０．１〜４質量％、更に好ましくは０．２〜３質量％の少なくとも１種の式ＩＩＩのモノマー（成分Ｂ１Ｄ）、
ｂ１ｅ）以下の成分：
ｂ１ｅ１）アクリルバインダに対して、０〜３０質量％、好ましくは０〜２５質量％、更に好ましくは５〜２０質量％の少なくとも１種の極性モノマー、好ましくは（メタ）アクリル酸ニトリル及び／又はメチル（メタ）アクリレート（成分Ｂ１Ｅ１）、及び／又は
ｂ１ｅ２）アクリルバインダに対して、０〜４０質量％、好ましくは０〜３０質量％、更に好ましくは５〜２０質量％の少なくとも１種の無極性モノマー、好ましくはスチレン及び／又はメチルスチレン（成分Ｂ１Ｅ２）、
から選択される上述のモノマーと共重合可能な他のモノマー（成分Ｂ１Ｅ）、及び／又は
ｂ２）以下のｂ２ａ）〜ｂ２ｄ）を含む３０〜８０質量％、好ましくは３５〜７５質量％、更に好ましくは３５〜７０質量％の少なくとも１種の上述のポリウレタン（成分Ｂ２）、すなわち
ｂ２ａ）ポリウレタンに対して、５５〜９９質量％、好ましくは７０〜９８質量％、更に好ましくは７５〜９０質量％の少なくとも１種のジイソシアネート又はポリイソシアネート（成分Ｂ２Ａ）、好ましくは脂肪族、脂環式、アリール脂肪族及び／又は芳香族イソシアネート、更に好ましくはジイソシアネート（必要によりビウレット化及び／又はイソシアヌレート化されていても良い。）、最も好ましくは１−イソシアナト−３，３，５−トリメチル−５−イソシアナトメチレンシクロヘキサン（ＩＰＤＩ）及びヘキサメチレンジイソシアネート−１，６（ＨＭＤＩ）、
ｂ２ｂ）ポリウレタンに対して、１０〜９０質量％、好ましくは１２〜８５質量％、更に好ましくは１５〜６５質量％の少なくとも１種のジオール、トリオール又はポリオール（成分Ｂ２Ｂ）、好ましくは炭素原子数２〜１４、好ましくは４〜１０の脂肪族、脂環式及び／又はアリール脂肪族ジオール、更に好ましくは１，６−ヘキサンジオール又はネオペンチルグリコール、
ｂ２ｃ）ポリウレタンに対して、０〜１０質量％、好ましくは０．１〜５質量％、更に好ましくは１〜５質量％の他の成分（成分Ｂ２Ｃ）、好ましくはアジピン酸又はカルボニルジイミダゾール（ＣＤＩ）、及び
ｂ２ｄ）ポリウレタンに対して、０〜１０質量％、好ましくは０．１〜５質量％、更に好ましくは０．５〜５質量％の他の添加剤（成分Ｂ２Ｄ）、
（但し、各成分の合計は、殺虫剤組成物の固体含有量に対して１００質量％となる。）
を含んでいる。
【００２５】
本発明の目的は、種々の害虫、例えばダニ、ゴキブリ、トコジラミ、ダニ類、ノミ、シラミ、ヒル、イエバエ、蚊、シロアリ、アリ、蛾、クモ、バッタ、コオロギ、シミ、更にこれらの幼虫及び卵の形のもの、そして他の飛ぶ昆虫及び這って動く昆虫、また軟体動物類、例えばカタツムリ及びナメクジ、そして齧歯類、例えばラット及びネズミ並びに菌類、例えば水虫を引き起こす菌類を防除（制御）することにある。
【００２６】
テキスタイル材料又はプラスチック材料は、種々の天然及び合成繊維から作製されていても良く、更に、織布又は不織布の形のテキスタイルブレンドとして、ニット製品、ヤーン又は繊維として作製されていても良い。天然繊維は、例えば綿、ウール、絹、黄麻又はハンプ（hamp）である。合成繊維は、例えばポリアミド、ポリエステル、ポリアクリルニトリル、ポリオレフィン、例えばポリプロピレン若しくはポリエチレン、テフロン（登録商標）、そして繊維の混合物、例えば合成繊維と天然繊維の混合物である。ポリアミド、ポリオレフィン及びポリエステルが好ましい。ポリエチレンテレフタレートが特に好ましい。
【００２７】
本発明によると、テキスタイル材料又はプラスチック材料なる用語は、非テキスタイル物質、例えば被膜組成物、革、革の合成適合品、フロック加工の織物、敷布、ホイル及び充填材料についても開示している。
【００２８】
ポリエステル、特にポリエチレンテレフタレートから作製されたネット製品が最も好ましい。
【００２９】
テキスタイル材料又はプラスチック材料は、カバーの形、例えば寝具、マットレス、ピロー、キルト、クッション、カーテン、壁紙、敷物材料並びに窓、食器棚及びドアの網（網戸）であっても良い。他の一般的なテキスタイル材料又はプラスチック材料は、ジオテキスタイル、テント、靴の中底、衣類、例えばソックス、ズボン、シャツであり、すなわち好ましくは衣類、例えば、虫刺され等に晒される体面積に用いられるユニフォーム並びに馬用の毛布である。ネット製品は、例えば蚊帳等の虫除けネットとして、或いは農業及びブドウ栽培でのカバーに又はネットとして用いられる。他の用途は、人間及び動物を空気感染の低空飛行昆虫から保護するための可動フェンスである。織物又は網は、パッケージ、包装用の布袋、食料、種子及び飼料用の容器に使用されるので、材料を昆虫の攻撃から保護することができるが、殺虫剤処理された網又は織物との直接的接触を回避することができる。
【００３０】
処理されたホイル又は防水シートは、難民キャンプ等の永続的に又は一時的に居住する全ての人間の家屋に対して使用され得る。
【００３１】
更に、処理された網製品を、土壁を有する住居に用いることも可能である。処理された網製品を、新鮮な、湿った土壁内に乾燥前に押し込む。泥は、網の細孔にしみ出るだろうが、網のヤーンは、被覆されないであろう。この壁の覆いを乾燥させた場合、処理された網の殺虫剤及び／又は防虫剤がゆっくり放出され、そして壁に接触する害虫を撃退又は殺傷可能となる。
【００３２】
本発明の殺虫剤組成物は、蚊帳で用いられるようなポリエステル製の網製品に施すのが特に好適である。
【００３３】
本発明の殺虫剤組成物を、テキスタイル材料又はプラスチック材料に、これらが所望の製品に形成される前に施しても良い、すなわち、依然としてヤーン又はシートの形の間に、又は所望の製品の形成後に施しても良い。
【００３４】
［殺虫剤及び／又は防虫剤］（成分Ａ）
本発明によれば、殺虫剤及び／又は防虫剤なる用語は、殺虫剤及び／又は防虫剤の他に、殺鼠剤、殺菌剤、ムロシサイド、殺幼虫剤及び殺卵剤についても開示している。
【００３５】
殺虫剤及び／又は防虫剤は、昆虫を早期に麻痺又は殺傷する作用を有し、そして哺乳類の毒性度の極めて低い殺虫剤及び／又は防虫剤であるのが好ましい。好適な殺虫剤及び／又は防虫剤は、当業者等により知られている。好適な殺虫剤及び防虫剤並びに好適な投薬量は、例えば、世界健康機関のウエブサイト（http://www.who.int/whopes/recommendations/en/）、特にDr. J. A. Najera & Dr. M. Zaimによって"Malaria Vector Control"、"Insecticides for Indoor Residual Spraying"に記載されている。
【００３６】
好ましい殺虫剤及び／又は防虫剤は、以下の通りである：
ピレスロイド化合物、例えば
エトフェンプロックス（Etofenprox）：２−（４−エトキシフェニル）−２−メチルプロピル−３−フェノキシベンジルエーテル、
クロロフェナピル（Chlorfenapyr）：４−ブロモ−２−（４−クロロフェニル）−１−エトキシメチル−５−（トリフルオロメチル）ピロール−３−カルボニトリル、
フェンバレレート（Fenvalerate）：（ＲＳ）−α−シアノ−３−フェノキシベンジル（ＲＳ）−２−（４−クロロフェニル）−３メチルブチレート、
エスフェンバレレート（Esfenvalerate）：（Ｓ）−α−シアノ−３−フェノキシベンジル（Ｓ）−２−（４−クロロフェニル）−３−メチルブチレート、
フェンプロパトリン（Fenpropathrin）：（ＲＳ）−α−シアノ−３−フェノキシベンジル２，２，３，３−テトラメチルシクロプロパンカルボキシレート、
シペルメトリン（Cypermethrin）：（ＲＳ）−α−シアノ−３−フェノキシベンジル（１ＲＳ）−ｃｉｓ，ｔｒａｎｓ−３−（２，２−ジクロロビニル）−２，２−ジメチルシクロプロパンカルボキシレート、
α−シペルメトリン：（Ｓ）−α−（１Ｒ）と（Ｒ）−α−（１Ｓ）のジアステレオマーを含むラセミ化合物、
ペルメトリン（Permethrin）：３−フェノキシベンジル（１ＲＳ）−ｃｉｓ，ｔｒａｎｓ−３−（２，２−ジクロロビニル）−２，２−ジメチルシクロプロパンカルボキシレート、
シハロトリン（Cyhalothrin）：（ＲＳ）−α−シアノ−３−フェノキシベンジル（Ｚ）−（１ＲＳ）−ｃｉｓ−３−（２−クロロ−３，３，３−トリフルオロプロパ−１−エニル）−２，２−ジメチルシクロプロパンカルボキシレート、
λ−シハロトリン、
デルタメトリン（Deltamethrin）：（Ｓ）−α−シアノ−３−フェノキシベンジル（１Ｒ）−ｃｉｓ−３−（２，２−ジブロモビニル）−２，２−ジメチルシクロプロパンカルボキシレート、
シクロプロトリン（Cycloprothrin）：（ＲＳ）−α−シアノ−３−フェノキシベンジル（ＲＳ）−２，２−ジクロロ−１−（４−エトキシフェニル）シクロプロパンカルボキシレート、
フルバリネート（Fluvalinate）：α−シアノ−３−フェノキシベンジルＮ−（２−クロロ−α、α、α、α−トリフルオロ−ｐ−トリル）−Ｄ−バリネート、
ビフェントリン（Bifenthrin）：（２−メチルビフェニル−３−イルメチル）０（Ｚ）−（１ＲＳ）−ｃｉｓ−３−（２−クロロ−３，３，３−トリフルオロ−１−プロペニル）−２，２−ジメチルシクロプロパンカルボキシレート、
２−メチル−２−（４−ブロモジフルオロメトキシフェニル）プロピル（３−フェノキシベンジル）エーテル、
トラロメトリン（Tralomethrin）：（Ｓ）−α−シアノ−３−フェノキシベンジル（１Ｒ−ｃｉｓ）３（（１’ＲＳ）（１’、２’、２’、２’−テトラブロモエチル））−２，２−ジメチルシクロプロパンカルボキシレート、
【００３７】
シラフルオフェン（Silafluofen）：４−エトキシフェニル（３−（４−フルオロ−３−フェノキシフェニル）プロピル）ジメチルシラン、
Ｄ−フェノトリン（D-fenothrin）：３−フェノキシベンジル（１Ｒ）−ｃｉｓ，ｔｒａｎｓ−クリサンセメート、
シフェノトリン（Cyphenothrin）：（ＲＳ）−α−シアノ−３−フェノキシベンジル（１Ｒ−ｃｉｓ，ｔｒａｎｓ）−クリサンセメート、
Ｄ−レスメトリン（D-resmethrin）：５−ベンジル−３−フリルメチル（１Ｒ−ｃｉｓ，ｔｒａｎｓ）クリサンセメート、
アクリナトリン（Acrinathrin）：（Ｓ）−α−シアノ−３−フェノキシベンジル（１Ｒ−ｃｉｓ（Ｚ））−（２，２−ジメチル−３−（オキソ−３−（１，１，１，３，３，３−ヘキサフルオロプロピルオキシ）プロペニル）シクロプロパンカルボキシレート、
シフルトリン（Cyfluthrin）：（ＲＳ）−α−シアノ−４−フルオロ−３−フェノキシベンジル３−（２，２−ジクロロビニル）−２，２−ジメチルシクロプロパンカルボキシレート、
テフルトリン（Tefluthrin）：２，３，５，６−テトラフルオロ−４−メチルベンジル（１ＲＳ−ｃｉｓ（Ｚ））−３−（２−クロロ−３，３，３−トリフルオロプロパ−１−エニル）−２，２−ジメチルシクロプロパンカルボキシレート、
トランスフルトリン（Transfluthrin）：２，３，５，６−テトラフルオロベンジル（１Ｒ−ｔｒａｎｓ）−３−（２，２−ジクロロビニル）−２，２−ジメチルシクロプロパンカルボキシレート、
テトラメトリン（Tetramethrin）：３，４，５，６−テトラヒドロフタルイミドメチル（１ＲＳ）−ｃｉｓ、ｔｒａｎｓ−クリサンセメート、
アレトリン（Allethrin）：（ＲＳ）−３−アリル−２−メチル−４−オキソシクロペンタ−２−エニル（１ＲＳ）−ｃｉｓ、ｔｒａｎｓ−クリサンセメート、
プラレトリン（Prallethrin）：（Ｓ）−２−メチル−４−オキソ−３−（２−プロピニル）シクロペンタ−２−エニル（１ＲＳ）−ｃｉｓ、ｔｒａｎｓ−クリサンセメート、
エンペントリン（Empenthrin）：（ＲＳ）−１−エチニル−２−メチル−２−ペンテニル（１Ｒ）−ｃｉｓ、ｔｒａｎｓ−クリサンセメート、
イミプロトリン（Imiprothrin）：２，５−ジオキソ−３−（プロパ−２−イニル）イミダゾリジン−１−イルメチル（１Ｒ）−ｃｉｓ、ｔｒａｎｓ−２，２−ジメチル−３−（２−メチル−１−プロペニル）シクロプロパンカルボキシレート、
Ｄ−フラメトリン（D-flamethrin）：５−（２−プロピニル）フルフリル（１Ｒ）−ｃｉｓ、ｔｒａｎｓ−クリサンセメート、及び５−（２−プロピニル）フルフリル２，２，３，３−テトラメチルシクロプロパンカルボキシレート、
ピリプロキシフェン（Pyriproxyfen）：４−フェノキシフェニル（ＲＳ）−２−（２−ピリジルオキシ）プロピルエーテル、
ピレスルム（Pyrethrum）、
ｄ−ｄ、ｔｒａｎｓ−シフェノトリン（d-d, trans-Cyphenothrin）：（ＲＳ）−α−シアノ−３−フェノキシベンジル（１ＲＳ，３ＲＳ；１ＲＳ，３ＳＲ）−２，２−ジメチル−３−（２−メチルプロパ−１−エニル）シクロプロパンカルボキシレート、
ＤＤＴ；
カルバメート化合物、例えば
アラニカルブ（Alanycarb）：Ｓ−メチル−Ｎ［［Ｎ−メチル−Ｎ−［Ｎ−ベンジル−Ｎ（２−エトキシカルボニルエチル）アミノチオ］カルバモイル］チオアセトイミデート、
ベンジオカルブ（Bendiocarb）：２，２−ジメチル−１，３−ベンゾジオキソール−４−イル−メチルカルバメート、
カルバリル（１−ナフチル）Ｎ−メチルカルバメート、
【００３８】
イソプロカルブ（Isoprocarb）：２−（１−メチルエチル）フェニルメチルカルバメート、
カルボスルファン（Carbosulfan）：２，３−ジヒドロ−２，２−ジメチル−７−ベンゾフラニル［（ジブチルアミノ）チオ］メチルカルバメート、
フェノキシカルブ（Fenoxycarb）：エチル［２−（４−フェノキシフェノキシ）エチル］カルバメート、
インドキサカルブ（Indoxacarb）：メチル−７−クロロ−２，２，３，４，５−テトラヒドロ−２−［メトキシカルボニル（４−トリフルオロメトキシフェニル）］、
プロポキスル（Propoxur）：２−イソプロピルオキシフェノールメチルカルバメート、
ピリミカルブ（Pirimicarb）：２−ジメチルアミノ−５，６−ジメチル−４−ピリミジニル−ジメチルカルバメート、
チオジオカルブ（Thiodiocarb）：ジメチルＮ，Ｎ’（チオビス（メチルイミノ）カルボノイルオキシ）ビスエタンイミジオチオエート、
メソミル（Methomyl）：Ｓ−メチルＮ−（（メチルカルバモイル）オキシ）チオアセトアミデート、
エチオフェンカルブ（Ethiofencarb）：２−（（エチルチオ）メチル）フェニルメチルカルバメート、
フェノチオカルブ（Fenothiocarb）：Ｓ−（４−フェノキシブチル）−Ｎ，Ｎ−ジメチルチオカルバメート、
カルタップ（Cartap）：Ｓ，Ｓ’−（２，５−ジメチルアミノ）トリメチレン）ビス（チオカルバメート）ヒドロクロリド、
フェノブカルブ（Fenobucarb）：２−ｓｅｃ−ブチルフェニルメチルカルバメート、
ＸＭＣ：３，５−ジメチルフェニル−メチルカルバメート、
キシリルカルブ（Xylylcarb）：３，４−ジメチルフェニルメチルカルバメート；
有機リン化合物、例えば
トリクロルフォン（Trichlorfon）：リン酸（２，２，２−トリクロロ−１−ヒドロキシエチル）ジメチルエスエル、
フェニトロチオン（Fenitrothion）：Ｏ，Ｏ−ジメチルＯ−（４−ニトロ−ｍ−トリル）ホスホロチオエート、
ジアジノン（Diazinon）：Ｏ，Ｏ−ジエチル−Ｏ−（２−イソプロピル−６−メチル−４−ピリミジニル）ホスホロチオエート、
ピリダフェンチオン（Pyridaphenthion）：Ｏ−（１，６−ジヒドロ−６−オキソ−１−フェニルピラジジン−３−イル）Ｏ，Ｏ−ジエチルホスホロチオエート、
ピリミホス−エチル（Pirimiphos-Etyl）：Ｏ，Ｏ−ジエチルＯ−（２−（ジエチルアミノ）６−メチルピリミジニル）ホスホロチオエート、
ピリミホス−メチル（Pirimiphos-Methyl）：Ｏ−［２−（ジエチルアミノ）−６−メチル−４−ピリミジニル］Ｏ，Ｏ−ジメチルホスホロチオエート、
エトリムホス（Etrimphos）：Ｏ−６−エトキシ−２−エチル−ピリミジン−４−イル−Ｏ，Ｏ−ジメチル−ホスホロチオエート、
フェンチオン（Fenthion）：Ｏ，Ｏ−ジメチル−Ｏ−［３−メチル−４−（メチルチオ）フェニル］ホスホロチオエート、
ホキシム（Phoxim）：２−（ジエトキシホスフィノトイルオキシイミノ）−２−フェニルアセトニトリル、
クロルピリフォス（Chlorpyrifos）：Ｏ，Ｏ−ジエチル−Ｏ−（３，５，６−トリクロロ−２−ピリニル）ホスホロチオエート、
クロルピリホスメチル（Chlorpyriphosmethyl）：Ｏ，Ｏ−ジメチルＯ−（３，５，６−トリクロロ−２−ピリジニル）ホスホロチオエート、
シアノホス（Cyanophos）：Ｏ，Ｏ−ジメチルＯ−（４−シアノフェニル）ホスホロチオエート、
【００３９】
ピラクロフォス（Pyraclofos）：（Ｒ，Ｓ）［４−クロロフェニル）−ピラゾール−４−イル］−Ｏ−エチル−Ｓ−ｎ−プロピルホスホロチオエート、
アセフェート（Acephate）：Ｏ，Ｓ−ジメチルアセチルホスホロアミドチオエート、
アザメチホス（Azamethiphos）：Ｓ−（６−クロロ−２，３−ジヒドロ−オキソ−１，３−オキサゾロ［４，５−ｂ］ピリジン−３−イルメチルホスホロチオエート、
マラチオン（Malathion）：ジエチルメルカプトスクシネートのＯ，Ｏ−ジメチルホスホロジチオエートエステル、
テメホス（Temephos）：（Ｏ，Ｏ’（チオジ−４−１−フェニレン））Ｏ，Ｏ，Ｏ，Ｏ−テトラメチルホスホロジチオエート、
ジメトエート（Dimethoate）：（（Ｏ，Ｏ−ジメチルＳ−（ｎ−メチルカルバモイルエチル）ホスホロジチオエート、
フォルモチオン（Formothion）：Ｓ［２−ホルミルメチルアミノ］−２−オキソエチル−Ｏ，Ｏ−ジメチルホスホロジチオエート、
フェントエート（Phenthoate）：Ｏ，Ｏ−ジメチルＳ−（α−エトキシカルボニルベンザール）ホスホロジチオエート、
ロドフェンホス（Lodofenphos）：Ｏ−（２，５−ジクロロ−４−ヨードフェニル）−Ｏ，Ｏ−ジメチルホスホロチオエート；
成虫の蚊に対する殺菌効果を有する殺虫剤、例えば
１−（α−（クロロ−α−シクロプロピルベンジリデンアミノ−オキシ）−ｐ−トリル）−３−（２，６−ジフルオロベンゾイル）尿素、
ジフルベンズロン（Diflubenzuron）：Ｎ−（（（３，５−ジクロロ−４−（１，１，２，２−テトラフルオロエトキシ）フェニルアミノ）カルボニル）２，６−ジフルオロベンズアミド、
トリフルムロン（Triflumuron）：２−クロロ−Ｎ−（（（４−（トリフルオロメトキシ）フェニル）−アミノ−）カルボニル）ベンズアミド、又はトリアジン、例えばＮ−シクロプロピル−１，３，５−トリアジン−２，４，６−トリアミン；及び
ラムダシハオトリン（Lambda-cyhalothrine）：（Ｚ）−（１Ｒ，３Ｒ），Ｒ−エステルと（Ｚ）−（１Ｓ，３Ｓ），Ｓ−エステルとの１：１混合物としてのα−シアノ−３−フェノキシベンジル−３−（２−クロロ−３，３，３−トリフルオロプロパ−１−エニル）−２，２−ジメチルシクロプロパンカルボキシレート；
から選択され、
【００４０】
防虫剤は、
Ｎ，Ｎ−ジメチル−ｍ−トルアミド（ＤＥＥＴ）、
Ｎ，Ｎ−ジエチルフェニルアセトアミド（ＤＥＰＡ）、
１−（３−シクロヘキサン−１−イルカルボニル）−２−メチルピペリン、
（２−ヒドロキシメチルシクロヘキシル）酢酸ラクトン、
２−エチル−１，３−ヘキサンジオール、
インダロン、
メチルネオデカンアミド（ＭＮＤＡ）、
昆虫の防除に使用されないピレスロイド、例えば｛（＋／−）−３−アリル−２−メチル−４−オキソシクロペンタ−２−（＋）−エニル−（＋）−ｔｒａｎｓ−クリサンセメート｝（エスビオトリン（Esbiothrin））、
植物の抽出物から誘導されるか、又は植物の抽出物と同一の防虫剤、例えばリモネン、オイゲノール、（＋）−オイカマロル（１）（Eucamalol(1)）、（−）−１−エピオイカマロール又は植物から得られる粗な植物抽出物、例えばユーカリプツスマクラタ（Eucalyptus maculata）、ビテックスロツンジフォリア（Vitex rotundifolia）、シンボポガンマルチニ（Cymbopogan martinii）、シンボポガンシトラツス（Cymbopogan citratus）（レモングラス）、シモポガンナルトヅス（Cymopogan nartdus）（シトロネラソウ）、ＩＲ３５３５（エチルブチルアセチルアミノプロピオネート）、イカリジン（icaridin）（１−ピペリジンカルボン酸２−（２−ヒドロキシエチル）−１−メチルプロピルエステル）；
好適なムロシサイド（mulloscicide）としてのニクロサミド（niclosamide）；
第１世代の抗凝固性殺鼠剤としてのヴァルファリン（warfarin）、クロルファシノン（chlorphacinone）、コウマテトラリル（coumatetralyl）、及び第２世代の抗凝固性殺鼠剤としてのフロコウマフェン（flocoumafen）、ブロジファコウム（brodifacoum）、ジフェナコウム（difenacoum）、ブロマジアロン（bromadialone）、ジフェチアロン（difethialone）及びブロメタリン（bromethalin）から選択される第１世代の抗凝固性殺鼠剤と第２世代の抗凝固性殺鼠剤の殺鼠剤；
【００４１】
水虫の場合に用いられる抗真菌薬であり、以下の群から選択される殺菌剤：
クロトリマゾール（clotrimazole）：１−（２−クロロトリチル）イミダゾール、
ミコナゾール（miconazole）：１−［２−（２，４−ジクロロフェニル）−２−［（２，４−ジクロロフェニル）メトキシ］エトキシ］−１Ｈ−イミダゾール、
エコナゾール（econazole）：４−［２−［（４−クロロフェニル）メトキシ］−２−（２，４−ジクロロフェニル）エチル］−４Ｈ−イミダゾール、
チオコナゾール（tioconazole）：１−［２−［（２−クロロ−３−チエニル）メトキシ］−２−（２，４−ジクロロフェニル）エチル］−１Ｈ−イミダゾール、
ウンデシレン酸、
テルビナフィン（terbinafine）ヒドロクロリド：Ｎ，６，６−トリメチル−Ｎ−（ナフタレン−４−イルメチル）ヘプタ−２−エン−４−イン−１−アミンヒドロクロリド（ラミシルトピカル（lamisil topical））、及び
トルナフテート（tolnaftate）：Ｎ−メチル−Ｎ−（ｍ−トリル）−１−ナフタレン−３−イルオキシチオホルムアミド；
以下の他の殺菌剤、
アゾール、例えばビテルタノール（Bitertanol）、ブロモコナゾール（Bromoconazol）、シプロコナゾール（Cyproconazol）、ジフェノコナゾール（Difenoconazole）、ジニトロコナゾール（Dinitroconazol）、エポキシコナゾール（Epoxiconazol）、フェンブコナゾール（Fenbuconazol）、フルキコナゾール（Fluquiconazol）、フルシラゾール（Flusilazol）、フルトリアフォール（Flutriafol）、ヘキサコナゾール（Hexaconazol）、イマザリル（Imazalil）、イプコナゾール（Ipconazol）、メトコナゾール（Metconazol）、マイクロブタニル（Myclobutanil）、ペンコナゾール（Penconazol）、プロピコナゾール（Propiconazol）、プロクロラゾ（Prochloraz）、プロチオコナゾール（Prothioconazol）、シメコナゾール（Simeconazol）、テブコナゾール（Tebuconazol）、テトラコナゾール（Tetraconazol）、トリアジメフォン（Triadimefon）、トリアジメノール（Triadimenol）、トリフルミゾール（Triflumizol）、トリチコナゾール（Triticonazol）、
ストロビルリン（Strobilurine）、例えばアゾキシストロビン（Azoxystrobin）、ジモキシストロビン（Dimoxystrobin）、フルオキサストロビン（Fluoxastrobin）、クレソキシム−メチル（Kresoxim-methyl）、メトミノストロビン（Metominostrobin）、オリサストロビン（Orysastrobin）、ピコキシストロビン（Picoxystrobin）、ピラクロストロビン（Pyraclostrobin）、トリフロキシストロビン（Trifloxystrobin）、
アシルアラニン（Acylalanine）、例えばベナラキシル（Benalaxyl）、メタラキシル（Metalaxyl）、メフェノキサム（Mefenoxam）、オフラセ（Ofurace）、オキサジキシル（Oxadixyl）、
アミン誘導体、例えばアルジモルフ（Aldimorph）、ドジン（Dodine）、ドデモルフ（Dodemorph）、フェンプロピモルフ（Fenpropimorph）、フェンプロピジン（Fenpropidin）、グアザチン（Guazatine）、イミノクタジン（Iminoctadine）、スピロキサミン（Spiroxamin）、トリデモルフ（Tridemorph）、
アニリノピリミジン（Anilinopyrimidine）、例えばピリメタニル（Pyrimethanil）、メパニピリム（Mepanipyrim）、シプロジニル（Cyprodinil）、
ジカルボキシイミド、例えばイプロジオン（Iprodion）、マイクロゾリン（Myclozolin）、プロシミドン（Procymidon）、ビンクロゾリン（Vinclozolin）、
桂皮酸アミド及び類似物、例えばジメトモルフ（Dimethomorph）、フルメトバー（Flumetover）又はフルモルフ（Flumorph）、
【００４２】
抗生物剤、例えばシクロヘキシミド（Cycloheximid）、グリセオフルビン（Griseofulvin）、カスガマイシン（Kasugamycin）、ナタマイシン（Natamycin）、ポリオキイン（Polyoxin）又はストレプトマイシン（Streptomycin）、
ジチオカルバメート、例えばフェルバム（Ferbam）、ナバム（Nabam）、マネブ（Maneb）、マンコゼブ（Mancozeb）、メタム（Metam）、メチラム（Metiram）、プロピネブ（Propineb）、ポリカルバマト（Polycarbamat）、チラム（Thiram）、ジラム（Ziram）、ジネブ（Zineb）、
複素環式化合物、例えばアニラジン（Anilazin）、ベノマイル（Benomyl）、ボスカリド（Boscalid）、カルベンダジム（Carbendazim）、カルボキン（Carboxin）、オキシカルボキシン（Oxycarboxin）、シアゾファミド（Cyazofamid）、ダゾメト（Dazomet）、ジチアノン（Dithianon）、ファモキサドン（Famoxadon）、フェナミドン（Fenamidon）、フェナリモル（Fenarimol）、フベリダゾール（Fuberidazol）、フルトラニル（Flutolanil）、フラメトピル（Furametpyr）、イソプロチオラン（Isoprothiolan）、メプロニル（Mepronil）、ヌアリモル（Nuarimol）、ピコベンズアミド（Picobenzamid）、プロベンアゾール（Probenazol）、プロキナジド（Proquinazid）、ピリフェノックス（Pyrifenox）、ピロキロン（Pyroquilon）、キノキシフェン（Quinoxyfen）、シルチオファム（Silthiofam）、チアベンダゾール（Thiabendazol）、チフルザミド（Thifluzamid）、チオファナトメチル（Thiophanat methyl）、チアジニル（Tiadinil）、トリシクラゾール（Tricyclazol）、トリフォリン（Triforine）、Mアノルガニカ（M Anorganika）、
ニトロフェニル誘導体、例えばビナパクリル（Binapacryl）、ジノキャプ（Dinocap）、ジノブトン（Dinobuton）、ニトロフタル−イソプロピル、
フェニルピロール、例えばフェンピクロニル（Fenpiclonil）、フルジオキソニル（Fludioxonil）、
スルホン酸誘導体、例えばキャプタフォル（Captafol）、キャプタン（Captan）、ジクロフルアニド（Dichlofluanid）、フォルペト（Folpet）、トリルフルアニド（Tolyfluanid）、
他の殺菌剤、例えばアシベンゾラル（Acibenzolar）−Ｓ−メチル、ベンチアバリカルブ（Benthiavalicarb）、キャルプロパミド（Carpropamid）、クロロタロニル（Chlorothalonil）、シフルフェナミド（Cyflufenamid）、シモキサニル（Cymoxanil）、ダゾメト（Dazomet）、ジクロメジン（Diclomezin）、ジクロシメト（Diclocymet）、ジクロフルアニド（Diclofluanid）、ジエトフェンカルブ（Diethofencarb）、エジフェンホス（Edifenphos）、エタボキサム（Ethaboxam）、フェンヘキサミド（Fenhexamid）、フェン錫−アセタト（Fentin-Acetat）、フェノキサニル（Fenoxanil）、フェリムゾン（Ferimzone）、フルアジナム（Fluazinam）、フォセチル（Fosetyl）、フォセチル−アルミニウム、亜リン酸、イプロバリカルブ（Iprovalicarb）、ヘキサクロルベンゾール（Hexachlorbenzol）、メトラフェノン（Metrafenon）、ペンシキュロン（Pencycuron）、プロパモカルブ（Propamocarb）、フタリド（Phthalid）、トロクロフォス−メチル（Toloclofos-methyl）、キントゼン（Quintozene）、ゾキサミド（Zoxamid）から選択される。
【００４３】
本発明の殺虫剤組成物における好ましい殺虫剤及び／又は防虫剤は、単一の殺虫剤及び／又は防虫剤であっても、或いは織物材料又は網製品に施すのに好適な殺虫剤及び／又は防虫剤からなる群から選択される殺虫剤及び防虫剤の混合物であっても良い。殺虫剤及び／又は防虫剤の好ましい混合物は、同様の放散／移行性を有する殺虫剤及び／又は防虫剤の混合物である。かかる群の殺虫剤及び／又は防虫剤としては、合成ピレスロイド、例えばα−シペルメトリン、シフルトリン、デルタメトリン、エトフェンプロックス及びペルメトリンとして当該分野で知られているピレスロイド、他のピロスレイド（pyrothreid）、例えばビフェンスリンとして当該分野で知られているもの、及び非ピレスロイド、例えばカルボスルファンとして当該分野で知られているものである。
【００４４】
上述の殺虫剤及び／又は防虫剤が分子中に１個以上のキラル中心を有している場合、ラセミ化合物、純粋なエナンチオマー又はジアステレオマーとして、或いはキラル性又はジアステレオマー性の高い混合物で施されても良い。
【００４５】
本発明で記載されている殺虫剤及び／又は防虫剤は、水を基礎とする殺虫剤及び／又は防虫剤の濃縮物或いは溶剤、好ましくは有機溶剤を基礎とする殺虫剤及び／又は防虫剤の濃縮物或いは水と溶剤、好ましくは有機溶剤の混合物を基礎とする濃縮物のいずれかとして殺虫剤組成物に含まれていても良い。水を基礎とする濃縮物は、必要により好適な分散剤を含んでいる懸濁液又は分散液の形で、或いは乳化剤、溶剤及び適宜、共溶剤（co-solvent）を含むエマルジョンの形であっても良い。ナノパティキュラー（nanoparticular）な殺虫剤調製液は、殺虫剤の固体溶液を有機極性溶剤、例えばポリビニルピロリドン（ＰＶＰ）に溶解させることによって得ることができる。水を基礎又は溶剤基礎濃縮物における殺虫剤及び／又は防虫剤の濃度は、一般に０．５〜６０質量％の範囲であり、１〜４０質量％の範囲が好ましく、更に好ましくは３〜２０質量％の範囲である。
【００４６】
本発明の殺虫剤組成物の一部を形成する殺虫剤及び／又は防虫剤は、異なる用途に用いるのに好適な他の群から選択されても良い。
【００４７】
水基礎懸濁液又は分散液中の殺虫剤及び／又は防虫剤の粒径は、５０ｎｍ〜２０μｍの範囲、好ましくは５０ｎｍ〜８μｍの範囲、更に好ましくは５０ｎｍ〜４μｍの範囲、もっとも好ましくは５０ｎｍ〜５００ｎｍの範囲である。
【００４８】
［アクリルバインダ］（成分Ｂ１）
アクリルバインダは、以下の成分：
ｂ１ａ）１０〜９０質量％、好ましくは１５〜８０質量％、更に好ましくは２０〜７０質量％の成分Ｂ１Ａ、
ｂ１ｂ）１０〜９０質量％、好ましくは１２〜８５質量％、更に好ましくは１５〜６５質量％の成分Ｂ１Ｂ、
ｂ１ｃ）１〜５質量％の成分Ｂ１Ｃ、
ｂ１ｄ）０〜５質量％、好ましくは１〜４質量％、更に好ましくは０．２〜３質量％の成分Ｂ１Ｄ、
ｂ１ｅ）以下の成分：
ｂ１ｅ１）０〜３０質量％、好ましくは０〜２５質量％、更に好ましくは５〜２０質量％の成分Ｂ１Ｅ１、及び／又は
ｂ１ｅ２）０〜４０質量％、好ましくは０〜３０質量％、更に好ましくは５〜２０質量％の成分Ｂ１Ｅ２、
から選択される上述のモノマーと共重合可能な他のモノマー、
（但し、成分Ｂ１Ａ、Ｂ１Ｂ、Ｂ１Ｃ及び必要によりＢ１Ｄ、Ｂ１Ｅの合計が１００質量％となる。）
のエマルジョン重合により得るのが好ましい。
【００４９】
他の好ましい実施の形態において、アクリルバインダは、以下の成分：
ｂ１）以下のｂ１ａ）〜ｂ１ｅ）を含む３０〜８０質量％、好ましくは３５〜７５質量％、更に好ましくは３５〜７０質量％の少なくとも１種の上述のアクリルバインダ（成分Ｂ１）、すなわち
ｂ１ａ）アクリルバインダに対して、１０〜９０質量％、好ましくは１５〜８５質量％、更に好ましくは３０〜８５質量％のｎ−ブチルアクリレート（成分Ｂ１Ａ）、
ｂ１ｂ）アクリルバインダに対して、１０〜９０質量％、好ましくは１２〜８５質量％、更に好ましくは１５〜６５質量％の少なくとも１種の式Ｉのモノマー（成分Ｂ１Ｂ）、
ｂ１ｃ）アクリルバインダに対して、１〜５質量％の少なくとも１種の式ＩＩのモノマー（成分Ｂ１Ｃ）、
ｂ１ｄ）アクリルバインダに対して、０〜５質量％、好ましくは０．１〜４質量％、更に好ましくは０．２〜３質量％の少なくとも１種の式ＩＩＩのモノマー（成分Ｂ１Ｄ）、
ｂ１ｅ）以下の成分：
ｂ１ｅ１）アクリルバインダに対して、０〜３０質量％、好ましくは０〜２５質量％、更に好ましくは５〜２０質量％の少なくとも１種の極性モノマー、好ましくは（メタ）アクリル酸ニトリル及び／又はメチル（メタ）アクリレート（成分Ｂ１Ｅ１）、及び／又は
ｂ１ｅ２）アクリルバインダに対して、０〜４０質量％、好ましくは０〜３０質量％、更に好ましくは５〜２０質量％の少なくとも１種の無極性モノマー、好ましくはスチレン及び／又はメチルスチレン（成分Ｂ１Ｅ２）、
から選択される上述のモノマーと共重合可能な他のモノマー（成分Ｂ１Ｅ）、
（但し、成分Ｂ１Ａ、Ｂ１Ｂ、Ｂ１Ｃ及び必要によりＢ１Ｄ、Ｂ１Ｅの合計が１００質量％となる。）
のエマルジョン重合により得られる。
【００５０】
アクリルバインダは、当業者等に公知の他の添加剤、例えば被膜形成剤及び可塑剤、例えばアジペート、フタレート、ブチルジグリコール、ジカルボン酸とアルコール（直鎖であっても又は分岐していても良い）の反応により調製可能なジエステルの混合物を含んでいても良い。好適なジカルボン酸及びアルコールは、当業者等に知られている。
【００５１】
本願の請求項に記載されている特定のバインダを含む殺虫剤組成物は、耐洗浄性であると共に、制御された割合で殺虫剤を連続放出可能であり、これによって、殺虫剤の必要な生物学的利用能を得ることができる。例えば、組成物を織物に施した後、その織物の湿潤時に、バインダにより殺虫剤に付与される疎水性を低減させず、これにより殺虫剤の放出を制限可能にする分散剤を添加する必要はない。従って、本発明の殺虫剤組成物は、アクリルバインダの他に、分散剤を含んでいないのが好ましい。
【００５２】
最も好ましくは、アクリルバインダは、以下の成分：
ｂ１ａ）２０〜７０質量％の、成分Ｂ１Ａとしてのｎ−ブチルアクリレート、
ｂ１ｂ）０〜６５質量％の、式Ｉ：
【００５３】
【化６】
2007524773.tif 000007
【００５４】
［但し、Ｒ1がＨ又はメチルを表し、Ｒ2がＨを表し、Ｒ3がメチル、エチル、又は２−エチルヘキシルを表す。］
で表される成分Ｂ１Ｂとしての少なくとも１種のモノマー、更に好ましくは２−エチルヘキシルアクリレート、メチルアクリレート、メチルメタクリレート又はエチルアクリレート、
ｂ１ｃ）１〜５質量％の、式ＩＩ：
【００５５】
【化７】
2007524773.tif 000008
【００５６】
［但し、Ｒ4がＨ又はメチルを表し、Ｒ5、Ｒ6及びＲ7がそれぞれＨを表す。］
で表される成分Ｂ１Ｃとしての少なくとも１種のモノマー、
ｂ１ｄ）１〜１０質量％、好ましくは１〜７質量％、更に好ましくは２〜５質量％の、式ＩＩＩ：
【００５７】
【化８】
2007524773.tif 000009
【００５８】
［但し、Ｒ8及びＲ9がＨを表し、
ＸがＨ、ＯＨ、ＮＨ2、ＯＲ11ＯＨ、グリシジル又は以下の
【００５９】
【化９】
2007524773.tif 000010
【００６０】
｛但し、Ｒ10が直鎖であっても又は分岐していても良いＣ1〜Ｃ10アルキル、例えばメチル、エチル、ｎ−プロピル、ｉ−プロピル、ｎ−ブチル、ｉ−ブチル、ｓｅｃ−ブチル、ｔｅｒｔ−ブチル、ｎ−ペンチル、ｉ−ペンチル、ｓｅｃ−ペンチル、ネオペンチル、１，２−ジメチルプロピル、ｉ−アミル、ｎ−ヘキシル、ｉ−ヘキシル、ｓｅｃ−ヘキシル、ｎ−ヘプチル、ｎ−オクチル、２−エチルヘキシル、ｎ−ノニル、ｎ−デシル、好ましくは直鎖であっても又は分岐していてもＣ1〜Ｃ4アルキル、例えばメチル、エチル、ｎ−プロピル、ｉ−プロピル、ｎ−ブチル、ｉ−ブチル、ｓｅｃ−ブチル又はｔｅｒｔ−ブチル；置換されていても良いアリール、好ましくは置換されていても良いＣ6〜Ｃ10アリール、更に好ましくは置換されていても良いＣ6アリール、例えばフェニル又はトリルから選択される。｝
で表される基を表し、
Ｒ11がＣ1〜Ｃ10アルキレン、例えばメチレン、エチレン、プロピレン、ブチレン、ペンチレン、ヘキシレン、ヘプチレン、オクチレン、ノニレン、デシレン、好ましくはＣ1〜Ｃ4アルキレン、例えばメチレン、エチレン、プロピレン、ブチレン；置換されていても良いアリーレン、好ましくは置換されていても良いＣ6〜Ｃ10アリーレン、更に好ましくは置換されていても良いＣ6アリーレン、例えばフェニレンから選択される。］
で表される成分Ｂ１Ｄとしての少なくとも１種のモノマー、最も好ましくは成分Ｂ１ＤにおいてＸがアセトアセチルを表し、
ｂ１ｅ）以下の成分：
ｂ１ｅ１）０〜３０質量％、好ましくは０〜２５質量％、更に好ましくは５〜２０質量％の成分Ｂ１Ｅ１、好ましくは（メタ）アクリル酸ニトリル及び／又はメチル（メタ）アクリレート、及び／又は
ｂ１ｅ２）０〜４０質量％、好ましくは０〜３０質量％、更に好ましくは５〜２０質量％の成分Ｂ１Ｅ２、好ましくはスチレン及び／又はメチルスチレン、
から選択される上述のモノマーと共重合可能な他のモノマー、
（但し、成分Ｂ１Ａ、Ｂ１Ｂ、Ｂ１Ｃ及び必要によりＢ１Ｄ、Ｂ１Ｅの合計が１００質量％となる。）
のエマルジョン重合により得る。
【００６１】
他の最も好ましい実施の形態において、成分Ｂ１Ａとしてのｎ−ブチルアクリレートの量は３０〜８５質量％であり、他の成分Ｂ１Ｂ、Ｂ１Ｃ及び必要に用いられる成分Ｂ１Ｄ及びＢ１Ｅは上述のように選択され、且つ成分Ｂ１Ａ、Ｂ１Ｂ、Ｂ１Ｃ及び必要によりＢ１Ｄ、Ｂ１Ｅの合計が１００質量％となる。
【００６２】
本発明のアクリルバインダは、上述のモノマーのエマルジョン重合によって得られる。好適な処理条件は、当業者等により知られている。
【００６３】
モノマーを、通常の条件の温度及び圧力下、すなわち、使用される開始剤に応じて、大気圧〜１０バールの範囲及び２０〜１００℃、好ましくは５０〜８５℃の温度で重合する。重合は、不活性雰囲気下の撹拌反応容器中で行われるのが一般的である。
【００６４】
共重合は水にて行われるのが一般的である。しかしながら、重合処理前、重合処理中又は重合処理後に、水性層に対して、８０質量％以下の低級アルコール、例えばメタノール、エタノール又はイソプロパノール又は低級ケトン、例えばアセトンを添加することも可能である。共重合は、他の溶剤を添加せずに水において行われるのが好ましい。
【００６５】
重合処理は、連続的に又はバッチ式で行われても良く、バッチ重合による通常の方法を用いることができ、例えば全ての重合成分を一度に混合するか、又は１以上の計量導入容器から乳化されたモノマー及び触媒を一部のモノマーを含むバッチに供給する。重合混合物にシードされるポリマーを添加して、得られたエマルジョンポリマーの粒径を調節することができる。
【００６６】
エマルジョン重合は、重合条件下でラジカルを形成する少なくとも１種の開始剤の存在下で行われるのが好ましい。好適な開始剤は、例えばすべでの通常のペルオキシ化合物又はアゾ化合物である。
【００６７】
好適な過酸化物は、例えば、アルカリ金属ペルオキソジスルフェート、例えばナトリウムペルオキソジスルフェート、アンモニウムペルオキソジスルフェート；過酸化水素；有機過酸化物、例えばジアセチルペルオキシド、ジ−ｔｅｒｔ−ブチルペルオキシド、ジアミルペルオキシド、ジオクタノイルペルオキシド、ジデカノイルペルオキシド、ジラウロイルペルオキシド、ジベンゾールペルオキシド、ビス（ｏ−トロイル）ペルオキシド、スクシニルペルオキシド、ｔｅｒｔ−ブチルペルアセテート、ｔｅｒｔ−ブチルペルマレインエート、ｔｅｒｔ−ブチルペルビバレート、ｔｅｒｔ−ブチルブチルペルオクトエート、ｔｅｒｔ−ブチルペルネオデカノエート、ｔｅｒｔ−ブチルペルベンゾエート、ｔｅｒｔ−ブチルペルオキシド、ｔｅｒｔ−ブチルヒドロペルオキシド、クメンヒドロペルオキシド、ｔｅｒｔ−ブチル−ペルオキシ−２−エチルヘキサノエート、及びジイソプロピルペルオキソジカルバメートである。他の好適な開始剤は、アゾ化合物、例えばアゾビスイソブチロニトリル、アゾビス（２−アミドプロパン）ジヒドロクロリド、及び２，２’−アゾビス（２−メチルブチロニトリル）である。
【００６８】
開始剤は、一般的な量、例えばモノマーの質量の合計に対して、０．０５〜５質量％、好ましくは０．０５〜２質量％の量で添加される。
【００６９】
重合を低温で行う場合、従来のレドックス系触媒を用いることができる。例えば、上述したような種類の過酸化物触媒に加えて、モノマーの合計に対して、０．０５〜２質量％の還元剤、例えばヒドラジン、可溶性の酸化可能なスルホキシ化合物、例えばヒドロスルフィットのアルカリ金属塩、スルホキシレート、チオスルフェート、スルフィット、及びビスルフィット（亜硫酸水素塩）（微量の重金属、例えばＣｅ、Ｍｏ、Ｆｅ及びＣｕの塩を一般的な手法で添加することにより活性化されていても良い。）を使用可能である。好ましいレドックス系触媒は、アセトンジスルフィット及び有機過酸化物のレドックス系触媒、例えばｔｅｒｔ−Ｃ4Ｈｇ−ＯＯＨ；Ｎａ2Ｓ2Ｏ5及び有機過酸化物、例えばｔｅｒｔ−Ｃ4Ｈｇ−ＯＯＨ；又はＨＯ−ＣＨ2−ＳＯ2Ｈ及び有機過酸化物、例えばｔｅｒｔ−Ｃ4Ｈｇ−ＯＯＨである。アスコルビン酸及び過酸化水素等のレドックス系触媒が更に好ましい。
【００７０】
開始剤は重合の開始時に完全に添加されても良いが、エマルジョン重合法の途中に連続法で又は段階法で添加することも可能である。開始剤を添加する手法は、当該分野で公知である。
【００７１】
重合処理は、少なくとも９５質量％のモノマーが転化されるまで行われる。エマルジョン重合の最後に残留モノマーを除去するために、開始剤を化学脱臭に添加しても良い。
【００７２】
エマルジョン重合は、当該分野で公知の乳化剤又は乳化剤の混合物を添加することによって行われる。一般に用いられる乳化剤は、イオン性（アニオン性又はカチオン性）及び／又は非イオン性の乳化剤、例えばポリグリコールエーテル、スルホン化パラフィン系炭化水素、高級アルキルスルフェート、例えばオレイルアミン、ラウリルスルフェート、脂肪酸のアルカリ金属塩、例えばステアリン酸ナトリウム及びオレイン酸ナトリウム、脂肪アルコールの硫黄を含む酸のエステル、エトキシル化Ｃ8〜Ｃ12アルキルフェノール（通常、５〜３０個のエチレンオキシド基を有する）、及びそのスルホン化生成物、更にスルホコハク酸エステルである。乳化剤又は乳化剤の混合物は、通常、モノマーの質量の合計に対して、０．０５〜７質量％、好ましくは０．５〜４質量％の量で用いられる。
【００７３】
共溶剤又は共溶剤の混合物を乳化剤に添加する場合もある。好ましい共溶剤は、直鎖であっても又は分岐していても良い脂肪族Ｃ1〜Ｃ30アルコール、脂環式Ｃ3〜Ｃ30アルコール及びこれらの混合物である。例えば、ｎ−ブタノール、ｎ−ヘキサノール、シクロヘキサノール、２−エチルヘキサノール、ｉ−オクタノール、ｎ−オクタノール、ｎ−デカノール、ｎ−ドデカノール、ステアリルアルコール、オレイルアルコール又はコレステロールである。他の使用可能な共溶剤は、アルカンジオール、エチレングリコールアルキルエーテル、Ｎ−アルキルピロリドン、及びＮ−及びＮ，Ｎ−ジアルキル酸アミド、例えばエチレングリコールモノブチルエーテル、ジエチレングリコールモノエチルエーテル、テトラエチレングリコールジメチルエーテル、Ｎ−メチルピロリドン、Ｎ−ヘキシルピロリドン、ジエチル酸アミド又はＮ−オクチル酸アミドである。共溶剤又は共溶剤の混合物は、０〜２０質量％、好ましくは１〜５質量％の量で添加される。
【００７４】
多くの場合、保護コロイドを用いることができ、例えばポリビニルアルコール、部分的に鹸化されたポリ酢酸ビニル、セルロース誘導体、メチルアクリレートとアクリル酸アミド及びメチルアクリル酸アミドとの共重合体又はビニルピロリドンポリマーを、モノマーの質量に対して、０．５〜１０質量％、特に１．０〜５質量％の量で用いる。
【００７５】
更に、一般に１０質量％以下、好ましくは０．０５〜５質量％の、反応性又は架橋性基を含むモノオレフィン性又はジオレフィン性不飽和モノマーを添加することができる。かかるモノマーの例示は、特に、α，β−オレフィン性不飽和Ｃ3〜Ｃ5カルボン酸、特にアクリルアミド、メタクリルアミド及びマレイン酸ジアミドのアミド、及びそのＮ−メチロール誘導体、例えばＮ−メチロールアクリル酸アミド、Ｎ−メチロールメタクリル酸アミド、α，β−モノオレフィン性不飽和Ｃ3〜Ｃ5カルボン酸のＮ−アルコキシメチルアミド、例えばＮ−メトキシメタクリル酸アミド及びＮ−ｎ−ブトキシメチルアクリル酸アミド、ビニルスルホン酸、アクリル酸及びメタクリル酸とアルカンジオール、例えばグリコール、ブタンジオール−１，４、ヘキサンジオール−１，６又うは３−シクロプロパンジオール−１，２とのモノエステル、更に、α，β−モノオレフィン性モノ及びジカルボン酸のアリル及びメタリルエスエル、例えばジアリルマレエート、ジメチルアリルフマレート、アリルアクリレート及びアリルメタクリレート，ジアリルフタレート、ジアリルテレフタレート、ｐ−ジ−ビニルベンゼン、メチレン−ビス−アクリルアミド及びエチレングリコールジ−アリルエーテルである。
【００７６】
エマルジョン重合で得られるポリマーの水性分散液における固体含有量は、一般に１５〜７５質量％であり、好ましくは２５〜５０質量％である。反応器の高い時空収量を得るために、固体含有量の高い分散液が好ましい。６０質量％を超える固体含有量を得るために、二モード又は多モードの粒径分布となるように調節する。なぜなら、そうでなければ極めて高い粘性に起因して、分散液を処理することができないからである。例えば、シードの添加（ＥＰ−Ａ０８１０８３１）、過剰の乳化剤の添加又はミニエマルジョンの添加によって新たな粒子生成（二モード又は多モードの粒径分布を得るため）が形成される。新たな粒子生成の形成は、任意の時点で行われても良く、低粘性のための所望の粒径分布に応じて行われる。
【００７７】
これにより得られる非架橋エマルジョンポリマーの分子量は、一般に４００００〜２５００００の範囲（ＧＰＣにより測定）である。分子量は、通常、従来の連鎖停止剤を慣用の量で用いることによって制御される。従来の連鎖停止剤は、例えば有機硫黄化合物である。
【００７８】
本発明のアクリルバインダを水性分散液の形で得て、本発明の殺虫剤組成物において水性分散液の形で用いるのが好ましい。
【００７９】
［ポリウレタン］（成分Ｂ２）
ポリウレタンは、以下の成分ｂ２ａ）〜ｂ２ｄ）：
ｂ２ａ）ポリウレタンに対して、５５〜９９質量％、好ましくは７０〜９８質量％、更に好ましくは７５〜９０質量％の少なくとも１種のジイソシアネート又はポリイソシアネート（成分Ｂ２Ａ）、好ましくは脂肪族、脂環式、アリール脂肪族及び／又は芳香族イソシアネート、更に好ましくはジイソシアネート（必要によりビウレット化及び／又はイソシアヌレート化されていても良い。）、更に好ましくはアルキレン単位に４〜１２個の炭素原子を有する以下のアルキレンジイソシアネート、例えば１，１２−ドデカンジイソシアネート、２−エチルテトラメチレンジイソシアネート−１，４、２−メチルペンタメチレンジイソシアネート−１，５、テトラメチレンジイソシアネート−１，４、リシンエステルジイソシアネート（ＬＤＩ）、ヘキサメチレンジイソシアネート−１，６（ＨＭＤＩ）、シクロヘキサン−１，３−及び／又は−１，４−ジイソシアネート、２，４−及び２，６−ヘキサヒドロトルリレンジイソシアネート、並びに対応の異性体混合物の４，４’−、２，２’−及び２，４’−ジシクロヘキシルメタンジイソシアネート並びに対応の混合物、１−イソシアナト−３，３，５−トリメチル−５−イソシアナトメチルシクロヘキサン（ＩＰＤＩ）、２，４−及び／又は２，６−トルリレンジイソシアネート、４，４’−、２，４’−及び／又は２，２’−ジフェニルメタンジイソシアネート（モノマーのＭＤＩ）、ポリフェニルポリメチレンポリイソシアネート（ポリマーのＭＤＩ）及び／又は少なくとも２種の上述のイソシアネートを含む混合物；更に、ジ−及び／又はポリイソシアネートを含むエステル−尿素−、アロファネート−、カルボジイミド−、ウレオジオン−及び／又はウレタン基を使用しても良く；最も好ましくは１−イソシアナト−３，３，５−トリメチル−５−イソシアナトメチレンシクロヘキサン（ＩＰＤＩ）及びヘキサメチレンジイソシアネート−１，６（ＨＭＤＩ）、
ｂ２ｂ）ポリウレタンに対して、１０〜９０質量％、好ましくは１２から８５質量％、更に好ましくは１５〜６５質量％の少なくとも１種のジオール、トリオール又はポリオール（成分Ｂ２Ｂ）、好ましくは炭素原子数２〜１４、好ましくは４〜１０の脂肪族、脂環式及び／又はアリール脂肪族ジオール、更に好ましくは、ポリエーテルオール、例えばポリテトラヒドロフラニル、ポリエステルオール、ポリチオエーテルポリオール、ポリアセタールを含むヒドロキシル基及び脂肪族ポリカーボネートを含むヒドロキシル基又は２種以上の上述のポリオールの混合物なる群から選択されるポリオール、更に好ましくはポリエステルオール及び／又はポリエーテルオールである。ポリヒドロキシ化合物のヒドロキシル数は、一般に２０〜８５０ｍｇＫＯＨ／ｇであり、２５〜８０ｍｇＫＯＨ／ｇの範囲が好ましい。更に、一般に６０〜４００ｇ／モル未満、好ましくは６０〜３００ｇ／モルの分子量を有するのジオール及び／又はトリオールを用いる。好適なジオールは、炭素原子数２〜１４、好ましくは４〜１０の脂肪族、脂環式及び／又はアリール脂肪族ジオール、例えばエチレングリコール、プロパンジオール−１，３、デカンジオール−１，１０、ｏ−、ｍ−、ｐ−ジヒドロキシシクロヘキサン、ジエチレングリコール、ジプロピレングリコール及び好ましくはブタンジオール−１，４、ネオペンチルグリコール、ヘキサンジオール−１，６及びビス（２−ヒドロキシエチル）ヒドロキノン，トリオール、例えば１，２，４−、１，３，５−トリヒドロキシシクロヘキサン、グリセリン及びトリメチロールプロパン並びにエチレンオキシド及び／又は１，２−プロピレンオキシド並びに上述のジオール及び／又はトリオールを基礎とするポリアルキレンオキシドを含む低分子量ヒドロキシル基の混合物であり、
ｂ２ｃ）必要により、ポリウレタンに対して、０〜１０質量％、好ましくは０．１〜５質量％、更に好ましくは１〜５質量％の他の成分（成分Ｂ２Ｃ）、好ましくはアジピン酸又はカルボニルジイミダゾール（ＣＤＩ）、及び
ｂ２ｄ）ポリウレタンに対して、０〜１０質量％、好ましくは０．１〜５質量％、更に好ましくは０．５〜５質量％の他の添加剤（成分Ｂ２Ｄ）、
（但し、成分Ｂ２Ａ、Ｂ２Ｂ、必要によりＢ２Ｃ及び必要によりＢ２Ｄの合計が１００質量％となる。）
の反応により得られる。
【００８０】
ポリウレタンは、当該分野で公知の方法によって製造される。更に、当業者等に公知の添加剤をポリウレタンの製造方法で用いることができる。
【００８１】
［殺虫剤組成物］
最終生成物の使用に応じて、本発明の殺虫剤組成物は、更に、水、防腐剤、洗浄剤、フィラー、衝撃改良剤、防曇剤、発泡剤、澄まし剤、核剤、カップリング剤、導電性向上剤（耐電防止剤）、安定剤、例えば酸化防止剤、炭素及び酸素ラジカルのスカベンジャー及び分解剤の過酸化物等、難燃剤、離型剤、ＵＶ保護性を有する薬剤、増白剤、展着剤、ブロッキング防止剤、拡散防止剤、発砲形成剤、防汚剤、増粘剤、他の殺生物剤、湿潤剤、可塑剤及び被膜形成剤、接着剤又は粘着防止剤、蛍光増白剤（蛍光増白）、芳香剤、顔料及び染料からなる群から選択される１種以上の成分を含んでいても良い。
【００８２】
本発明の殺虫剤組成物は、水を含む水性組成物又は乾燥組成物、例えば水を含まない組成物であっても良い。好ましくは、殺虫剤組成物は水性組成物であり、本発明の殺虫剤組成物において水を除く各成分に対して、０．１〜４５質量％、更に好ましくは１〜２５質量％の水を含む水性組成物が好ましい。
【００８３】
他の好ましい実施の形態において、直ぐに使用可能な殺虫剤組成物は、水性組成物、好ましくは、本発明の殺虫剤組成物における各成分の合計に対して、５５〜９７質量％、更に好ましくは８５〜９５質量％の水と、３〜４５質量％、好ましくは５〜１５質量％の固体とを含み、合計が１００質量％となる水性組成物が好ましい。固体は、上述したような成分Ａとしての少なくとも１種の殺虫剤及び／又は防虫剤、及び上述したような成分Ｂ１としての少なくとも１種のアクリルバインダ又は成分Ｂ１の他に、上述したような成分Ｂ２としての少なくとも１種のポリウレタン、及び必要により以下のような成分Ｃとしての少なくとも１種の定着剤、及び必要により上述したような最終生成物の使用に応じて異なる他の成分からなる群から選択されるのが好ましい。
【００８４】
殺虫剤組成物がテキスタイル材料又はプラスチック材料に施される処理溶液は、本発明の殺虫剤組成物の各成分の合計に対して、９５〜９９．５質量％、好ましくは９５〜９９質量％、更に好ましくは９７〜９９質量％の水を含む水性調製液であるのが好ましい。
【００８５】
好適な消泡剤は、例えばケイ素の消泡剤である。紫外線感受性殺虫剤及び／又は防虫剤を保護するための好適なＵＶ保護材は、例えばｐ−アミノ安息香酸（ＰＡＢＡ）、オクチルメトキシシナメト、スチルベン、スチリル又はベンゾトリアゾール誘導体、ベンゾオキサゾール誘導体、ヒドロキシ置換ベンゾフェノン、サッカリレート、置換トリアジン、コハク酸誘導体（必要により、２−シアノ基で置換されている）、ピラゾリン誘導体、１，１’−ビフェニル−４，４’−ビス−２−（メトキシフェニル）エテニル又は他のＵＶ保護剤である。好適な蛍光増白剤は、ジヒドロキノリノン誘導体、１，３−ジアリールピラゾリン誘導体、ピレン、ナフタル酸イミド、４，４’−ジ−スチリルビフェニレン、４，４’−ジアミノ−２，２’−スチルベンジスルホン酸、クマリン誘導体及びベンゾオキサゾール、ベンゾイソオキサゾール又はベンゾイミダゾール組成物（−ＣＨ＝ＣＨ−ブリッジを介して結合している）又は他の蛍光増白剤である。
【００８６】
本発明の殺虫剤組成物で使用される一般的な顔料は、顔料染色又は印刷処理で用いられる顔料か、又はプラスチックの着色に用いられ、当業者等に公知である。
【００８７】
顔料は、その化学的性質により無機であっても有機であっても良い。無機顔料は、主として白色顔料（例えば、ルチル又はアナターゼの形の二酸化チタン、ＺｎＯ、チョーク）又は黒色色素（例えばカーボンブラック）として用いられる。着色無機顔料を使用可能であるが、望ましくない。なぜなら、毒物学的危険の可能性があるからである。重要な色の場合、有機顔料又は染料が好ましい。有機顔料は、モノ若しくはジサゾ、ナフトール、ベンゾイミダゾロン、（チオ）インジゴイド、ジオキサジン、キナクリドン、フタロシアニン，イソインドリノン、ペリレン、ペリノン、金属錯体又はジケトピロロピロール型顔料であっても良い。顔料は、粉末又は液体の状態で（すなわち分散剤として）使用可能である。好ましい顔料は、ピグメントイエロー８３、ピグメントイエロー１３８、ピグメントオレンジ３４、ピグメントレッド１７０、ピグメントレッド１４６、ピグメントバイオレット１９、ピグメントバイオレット２３、ピグメントブルー１５／１、ピグメントブルー１５／３、ピグメントグリーン７、ピグメントブラック７である。他の好適な顔料は、当業者等に知られている。
【００８８】
本発明で使用可能な一般的な染料は、バット染料、カチオン性染料及び粉末又は液体の形の分散染料である。バッド染料は、顔料として用いられるか、又は以下の建浴（還元）及び酸化処理として用いられても良い。バット染料の形で用いるのが好ましい。バット染料は、インダンスロン型、例えばＣ．Ｉ．バットブルー４、６又は１４；又はフラバンスロン型、例えばＣ．Ｉ．バットイエロー１；又はピランスロン型、例えばＣ．Ｉ．バットオレンジ２及び９；又はイソベンゾアントロン（イソバイオランスロン）型、例えばＣ．Ｉ．バットバイオレット１；又はジベンゾアントロン（バイオラントラン）型、例えばＣ．Ｉ．バットブルー１６、１９、２０及び２２、Ｃ．Ｉ．バットグリーン１、２及び９、Ｃ．Ｉ．バットブラック９；又はアントラキノンカルバゾール型、例えばＣ．Ｉ．バットオレンジ１１及び１５、Ｃ．Ｉ．バットブラウン１、３及び４４、Ｃ．Ｉ．バットグリーン８及びＣ．Ｉ．バットブラック２７；又はベンゾアントロンアクリドン型、例えばＣ．Ｉ．バットグリーン３及び１３及びＣ．Ｉ．バットブラック２５；又はアントラキノンオキサゾール型、例えばＣ．Ｉ．バットレッド１０；又はペリレンテトラカルボン酸ジイミド型、例えばＣ．Ｉ．バットレッド２３及び３２；又はイミダゾール誘導体、例えばＣ．Ｉ．バットイエロー４６；又はアミノトリアジン誘導体、例えばＣ．Ｉ．バットブルー６６であっても良い。他の好適なバット染料は、当業者等に公知である。
【００８９】
一般的な分散染料及びカチオン性染料は、当業者等に知られている。
【００９０】
セルロース性基板をテキスタイル材料として用いる場合、上記のセルロース性基板を、バット染料、直接染料、反応性染料又は硫化染料で染色するのが好ましい。
【００９１】
他の実施の形態において、本発明の殺虫剤組成物は、少なくとも１種の顔料及び／又は少なくとも１種の染料を含む上述の殺虫剤組成物である。本発明の殺虫剤組成物は、殺虫剤及び／又は防虫剤における固体含有量に対して、１０〜３００質量％、好ましくは２０〜１５０質量％の顔料及び／又は染料を含んでいるのが好ましい。
【００９２】
予備染色されたテキスタイル材料又はプラスチック材料、好ましくはネット材料を用いることも可能であり、これに、本発明の殺虫剤組成物が施される。テキスタイル材料又はプラスチック材料の染色に好適な顔料及び染料は、上述の通りである。好適な染色法は、当業者等に知られている。ポリエステル基板をテキスタイル材料又はプラスチック材料として使用する場合、上記のポリエステル基板を、分散染料で、好ましくは排気又は連続染色、例えばサーモゾル（thermosol）法によって染色するのが好ましい。ポリアミド基板をテキスタイル材料又はプラスチック材料として使用する場合、上記のポリアミド基板をアニオン性、酸の、又は金属錯体の染料又はスピン／マス染料で染色するのが好ましい。
【００９３】
上述したように本発明の組成物を用いて、本発明により含浸されるテキスタイル材料又はプラスチック材料は、組成物を殺虫剤組成物の成分を含むキットの形の使いやすい形で供給する場合、局所的に含浸されていても良い。従って、他の実施の形態において、本発明は、最終使用者により行われるか、又は地元の工場で行われる含浸のためのキットとして設けられている上述の殺虫剤組成物に関する。好ましい実施の形態において、キットは、水の添加によって溶液又はエマルジョンの調製にあわせて変更する。従って、キットにおける成分は、乾燥組成物、例えば粉末、カプセル、タブレット又は起沸性タブレットの形であっても良い。他の実施の形態において、キットはエマルジョンを含み、且つ水を最終使用者が添加するか、地元の工場で添加する。エマルジョンは、ミクロエマルジョンであっても良く、一般に極めて安定である。エマルジョンはカプセルの形を与えられていても良い。
【００９４】
キットは、少なくとも以下の成分：
ａ）少なくとも１種の殺虫剤及び／又は少なくとも１種の防虫剤と、
ｂ１）少なくとも１種の上述のアクリルバインダと、及び／又は
ｂ２）少なくとも１種の上述のポリウレタンと、
を含む。
【００９５】
好ましい殺虫剤及び／又は防虫剤並びに好ましいアクリルバインダ及び好ましいポリウレタンは、上述した通りである。キットは、更に、上述した成分、特に防腐剤、浄化剤、安定剤、ＵＶ保護性を有する薬剤、蛍光増白剤、展着剤、拡散防止剤、発砲形成剤、湿潤剤、防汚剤、増粘剤、他の殺生物剤、可塑剤、接着剤、芳香剤、顔料及び染料からなる群から選択される１種以上の成分を含んでいても良い。好ましくは、キットは、殺虫剤及び／又は防虫剤並びにアクリルバインダ及び／又はポリウレタンの他に、少なくとも１種の顔料及び／又は少なくとも１種の染料を含んでいる。好ましい顔料及び染料は、上述した通りである。
【００９６】
他の実施の形態において、本発明は、
ａ）少なくとも１種の殺虫剤及び／又は少なくとも１種の防虫剤と、
ｂ１）本発明で開示された少なくとも１種のアクリルバインダと、及び／又は
ｂ２）本発明で開示された少なくとも１種のポリウレタンと、
を含み、昆虫の殺傷及び／又は虫除けに用いられる含浸テキスタイル材料又はプラスチック材料に関する。
【００９７】
好ましい殺虫剤及び／又は防虫剤並びに好ましいアクリルバインダ及びポリウレタンは、上述した通りである。テキスタイル材料又はプラスチック材料の物質及び好ましいテキスタイル材料又はプラスチック材料についても上述した通りである。
【００９８】
含浸テキスタイル材料又はプラスチック材料における殺虫剤及び／又は防虫剤の一般的な量は、織物材料又は網の質量に対して、殺虫剤の殺虫効果並びに防虫剤の効果に応じて０．０１〜１０質量％（乾燥質量）である。好ましい量は、テキスタイル材料又はプラスチック材料の質量に対して、殺虫剤及び／又は防虫剤に応じて０．０５〜７質量％の範囲である。デルタメトリン又はα−シペルメトリン等のピレスロイドの場合、好ましい量は、テキスタイル材料又はプラスチック材料の質量に対して０．１〜３．５質量％の範囲である。ペルメトリン又はエトフェンプロックス等のピレスロイドの場合、好ましい量は、０．１〜６質量％である。
【００９９】
アクリルバインダ及び／又はポリウレタンの一般的な量は、テキスタイル材料又はプラスチック材料の質量（乾燥）に対して、０．００１〜１０質量％（乾燥質量）である。一般に、特定の種類の殺虫剤の量を高くして添加すると、アクリルバインダ及び／又はポリウレタンの濃度が高くなるので、殺虫剤とアクリルバインダ及び／又はポリウレタンとの間の割合は、殺虫剤の殺虫力及び移動能力に応じて値でほぼ一定とする。アクリルバインダ及び／又はポリウレタンの好ましい量は、テキスタイル材料又はプラスチック材料の質量（乾燥）に対して、０．１〜５質量％であり、更に好ましくは０．２〜３質量％である。
【０１００】
他の実施の形態において、本発明の含浸テキスタイル材料又はプラスチック材料は、更に、防腐剤、浄化剤、安定剤、ＵＶ保護性を有する薬剤、蛍光増白剤、展着剤、拡散防止剤、発砲形成剤、湿潤剤、防汚剤、増粘剤、他の殺生物剤、可塑剤、接着剤、芳香剤、顔料及び染料からなる群から選択される１種以上の成分を含んでいる。上述の成分の適例は、当業者等に知られている。
【０１０１】
本発明の他の実施の形態において、含浸テキスタイル材料又はプラスチック材料は、上述の少なくとも１種の殺虫剤及び／又は防虫剤及び少なくとも１種のアクリルバインダ及び／又はポリウレタンの他に、少なくとも１種の顔料及び／又は少なくとも１種の染料を含んでいる。少なくとも１種の顔料の量は、テキスタイル材料又はプラスチック材料の質量（乾燥）に対して、一般に０．０５〜１０質量％であり、０．１〜５質量％が好ましく、更に好ましくは０．２〜３．５質量％である。少なくとも１種の染料の量は、テキスタイル材料又はプラスチック材料の質量（乾燥）に対して、一般に０．０５〜１０質量％であり、０．１〜５質量％が好ましく、更に好ましくは０．２〜３．５質量％である。テキスタイル材料又はプラスチック材料は、少なくとも１種の顔料又は少なくとも１種の染料を含んでいるのが好ましい。好適な顔料及び染料は上述した通りである。
【０１０２】
［テキスタイル材料又はプラスチック材料の含浸方法］
他の実施の形態において、本発明は、
ｉ）本発明に記載の少なくとも１種の殺虫剤及び／又は少なくとも１種の防虫剤及び少なくとも１種のアクリルバインダと、必要により他の成分と、を含む水性調製液又は溶融物を形成する工程、
ｉｉ）
ｉｉａ）テキスタイル材料又はプラスチック材料を水性調製液に通過させるか、又は
ｉｉｂ）テキスタイル材料又はプラスチック材料を、水性調製液に部分的に又は完全に浸されるローラに接触させ、そして水性調製液を、ローラに接触しているテキスタイル材料又はプラスチック材料の一方の面に引き寄せるか、又は
ｉｉｃ）テキスタイル材料又はプラスチック材料を両面コーティングするか、又は
ｉｉｄ）水性調製液をテキスタイル材料又はプラスチック材料に噴霧し、且つその噴霧が手動で又は機械的に噴霧するための装置、例えば工場で用いられるエーロゾル缶又は装置を用いて行われるか、又は
ｉｉｅ）水性調製液をフォームの形で施すか、又は
ｉｉｆ）テキスタイル材料又はプラスチック材料を水性調製液中に沈めるか、又は
ｉｉｇ）水性調製液をテキスタイル材料又はプラスチック材料上に又はテキスタイル材料又はプラスチック材料中にはけ塗りするか、又は
ｉｉｈ）水性調製液をテキスタイル材料又はプラスチック材料に注ぐことにより水性調製液をテキスタイル材料又はプラスチック材料に施すか、或いは溶融物をカレンダ処理により又はドクターブレードを用いて施す工程、
ｉｉｉ）必要により、余分な水性調製液又は溶融物を除去する工程、及び
ｉｖ）テキスタイル材料又はプラスチック材料を乾燥及び／又は硬化する工程、を含むテキスタイル材料又はプラスチック材料の含浸方法に関する。
【０１０３】
本発明の場合、水性調製液は、溶液、エマルジョン又は懸濁液／分散液であっても良い。
【０１０４】
水性調製液又は溶融物は、上述した本発明の殺虫剤組成物を含んでいるのが好ましく、水性調製液の形で用いるのが好ましい。
【０１０５】
本発明の場合、“含浸”は、殺虫剤組成物を施す方法（処理）である。この方法には、施された殺虫剤組成物を硬化して、必要によりテキスタイル材料又はプラスチック材料に被膜を形成する方法を含んでいても良い。「含浸テキスタイル材料又はプラスチック材料」は、殺虫剤組成物が施される材料である。「含浸テキスタイル材料又はプラスチック材料」は、必要により施された殺虫剤組成物を硬化することによって被膜形成されても良い。
【０１０６】
本発明の殺虫剤組成物を、転写、インクジェット印刷、スクリーン法、及びパウダー印刷によってテキスタイル材料又はプラスチック材料に施すことも可能である。
【０１０７】
好適なテキスタイル材料又はプラスチック材料は上述した通りである。テキスタイル材料又はプラスチック材料をその仕上げ製品の形（ライン処理の最後、不連続処理）で含浸することができる。この場合、含浸後、更に通過させる必要がない。しかしながら、ヤーン又は繊維の形のテキスタイル材料又はプラスチック材料を含浸し、含浸後に更に処理する必要があり、これにより所望の仕上げ処理製品（ライン処理で）を得る。使用される好ましい殺虫剤及び／又は防虫剤は上述した通りであり、好ましいアクリルバインダ及び／又はポリウレタンについても上述した通りである。
【０１０８】
不連続処理（法）を、工場で、地方の処理センター（地元の工場）又は移動式設備（mobile equipment）を用いてでさえ行うことができ、移動式設備は、例えばトラック又は貨物（例えば、再処理抗マラリアキャンプにおいて）に設けられている。不連続処理を、新しい（未処理のテキスタイル材料又はプラスチック材料、好ましくは網製品で、使用中又は既製の形（好ましくはネットとして）のもの）又は使用済みのテキスタイル材料又はプラスチック材料（好ましくはネット）に、好ましくは洗浄後に行うことができる。
【０１０９】
本発明の利点の１つは、含浸を水性調製液中で又は溶融物（溶融液）中で行うことである。有機溶剤を添加する必要がない。本発明の好ましい実施の形態において、処理溶液は、他の溶剤、特に有機溶剤を含んでいない水性調製液である。
【０１１０】
有機溶剤の使用を回避する点において有効である。なぜなら、本発明のテキスタイル材料又はプラスチック材料を、人間の体に密接させて使用することもあるからである。本発明の方法で含浸されたテキスタイル材料又はプラスチック材料は、有機溶剤残留物を含まず、人間の毒性面及び環境的な観点の両方から有益である。
【０１１１】
含浸法で用いられる水性調製液又は溶融液は、更に、防腐剤、浄化剤、安定剤、ＵＶ保護性を有する薬剤、展着剤、拡散防止剤、発砲形成剤、湿潤剤、防汚剤、増粘剤、他の殺生物剤、可塑剤、接着剤、芳香剤、顔料及び染料からなる群から選択される１種以上の成分を含んでいても良い。
【０１１２】
他の実施の形態において、テキスタイル材料又はプラスチック材料の含浸に用いられる水性調製液又は溶融液は、少なくとも１種の殺虫剤及び／又は防虫剤及び少なくとも１種のアクリルバインダ及び／又は少なくとも１種のポリウレタンの他に、少なくとも１種の顔料及び／又は少なくとも１種染料を含む。これらの水性調製液又は溶融液は、少なくとも１種の殺虫剤及び／又は防虫剤を用いるテキスタイル材料又はプラスチック材料の含浸と、これと同時のテキスタイル材料又はプラスチック材料の着色に好適である。少なくとも１種の殺虫剤及び／又は防虫剤を含浸するテキスタイル材料又はプラスチック材料の多くは、着色されるのが好ましい。本発明の方法により、殺虫剤及び／又は防虫剤を用いてテキスタイル材料又はプラスチック材料を同時に着色し、含浸することができる。従って、本発明の方法は、極めて経済的である。なぜなら、殺虫剤及び／又は防虫剤を用いた着色及び含浸を一工程で行うからである。
【０１１３】
従って、本発明の他の実施の形態において、本発明は、テキスタイル材料又はプラスチック材料を含浸する上述の方法であって、テキスタイル材料又はプラスチック材料の染色が、テキスタイル材料又はプラスチック材料の含浸と同時に行われ、且つ少なくとも１種の染料及び／又は少なくとも１種の顔料を更に含む水性調製液を形成する方法に関する。
【０１１４】
顔料の適量は、含浸に使用される水性調製液の質量に対して、一般に０．０１〜２０質量％であり、好ましくは０．１〜１０質量％であり、更に好ましくは０．２〜５質量％である。好適な染料の量は、含浸に使用される水性調製液の質量に対して、一般に０．０１〜２０質量％であり、好ましくは０．１〜１０質量％であり、更に好ましくは０．２〜５質量％である。
【０１１５】
［工程ｉ）殺虫剤及び／又は防虫剤と少なくとも１種のアクリルバインダ及び／又は少なくとも１種のポリウレタンと、必要により他の成分とを含む水性調製液の形成］
水性調製液は、テキスタイル材料又はプラスチック材料の含浸に必要な全ての成分を水と混合することによって形成される。水性調製液は、１０〜７０℃、好ましくは１５〜５０℃、更に好ましくは２０〜４０℃の温度で形成するのが一般的である。好適な水性調製液は、上述したようにテキスタイル材料又はプラスチック材料に施すための殺虫剤組成物を含んでいる。
【０１１６】
［工程ｉｉ）殺虫剤及び／又は防虫剤と少なくとも１種のアクリルバインダ及び／又は少なくとも１種のポリウレタンと、必要により他の成分とを含む水性調製液のテキスタイル材料又はプラスチック材料への施与］
［工程ｉｉａ）］
殺虫剤組成物は、テキスタイル材料又はプラスチック材料を水性調製液に通過させることによって施される。この工程は、パディングとして当業者等に公知である。好ましい実施の形態において、テキスタイル材料又はプラスチック材料を、水性調製液を含む漕において、水性処理母液（水性調製液）に完全に沈めるか、或いはテキスタイル材料又はプラスチック材料を、２個の水平方向のローラの間に保持される処理溶液（水性調製液）に通過させる。
【０１１７】
本発明によれば、テキスタイル材料又はプラスチック材料を水性調製液に通過させるか、或いは水性調製液をテキスタイル材料又はプラスチック材料に通過させても良い。これらの処理方法は、その後にネットに形作られるオープンワイズ材料（open-width material）の含浸を行う場合に好ましい。未処理ネットを小規模製造又は再含浸する場合、簡易な手持ち式ローラを使用すれば十分であろう。
【０１１８】
［工程ｉｉｂ）］
更に、水性調製液をテキスタイル材料又はプラスチック材料に片面コーティング塗布法（one-side only-coating application method）によって施すことが可能である。好適な片面コーティング塗布法は、例えば、ナイフ／ドクターブレードコーティング、ローラーコーティング又はスクリーンコーティングである。この方法により、テキスタイル材料又はプラスチック材料の片面のみを含浸可能であり、例えば人間の皮膚を殺虫剤処理材料と直接接触させるのを回避させる場合に有効である。
【０１１９】
ナイフ／ドクターブレードコーティングシステムは、例えば、ナイフオーバーエアシステム（knife-over-air-system）、ナイフオーバーローラーシステム（knife-over-roller-system）、ナイフオーバーテーブルシステム（knife-over-table system）又はナイフオーバーラバーベルトシステム（knife-over-rubber-belt system）である。他のナイフコーティングシステムは、例えば、コムマバー（commabar）又はマイエルバーナイフシステム（Mayerbar knife system）である。
【０１２０】
ローラーコーティングシステムは、例えば１個、２個、３個又はそれ以上のローラを有するキスコーティングシステム（kiss-coating system）、リバースロールコーターシステム（reverse-roll-coater system）及びラスターロールシステム（raster-roll system）である。これらのローラーコーティングシステムにおいて、少なくとも１個のローラーを水性調製液に部分的に浸すので、水性調製液をローラーと接触するテキスタイル材料又はプラスチック材料の一方の面に施す（キスローリング）。
【０１２１】
スクリーンコーティングシステムは、例えば、ロータリースクリーン印刷システム（rotary-screen printing system）及びフラットスクリーン印刷システム（flat-screen printing system）である。これらの塗布法により、ドットコーティング又はフルスクリーンコーティングを、例えばロータリースクリーンの後ろで更にウィスパーブレード（whisper-blade）を用いて、テキスタイル材料又はプラスチック材料に用いることができる。
【０１２２】
当業者等は、適宜増粘剤を施すことにより使用される水性調製液の粘度を調節するであろう。
【０１２３】
［工程ｉｉｃ）］
水性調製液をテキスタイル材料又はプラスチック材料に、両面コーティング塗布法、例えば両面ナイフコーティングシステム、２種類のエアナイフを用いるフラール又は絞りローラを用いるフラールによって更に施すことができる。
【０１２４】
両面ナイフコーティングシステムを用いるか、又は片面コーティングシステムにより２回通過させることによって、水性調製液をテキスタイル材料又はプラスチック材料の両面の表面のみに施すので、所定の効果のために必要とされる水性調製液の量を減らすことができる。
【０１２５】
［工程ｉｉｄ）及び工程ｉｉｅ）］
溶液又はエマルジョンをテキスタイル材料又はプラスチック材料に噴霧することによって水性調製液更に施すことができる。更に、テキスタイル材料又はプラスチック材料に施されるフォームの形のエマルジョンを施すことも可能である。フォームは、水を上述の溶液又はエマルジョンより少なく含んでいる。従って、乾燥処理を極めて短時間で行うことができる。
【０１２６】
［工程ｉｉｆ）、工程ｉｉｇ）及び工程ｉｉｈ）］
テキスタイル材料又はプラスチック材料を水性調製液中に沈めるか、水性調製液をテキスタイル材料又はプラスチック材料上に又はテキスタイル材料又はプラスチック材料内にはけ塗りするか、又は水性調製液をテキスタイル材料又はプラスチック材料に注ぐことによって、水性調製液をテキスタイル材料又はプラスチック材料に施すことが更にできる。好適な方法は当業者等に知られている。
【０１２７】
工程ｉｉａ）、ｉｉｂ）、ｉｉｃ）、ｉｉｄ）、ｉｉｅ）、ｉｉｆ）、ｉｉｇ）、又はｉｉｈ）における織物材料又はネットの含浸は、一般に１０〜７０℃、好ましくは１５〜５０℃、更に好ましくは２０〜４０℃の温度で行われる。
【０１２８】
［工程ｉｉｉ）必要により行われる余分な水性調製液の除去］
余分な水性調製液は、テキスタイル材料又はプラスチック材料を圧搾することにより、好ましくはテキスタイル材料又はプラスチック材料を当業者等に知られているローラに通過させることにより、好ましくはドクターブレードを用いて除去するのが一般的であり、これにより所定の母液取込を達成する。圧搾除去された母液は、通常、再利用される。
【０１２９】
或いは、余分な水性調製液は、遠心分離又は吸引ろ過によって除去されることもある。
【０１３０】
［工程ｉｖ）テキスタイル材料又はプラスチック材料の乾燥及び／又は硬化］
乾燥は２００℃未満の温度で行われるのが一般的である。好ましい温度は、５０〜１７０℃、更に好ましくは７０〜１５０℃である。温度の選択は、調製液における殺虫剤の蒸発温度と流動性の関数である。
【０１３１】
乾燥処理は、当該処理が暖かい気候で行われることから太陽熱単純利用の乾燥であっても良い。活性ドライ法は、通常、大規模処理中に行われる。
【０１３２】
乾燥後又は乾燥と同時に、含浸テキスタイル材料又はプラスチック材料を、必要により最終的に硬化及び／又は定着させる。当業者等は、硬化及び／又は定着をどのように行うのかを知っている。硬化処理は、乾燥温度より高温の温度条件下で行われるのが一般的である。硬化のための好ましい温度は、６０〜１７０℃であり、好ましくは７０〜１７０℃であり、更に好ましくは８０〜１５０℃である。乾燥及び硬化を、例えば異なる温度まで加熱することができる異なる区画を有するテンターにおいて、単一処理中に行うことができる。反応性架橋剤を使用する場合、温度はより低温、例えば３０〜１３０℃、好ましくは３０〜１００℃であっても良い。
【０１３３】
乾燥及び／又は硬化は、このために織物工場で一般に利用される装置、例えばテンター、ループ式乾燥機、ホットフルー（hotflue）、回転式乾燥機、パッドスチーム機（pad steam machine）等で達成可能である。本発明の一実施の形態において、不連続（バッチ式）乾燥及び／又は硬化のための装置を使用する。かかる装置は、業務洗濯の、処理温度まで加熱可能な連結洗濯／乾燥機で使用されるロータリ式又は回転式乾燥機、ジーンズのストーン・ウォッシュを備えていても良い。処理用化学物質を、母液として添加するか、又はネット材料に噴霧して、その後、乾燥／硬化前又は乾燥／硬化中に、湿潤材料を回転させることによって均一に分散させる。処理用母液は、例えば遠心分離によって過剰の母液を除去可能である場合、過剰に添加しても良い。当業者等は、処理時間が同一の温度条件下の連続法における場合より長くなることがあることについて気付いている。
【０１３４】
硬化処理は、テキスタイル材料又はプラスチック材料を加圧下の加熱面、例えば鉄又は加熱ローラーに対して通過させる工程を含むか、かかる工程から構成されている。乾燥処理及び硬化中、テキスタイル材料又はプラスチック材料を、形の変化、例えば収縮又は寸法の歪みを防ぐように機械的に固定するのが好ましい。更に、殺虫剤及び／又は防虫剤が洗い流されるのを防止する。或いは、硬化及び／又は定着を、熱及びＵＶ光を組み合わせる二重硬化法か、又はＵＶ光のみによって行うことができる。好適な処理方法は、当業者等に知られている。
【０１３５】
アクリルバインダ及び／又はポリウレタンは、殺虫剤及び／又は防虫剤のテキスタイル材料又はプラスチック材料に対する付着を改善するための定着剤を用いて施され得るのが有利である。定着剤は、遊離イソシアネート基を含んでいても良い。
【０１３６】
好適な定着剤は、例えば、遊離イソシアネート基を含むイソシアヌレートである。好ましいイソシアヌレートは、アルキレン単位に４〜１２個の炭素原子を有する以下のアルキレンジイソシアネート、例えば１，１２−ドデカンジイソシアネート、２−エチルテトラメチレンジイソシアネート−１，４、２−メチルペンタメチレンジイソシアネート−１，５、テトラメチレンジイソシアネート−１，４、リシンエステルジイソシアネート（ＬＤＩ）、ヘキサメチレンジイソシアネート−１，６（ＨＭＤＩ）、シクロヘキサン−１，３−及び／又は−１，４−ジイソシアネート、２，４−及び２，６−ヘキサヒドロトルリレンジイソシアネート、並びに対応の異性体混合物の４，４’−、２，２’−及び２，４’−ジシクロヘキシルメタンジイソシアネート並びに対応の混合物、１−イソシアナト−３，３，５−トリメチル−５−イソシアナトメチルシクロヘキサン（ＩＰＤＩ）、２，４−及び／又は２，６−トルリレンジイソシアネート、４，４’−、２，４’−及び／又は２，２’−ジフェニルメタンジイソシアネート（モノマーのＭＤＩ）、ポリフェニルポリメチレンポリイソシアネート（ポリマーのＭＤＩ）及び／又は少なくとも２種の上述のイソシアネートを含む混合物を基礎としている。更に好ましくは、イソシアヌレートは、ヘキサメチレンジイソシアネート−１，６（ＨＭＤＩ）を基礎としている。
【０１３７】
更に好ましくは、イソシアヌレートは、エチレンオキシド及び／又は１，２−プロピレンオキシド、好ましくはポリエチレンオキシドを基礎とするポリアルキレンオキシドで親水性にされているイソシアヌレートである。
【０１３８】
定着剤として使用されるイソシアヌレートは、当業者等に知られている方法で製造可能である。イソシアヌレートの製造に出発材料として使用されるイソシアネートの量に対して、好ましくは５〜２５質量％、更に好ましくは７〜２０質量％、最も好ましくは１０〜１５質量％のイソシアネート基は、遊離イソシアネート基である。
【０１３９】
定着剤として使用されるイソシアヌレートを、極性の非プロトン性溶剤、例えばＴＨＦ、ＤＭＦ又はポリエチレン若しくはエチレンカーボネートに溶解させるのが最も好ましい。
【０１４０】
定着剤として、ポリエチレンオキシドで親水性とされ、プロピレンカーボネートに溶解させたＨＭＤＩ（７０質量％のＨＭＤＩを３０質量％のプロピレンカーボネートに溶解）を基礎とするイソシアヌレートを使用するのが最も好ましい。遊離シアネート基の量は、イソシアヌレートの調製のための出発材料として用いられるイソシアネートの量に対して、１１〜１２質量％の範囲である。
【０１４１】
殺虫剤組成物は、定着剤を使用する場合、組成物の固体含有量に対して、以下の成分：
ａ）２０〜７０質量％、好ましくは２５〜６５質量％、更に好ましくは３０〜６５質量％の少なくとも１種の殺虫剤及び／又は少なくとも１種の防虫剤（成分Ａ）、
ｂ１）以下の成分を含む２９〜７２質量％、好ましくは３４〜７０質量％、更に好ましくは３３〜６６質量％の少なくとも１種の上述のアクリルバインダ（成分Ｂ１）、すなわち
ｂ１ａ）アクリルバインダに対して、１０〜９０質量％、好ましくは１５〜８０質量％、更に好ましくは２０〜７０質量％のｎ−ブチルアクリレート（成分Ｂ１Ａ）、
ｂ１ｂ）アクリルバインダに対して、１０〜９０質量％、好ましくは１２〜８５質量％、更に好ましくは１５〜６５質量％の少なくとも１種の式Ｉのモノマー（成分Ｂ１Ｂ）、
ｂ１ｃ）アクリルバインダに対して、１〜５質量％の少なくとも１種の式ＩＩのモノマー（成分Ｂ１Ｃ）、
ｂ１ｄ）アクリルバインダに対して、０〜５質量％、好ましくは１〜４質量％、更に好ましくは０．２〜３質量％の少なくとも１種の式ＩＩＩのモノマー（成分Ｂ１Ｄ）、
ｂ１ｅ）以下の成分：
ｂ１ｅ１）アクリルバインダに対して、０〜３０質量％、好ましくは０〜２５質量％、更に好ましくは５〜２０質量％の少なくとも１種の極性モノマー、好ましくは（メタ）アクリル酸ニトリル及び／又はメチル（メタ）アクリレート（成分Ｂ１Ｅ１）、及び／又は
ｂ１ｅ２）アクリルバインダに対して、０〜４０質量％、好ましくは０〜３０質量％、更に好ましくは５〜２０質量％の少なくとも１種の無極性モノマー、好ましくはスチレン及び／又はメチルスチレン（成分Ｂ１Ｅ２）、
から選択される上述のモノマーと共重合可能な他のモノマー（成分Ｂ１Ｅ）、
ｂ２）以下のｂ２ａ）〜ｂ２ｄ）を含む２９〜７２質量％、好ましくは３４〜７０質量％、更に好ましくは３３〜６６質量％の少なくとも１種の上述のポリウレタン（成分Ｂ２）、すなわち
ｂ２ａ）ポリウレタンに対して、５５〜９９質量％、好ましくは７０〜９８質量％、更に好ましくは７５〜９０質量％の少なくとも１種のジイソシアネート又はポリイソシアネート（成分Ｂ２Ａ）、好ましくは脂肪族、脂環式、アリール脂肪族及び／又は芳香族イソシアネート、更に好ましくはジイソシアネート（必要によりビウレット化及び／又はイソシアヌレート化されていても良い。）、最も好ましくは１−イソシアナト−３，３，５−トリメチル−５−イソシアナトメチレンシクロヘキサン（ＩＰＤＩ）及びヘキサメチレンジイソシアネート−１，６（ＨＭＤＩ）、
ｂ２ｂ）ポリウレタンに対して、１０〜９０質量％、好ましくは１２〜８５質量％、更に好ましくは１５〜６５質量％の少なくとも１種のジオール、トリオール又はポリオール（成分Ｂ２Ｂ）、好ましくは炭素原子数２〜１４、好ましくは４〜１０の脂肪族、脂環式及び／又はアリール脂肪族ジオール、更に好ましくは１，６−ヘキサンジオール又はネオペンチルグリコール、
ｂ２ｃ）ポリウレタンに対して、０〜１０質量％、好ましくは０．１〜５質量％、更に好ましくは１〜５質量％の他の成分（成分Ｂ２Ｃ）、好ましくはアジピン酸又はカルボニルジイミダゾール（ＣＤＩ）、及び
ｂ２ｄ）ポリウレタンに対して、０〜１０質量％、好ましくは０．１〜５質量％、更に好ましくは０．５〜５質量％の他の添加剤（成分Ｂ２Ｄ）、
ｃ）１〜８質量％、好ましくは１〜５質量％、更に好ましくは２〜４質量％の少なくとも１種の定着剤（成分Ｃ）、
（但し、各成分の合計は、殺虫剤組成物の固体含有量に対して１００質量％となる。）
を含むのが好ましい。
【０１４２】
好ましい定着剤は、上述した通りである。
【０１４３】
上述したように、溶液又はエマルジョンは、更に、水、防腐剤、洗浄剤、フィラー、衝撃改良剤、防曇剤、発泡剤、澄まし剤、核剤、カップリング剤、導電性向上剤（耐電防止剤）、安定剤、例えば酸化防止剤、炭素及び酸素ラジカルのスカベンジャー及び分解剤の過酸化物等、難燃剤、離型剤、ＵＶ保護性を有する薬剤、展着剤、ブロッキング防止剤、拡散防止剤、発砲形成剤、防汚剤、増粘剤、他の殺生物剤、湿潤剤、可塑剤及び被膜形成剤、接着剤又は粘着防止剤、蛍光増白剤（蛍光増白）、芳香剤、顔料及び染料から選択される１種以上の成分を含んでいても良い。
【０１４４】
本発明の方法は、上述のキットを用いる工程を更に包含するので、含浸処理法を、最終利用者により、小規模な方法で、又は地元の工場で行うことができる。従って、本発明は、上述したように織物材料を含浸する方法であって、含浸組成物が、最終利用者によって行われるか、又は地元の工場で行われる含浸のためのキットとして設けられている方法に関する。
【０１４５】
本発明の他の実施の形態において、上述したように殺虫剤組成物を施与する工程を含む含浸方法は、繊維を織る又は編む前に行うことも可能である。
【０１４６】
他の実施の形態において、本発明は、少なくとも１種の殺虫剤及び／又は少なくとも１種の防虫剤及び本願発明で開示された少なくとも１種のアクリルバインダ及び／又はポリウレタンを含む組成物をテキスタイル材料又はプラスチック材料に施すことによるテキスタイル材料又はプラスチック材料の被覆方法に関する。被覆は、ドクターブレード法で行われるのが好ましい。処理条件は、当業者等に知られている。
【０１４７】
テキスタイル材料又はプラスチック材料を被覆する好ましい組成物及びその組成物における好ましい他の成分は、上述した通りである。
【０１４８】
他の実施の形態において、本発明は、以下の工程：
ｉ）テキスタイル材料又はプラスチック材料を、耐圧容器に含まれる他の添加剤を必要により含んでいても良い水性溶液（水溶液）中に導入する工程、
ｉｉ）少なくとも１種の殺虫剤及び／又は防虫剤を含む水性調製液を添加する工程、
ｉｉｉ）水性溶液を１００〜１４０℃の温度に加熱し、その温度を２０〜１２０分間保持する工程、及び
ｉｖ）溶液を冷却し、排水し、そして含浸されたテキスタイル材料又はプラスチック材料を濯ぎ、乾燥する工程、
を含むテキスタイル材料又はプラスチック材料を含浸するための排気法に関する。
【０１４９】
本発明者等は、テキスタイル材料又はプラスチック材料を、バインダ又はポリウレタンの不存在下であっても、上述の方法によって含浸することによって、殺虫剤及び／又は防虫剤が洗い流されず、そして昆虫を殺傷するための殺虫剤及び／又は防虫剤の生物学的利用能（バイオアベイラビリティ）が複数回の洗浄後に保持されることを見出した。少なくとも１種の殺虫剤及び／又は防虫剤を含む水性溶液及び水性調製液は、バインダ又はポリウレタンを含まないのが好ましい。
【０１５０】
好適なテキスタイル材料又はプラスチック材料は、上述したテキスタイル材料又はプラスチック材料である。好適な殺虫剤及び／又は防虫剤についても上述した通りである。
【０１５１】
好適な他の添加剤は、防腐剤、洗浄剤、フィラー、衝撃改良剤、防曇剤、発泡剤、澄まし剤、核剤、カップリング剤、導電性向上剤（耐電防止剤）、安定剤、例えば酸化防止剤、炭素及び酸素ラジカルのスカベンジャー及び分解剤の過酸化物等、難燃剤、離型剤、ＵＶ保護性を有する薬剤、増白剤、展着剤、ブロッキング防止剤、拡散防止剤、発砲形成剤、防汚剤、増粘剤、他の殺生物剤、湿潤剤、可塑剤及び被膜形成剤、接着剤又は粘着防止剤、蛍光増白剤（蛍光増白）、芳香剤、顔料及び染料から選択されるのが好ましい。
【０１５２】
上述した群から選択される好ましい他の添加剤は、上述した通りである。
【０１５３】
従って、本発明は、水性溶液が、他の添加剤として、防腐剤、洗浄剤、フィラー、衝撃改良剤、防曇剤、発泡剤、澄まし剤、核剤、カップリング剤、導電性向上剤（耐電防止剤）、安定剤、例えば酸化防止剤、炭素及び酸素ラジカルのスカベンジャー及び分解剤の過酸化物等、難燃剤、離型剤、ＵＶ保護性を有する薬剤、増白剤、展着剤、ブロッキング防止剤、拡散防止剤、発砲形成剤、防汚剤、増粘剤、他の殺生物剤、湿潤剤、可塑剤及び被膜形成剤、接着剤又は粘着防止剤、蛍光増白剤（蛍光増白）、芳香剤、顔料及び染料から選択される１種以上の成分を含む上述の方法に関する。
【０１５４】
工程ｉｉ）で添加される水性調製液の一部を形成する殺虫剤及び／又は防虫剤は、水基礎殺虫剤及び／又は防虫剤濃縮物又は溶剤、好ましくは有機溶剤基礎殺虫剤及び／又は防虫剤濃縮物又は水と溶剤、好ましくは有機溶剤の混合物を基礎とする濃縮物の形であっても良い。水基礎濃縮物は、必要により好適な分散剤を含む懸濁液又は分散液の形か、或いは乳化剤、溶剤及び適宜共溶剤を含むエマルジョンの形であっても良い。ナノパティキュラーな殺虫剤調製液は、殺虫剤の固体溶液を有機極性溶剤、例えばポリビニルピロリドン（ＰＶＰ）に溶解させることによって得ることができる。水基礎又は溶剤基礎濃縮物における殺虫剤及び／又は防虫剤の濃度は、一般に０．５〜６０質量％の範囲であり、１〜４０質量％の範囲が好ましく、更に好ましくは３〜２０質量％の範囲である。
【０１５５】
水基礎懸濁液又は分散液における殺虫剤及び／又は防虫剤の粒径は、一般に５０ｎｍ〜２０μｍの範囲、好ましくは５０ｎｍ〜８μｍの範囲、更に好ましくは５０ｎｍ〜４μｍの範囲、もっとも好ましくは５０ｎｍ〜５００ｎｍの範囲である。
【０１５６】
少なくとも１種の殺虫剤及び／又は防虫剤を含み、工程ｉｉ）で添加される水性調製液は、殺虫剤において水を除く各成分の合計に対して、０．１〜４５質量％の水、好ましくは１〜２５質量％の水を含むのが好ましい。
【０１５７】
［工程ｉ）］
水性溶液は、耐圧容器中に含まれる。好適な耐圧容器は当業者等に知られている。
【０１５８】
テキスタイル材料又はプラスチック材料の量と水性溶液における液体の量との間の質量比である液体割合は、好ましくは１：３〜１：５０の範囲であり、更に好ましくは１：５〜１：３０の範囲であり、最も好ましくは１：２０（すなわち２０Ｌの水性溶液に対して１ｋｇのテキスタイル材料又はプラスチック材料）である。他の好ましい実施の形態において、液体割合は１：５〜１：２０の範囲であり、１：１０〜１：２０の範囲が好ましい。
【０１５９】
水性溶液のｐＨは、わずかに酸性に設定されるのが好ましく、好ましくは３〜６の範囲であり、更に好ましくは４〜５の範囲である。ｐＨを所望の値に設定するための好適な添加剤は、当業者等に知られている。
【０１６０】
［工程ｉｉ）］
少なくとも１種の殺虫剤及び／又は防虫剤を含む水性調製液の添加は、当業者等に知られている方法で行うことができる。少なくとも１種の殺虫剤及び／又は防虫剤を含む好適な水性調製液は、上述した通りである。
【０１６１】
［工程ｉｉｉ）］
水性溶液を１００〜１４０℃の温度に加熱し、その温度を２０〜１２０分間保持する。水性溶液を１１０〜１３０℃に加熱するのが好ましく、１２０〜１３０℃に加熱するのが更に好ましい。水性溶液の温度を２０〜９０分間保持するのが好ましく、３０〜６０分間保持するのが更に好ましい。水性溶液を、当業者等に知られている好適な方法で加熱可能である。
【０１６２】
［工程ｉｖ）］
工程ｉｖ）において、水性溶液を冷却し、そして排出する。更に、含浸されたテキスタイル材料又はプラスチック材料を濯ぎ、そして乾燥する。好ましくは、水性溶液を９０〜５０℃に冷却するのが好ましく、８０〜６０℃に冷却するのが更に好ましい。溶液の排出は、当業者等に知られている方法で行われる。排出後、含浸されたテキスタイル材料又はプラスチック材料を、好ましくは暖かい及び／又は冷たい（低温）の水を用いて濯ぐ。最終的に、これにより得られた含浸テキスタイル材料又はプラスチック材料を当業者等に知られている方法によって乾燥する。
【０１６３】
従って、本発明のテキスタイル材料又はプラスチック材料を含浸する排気法は、以下の通りに行われるのが好ましい：
テキスタイル材料又はプラスチック材料を、耐圧容器中に含まれる水性溶液に対して、１：３〜１：５０の範囲であり、好ましくは１：５〜１：３０の範囲であり、更に好ましくは１：２０（すなわち２０Ｌの水性溶液に対して１ｋｇのテキスタイル材料又はプラスチック材料）の液体割合で導入する。殺虫剤及び／又は防虫剤の水性調製液を懸濁液又はエマルジョンとして添加するのが好ましく、溶液を１００〜１４０℃、好ましくは１００〜１３０℃、更に好ましくは１２０〜１３０℃に加熱する。温度を２０〜１２０分間保持し、２０〜９０分間保持するのが好ましく、３０〜６０分間保持するのが更に好ましい。その後、処理溶液を９０〜５０℃、更に好ましくは８０〜６０℃に冷却し、次いで溶液を排出する。処理された材料を暖かい及び／又は冷たい水を用いて注ぎ、そして乾燥する。
【０１６４】
他の実施の形態において、本発明は、以下の工程：
ｉ）テキスタイル材料又はプラスチック材料を、耐圧容器に含まれる他の添加剤を必要により含んでいても良い水性溶液に導入する工程、
ｉｉ）少なくとも１種の殺虫剤及び／又は防虫剤を含む水性調製液を添加する工程、
ｉｉｉ）水性溶液を１００〜１４０℃の温度に加熱し、その温度を２０〜１２０分間保持する工程、及び
ｉｖ）溶液を冷却し、排水し、そして含浸されたテキスタイル材料又はプラスチック材料を濯ぎ、乾燥する工程、
を含むことによる排気法によって得られる含浸されたテキスタイル材料又はプラスチック材料に関する。
【０１６５】
含浸法の工程ｉ）〜ｉｖ）は、上記で詳述したとおりである。
【実施例】
【０１６６】
［バインダ］
Ａ）ポリマー分散液の調製
一般的な手続き：
２５０ｇの水及び３０ｎｍの中位の粒径を有する３ｇのスチレンシード（スチレン種）（３３質量％）を８５℃に加熱し、そして５質量％の供給物２を添加した。１０分後、以下に述べるモノマーと供給物２を含む供給物１の添加を開始した。
【０１６７】
供給物２は、３９．９ｇの水に溶解させた３．０ｇのナトリウムペルオキソジスルフェートを含んでいた。供給物１の組成を表１に列挙する。
【０１６８】
供給物１及び２を３時間で添加し、そして更に０．５時間重合した。
【０１６９】
【表１】
2007524773.tif 000011
【０１７０】
開始剤のナトリウムペルオキソジスルフェートの量は、０．３質量部であり、乳化剤は、表１における１００質量部のモノマー組成物に対して、０．４質量部のダウワックス２Ａ１（ダウ社）と０．６質量部のルミテンＩＲＡ（ＢＡＳＦ社）を含んでいた。
【０１７１】
略語：
ＭＭＡ：  メチルメタクリレート、
Ｓ：  スチレン、
ＡＮ：  アクリル酸ニトリル、
ＥＡ：  エチルアクリレート、
ＥＨＡ：  ２−エチルヘキシルアクリレート、
ＢＡ：  ｎ−ブチルアクリレート、
ＦＩ：  アクリル酸基を有する共重合可能なベンゾフェノン、
ＧＭＡ：  グリシジルメタクリレート、
ＢＭＡ−Ａｃａｃ：  ビタンジオールモノアクリレートアセチルアセテート、
Ａｍｏｌ：  Ｎ−メチロールアクリルアミド、
ＭＡＭｏｌ：  Ｎ−メチロールメタクリルアミド、
ＨＰＭＡ：  ヒドロキシプロピルメタクリレート、
ＡＳ：  アクリル酸、
ＡＭ：  アクリル酸アミド。
【０１７２】
ダウワックス２Ａ１：
【０１７３】
【化１０】
2007524773.tif 000012
【０１７４】
ルミテンＩＲＡ：
【０１７５】
【化１１】
2007524773.tif 000013
【０１７６】
［実施例Ａ１及びＡ８］
その後に架橋剤として有用となるＦｌ−１重合性光開始剤を含むポリマー水性分散液は、下式：
【０１７７】
【化１２】
2007524773.tif 000014
【０１７８】
［但し、Ｒ8が炭素原子数１〜３０の有機基を表し、
Ｒ9がＨ又はメチル基を表し、そして
Ｒ10が、必要により置換されているフェニル基、又はＣ1〜Ｃ4アルキル基を表す。］
で表される光開始剤である。
【０１７９】
［使用実施例］（Ｂ０１〜Ｂ１４）
長時間効果の殺虫剤処理を、事前に洗浄することなく、市販の白色ポリエステルネット材料（繊維のタイター７５デニール、１５６メッシュ、質量２８〜３２ｇ／ｍ2）において実施例Ａ１〜Ａ１７による水性分散液を用いて行った。水性分散液を殺虫剤及び／又は防虫剤の市販のエマルジョンと混合し、緩衝溶液を用いてｐＨを調節し、（必要により）定着剤を添加することによって水性処理溶液を調製した。処理溶液の濃度は、液体取込性に基づき調節した（６０〜１００％の範囲のＬＵ）。実験室規模のパッドテンター装置（マシス（Mathis）社、スイス）を用いて処理溶液を施した。ネット材料を処理溶液に完全に漬け、そして逆方向に移動するシリンダーに通過させることによって過剰の液体を除去した。これらのシリンダー間において所定の距離を選択することによって（これにより所定の圧力となる）、液体の取込性を調節可能となった。液体取込（量）は、ネットの含浸部分を秤量し、そして乾燥の未処理ネットの質量を減じることによって測定し、ネットの質量に対して、液体を質量換算（質量％）で得た。乾燥／硬化工程を実験室用のテンターで行うことにより、温度及び処理時間を制御可能となった。
【０１８０】
処理されたネットを、表２に記載のように異なる時間で洗浄した（"ノックダウン６０分"の欄を参照、括弧内の記載（数＋ｗ）は、試験を行う前にネットをどのくらい洗浄したのかを示している。）。洗浄は、"Montpellier washing procedure"（補遺  ＷＨＯ  ＰＶＣ、３／０７／２００２"Evalution of wash resistance of long-lasting isecticidal nets"に記載されているように）に基づき行った：ネットのサンプルを、１分間に１５０回の運動条件下、透明な水中において１０分間揺動される水浴中において、０．５Ｌの脱イオン化水及び２ｇ／Ｌの石鹸（ｐＨ１０〜１１）を含むビーカーで個々に洗浄した。使用された石鹸は、以下の成分（エチドロン酸及び水酸化ナトリウム又はココナッツ酸、テトラナトリウムＥＤＴＡ並びにリモネン等の他の成分の中で）：ナトリウム牛脂脂肪酸、水、ナトリウムパルムケルネレート又はナトリウムココエート、ペルフメ、グリセロール、塩化ナトリウム及び染料（Ｃ．Ｉ．７７８９１）を含んでいた。
【０１８１】
試料を、以下に説明するようなコーン試験手順に従い生物学的検定（バイオアッセイ）した。
【０１８２】
試験の手順：
試験は、ＷＨＯコーン試験手順の基本ガイドラインに従い修正を加えて行った。コーン（cone）（ＷＨＯコーン（ＷＨＯＰＥＳ９６．１））：底縁の周囲に平坦なフランジと頂部に細孔を有する透明なプラスチック製コーン構造体（直径１１ｃｍ））を、ＣＤＣ（疾病対策予防センター：Centers for Disease Control and Prevention）の方法論に類似して設計された手製のマニホールド装置を間に介して処理されたネット部品（２５×２５ｃｍ）に対して保持した。使用されるマニホールド装置は、プラスチック製サービングトレイ（３０．５ｃｍ×４１．０ｃｍ、強化プラスチック）に４個の細孔（直径９ｃｍ）を切り取ることによって作製された。同一の寸法の未変性トレイはベースとして作用した。ベーストレイの表面に対して、二組の吸い取り紙を載置し、裁断して、トレイの内側に合わせた。その後、１つの処理されたネットを吸い取り紙に載置し、次いで４個のＷＨＯコーンを載置して、マニホールドの（頂部）トレイで切り取られた細孔の位置にほぼ対応させた。その後、かかる頂部トレイをコーンに対して載置して、コーンを細孔に通過させた。その後、頂部トレイを、４個の大きなバインダクリップを用いてベーストレイにしっかり固定した。吸い取り紙により、コーンをネットに対して適度に強固に適合させる助けとなった。日齢１〜５日の雄雌混合の蚊を飼育箱からアスピレータを用いて移し、約５匹の蚊を各々のコーンに導入した。昆虫を第１のコーンに導入した後に実験室用タイマーを作動させ、各々のコーンに約１５秒ごとに蚊が供給され、全てのコーンを満たすために１分必要であった。昆虫の導入直後に、各々のコーンをゴム製のストッパで塞いだ。蚊を各コーンで３分間保持し、且つ各昆虫は、一般に、ネットの表面で静止していた（処理が強固な虫除けでない場合）。蚊がコーンの壁部で静止した場合、その後、コーンを穏やかに軽く叩いて、昆虫をネットに移動させても良い。３分後、昆虫を全てアスピレータで移動させ、プラスチック製の保持キャップに導入し、４個の全てのコーンから蚊を集めた（これは、１回の複製を示す）。各処理において４回の複製が推奨される。保持キャップは、ねじ式のプラスチック製の蓋を有する透明なプラスチック製キャプ（高さ９ｃｍ×幅６．５ｃｍ）から構成されていた。蓋における１ｃｍの細孔を利用して、昆虫の載置のためのアスピレータを挿入した。各コーンから一組の蚊を集め、一度に保持容器に載置した。
【０１８３】
アスピレータの先端を容器の蓋に挿入する間、頂部の透明な印を用いて、昆虫の脱出を防ぐために細孔を塞いだ。４個全てのコーンにおいて保持容器への昆虫が居なくなった後、１０％の砂糖水で浸された歯科用綿製ガーゼで細孔を塞いだ。キャップから突き出るガーゼの端部は、キャップを落下させず且つ蚊を逃がさないようにするために手で少し平坦化された端部を有している。６０分及び２４時間においてプールされた蚊からノックダウンデータ（ＫＤ）を得た。３０分（又はその他）の測定値についても、必要により含めて良い。ノックダウンの速度に関して、蚊をコーンに残し、ＫＤまでの時間を各々の蚊ごとに記録した。各々のＫＤ蚊は、それが残ることにより、再度飛ぶ場合に昆虫を数え直すのを防止するようにするため、取り除かれた。その後、全ての蚊を上述したように２４時間の死亡率をカウントするため保持した。
【０１８４】
【表２】
2007524773.tif 000015
【０１８５】
【表３】
2007524773.tif 000016
【０１８６】
［実験Ｃ］
５ｋｇの未処理ネット材料を回転式乾燥機に導入し、１０ｇ／Ｌの実施例Ａ１７のポリマー、６．４ｇ／Ｌの分散液としてのα−シペルメトリン、０．６６ｇ／Ｌの定着剤［（ポリエチレンオキシドで親水性とされ、プロピレンカーボネートに溶解させたＨＭＤＩ（７０質量％のＨＭＤＩを３０質量％のプロピレンカーボネートに溶解）を基礎とするイソシアヌレート）；イソシアヌレートの製造に出発材料として使用されるイソシアネートの量に対して、遊離イソシアネート基の量は、１１〜１２質量％であった；定着剤の沸点は、２４０〜２４５℃であった、そして粘度は、２８０ｍＰａ・ｓ（ブロックフィールド１００Ｕ／分）であり、緩衝溶液を用いてｐＨ６に設定した。］を含む５Ｌ（リットル）の処理溶液を、室温条件下で材料に噴霧した。材料を回転させながら乾燥機を８０℃まで加熱し、回転させながら８０℃で１５分間保持した。処理されたネットを１５回以下洗浄し、始めに述べた指針（"Montpellier washing procedure"）に従い、上述したように生物学的検定した。
【０１８７】
結果：６０分後のノックダウン：９８．９％
２４時間後の死亡率：９３．５％。
【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
テキスタイル材料又はプラスチック材料に施すための殺虫剤又は防虫剤組成物であって、
前記組成物は、
ａ）成分Ａとしての少なくとも１種の殺虫剤及び／又は少なくとも１種の防虫剤と、
ｂ１）以下の各成分ｂ１ａ）〜ｂ１ｅ）：
ｂ１ａ）成分Ｂ１Ａとしてのｎ−ブチルアクリレート、
ｂ１ｂ）式Ｉ：
【化１】
2007524773.tif 000022
［但し、Ｒ1、Ｒ2及びＲ3が独立して、直鎖であっても又は分岐していても良いＣ1〜Ｃ10アルキル、置換されていても良いアリールから選択され、Ｒ1及びＲ2が更にＨであっても良く、そしてＲ1及びＲ2がＨであってＲ3がｎ−ブチルである場合を除く。］
で表される成分Ｂ１Ｂとしての少なくとも１種のモノマー、
ｂ１ｃ）式ＩＩ：
【化２】
2007524773.tif 000023
［但し、Ｒ4、Ｒ5、Ｒ6及びＲ7が独立して、Ｈ、直鎖であっても又は分岐していても良いＣ1〜Ｃ10アルキル、置換されていても良いアリールから選択される。］
で表される成分Ｂ１Ｃとしての少なくとも１種のモノマー、
ｂ１ｄ）必要により、式ＩＩＩ：
【化３】
2007524773.tif 000024
［但し、Ｒ8及びＲ9が独立して、Ｈ、直鎖であっても又は分岐していても良いＣ1〜Ｃ10アルキル、置換されていても良いアリールから選択され、
Ｘが、Ｈ、ＯＨ、ＮＨ2、ＯＲ11ＯＨ、グリシジル、ヒドロキシプロピル、以下の基、
【化４】
2007524773.tif 000025
そして、下式：
【化５】
2007524773.tif 000026
｛但し、Ｒ10が直鎖であっても又は分岐していても良いＣ1〜Ｃ10アルキル、置換されていても良いアリールから選択される。｝
で表される基からなる群から選択され、
Ｒ11がＣ1〜Ｃ10アルキレン、置換されていても良いアリーレンから選択される。］
で表される成分Ｂ１Ｄとしての少なくとも１種のモノマー、
ｂ１ｅ）必要により以下の成分：
ｂ１ｅ１）成分Ｂ１Ｅ１としての極性モノマー、及び／又は
ｂ１ｅ２）成分Ｂ１Ｅ２としての無極性モノマー、
から選択される上述のモノマーと共重合可能な他のモノマー、
のエマルジョン重合により得られる成分Ｂ１としての少なくとも１種のアクリルバインダと、を含む混合物を含むことを特徴とする殺虫剤又は防虫剤組成物。
【請求項２】
アクリルバインダは、以下の成分：
ｂ１ａ）１０〜９０質量％、好ましくは１５〜８０質量％、更に好ましくは２０〜７０質量％の成分Ｂ１Ａ、
ｂ１ｂ）１０〜９０質量％、好ましくは１２〜８５質量％、更に好ましくは１５〜６５質量％の成分Ｂ１Ｂ、
ｂ１ｃ）１〜５質量％の成分Ｂ１Ｃ、
ｂ１ｄ）０〜５質量％、好ましくは１〜４質量％、更に好ましくは０．２〜３質量％の成分Ｂ１Ｄ、
ｂ１ｅ）必要により、以下の成分：
ｂ１ｅ１）０〜３０質量％、好ましくは０〜２５質量％、更に好ましくは５〜２０質量％の成分Ｂ１Ｅ１、及び／又は
ｂ１ｅ２）０〜４０質量％、好ましくは０〜３０質量％、更に好ましくは５〜２０質量％の成分Ｂ１Ｅ２、
から選択される上述のモノマーと共重合可能な他のモノマー、
（但し、成分Ｂ１Ａ、Ｂ１Ｂ、Ｂ１Ｃ及び必要によりＢ１Ｄ、Ｂ１Ｅの合計が１００質量％となる。）
のエマルジョン重合により得られる請求項１に記載の殺虫剤又は防虫剤組成物。
【請求項３】
アクリルバインダは、以下の成分：
ｂ１ａ）３０〜８５質量％の成分Ｂ１Ａ、
ｂ１ｂ）１０〜９０質量％、好ましくは１２〜８５質量％、更に好ましくは１５〜６５質量％の成分Ｂ１Ｂ、
ｂ１ｃ）１〜５質量％の成分Ｂ１Ｃ、
ｂ１ｄ）０〜５質量％、好ましくは１〜４質量％、更に好ましくは０．２〜３質量％の成分Ｂ１Ｄ、
ｂ１ｅ）以下の成分：
ｂ１ｅ１）０〜３０質量％、好ましくは０〜２５質量％、更に好ましくは５〜２０質量％の成分Ｂ１Ｅ１、及び／又は
ｂ１ｅ２）０〜４０質量％、好ましくは０〜３０質量％、更に好ましくは５〜２０質量％の成分Ｂ１Ｅ２、
から選択される上述のモノマーと共重合可能な他のモノマー、
（但し、成分Ｂ１Ａ、Ｂ１Ｂ、Ｂ１Ｃ及び必要によりＢ１Ｄ、Ｂ１Ｅの合計が１００質量％となる。）
のエマルジョン重合により得られる請求項１に記載の殺虫剤又は防虫剤組成物。
【請求項４】
テキスタイル材料又はプラスチック材料に施される殺虫剤又は防虫剤組成物であって、
前記組成物は、
ａ）成分Ａとしての少なくとも１種の殺虫剤及び／又は防虫剤と、
ｂ）以下の成分：
ｂ１ａ）３０〜８５質量％の、成分Ｂ１Ａとしてのｎ−ブチルアクリレート、
ｂ１ｂ）０〜６５質量％の、式Ｉ：
【化６】
2007524773.tif 000027
［但し、Ｒ1がＨ又はメチルを表し、Ｒ2がＨを表し、Ｒ3がメチル、エチル、又は２−エチルヘキシルを表す。］
で表される成分Ｂ１Ｂとしての少なくとも１種のモノマー、更に好ましくは２−エチルヘキシルアクリレート、メチルアクリレート、メチルメタクリレート又はエチルアクリレート、
ｂ１ｃ）１〜５質量％の、式ＩＩ：
【化７】
2007524773.tif 000028
［但し、Ｒ4がＨ又はメチルを表し、Ｒ5、Ｒ6及びＲ7がそれぞれＨを表す。］
で表される成分Ｂ１Ｃとしての少なくとも１種のモノマー、
ｂ１ｄ）１〜１０質量％、好ましくは１〜７質量％、更に好ましくは２〜５質量％の、式ＩＩＩ：
【化８】
2007524773.tif 000029
［但し、Ｒ8及びＲ9がＨを表し、
ＸがＨ、ＯＨ、ＮＨ2、ＯＲ11ＯＨ、グリシジル又は以下の
【化９】
2007524773.tif 000030
｛但し、Ｒ10が直鎖であっても又は分岐していても良いＣ1〜Ｃ10アルキル、例えばメチル、エチル、ｎ−プロピル、ｉ−プロピル、ｎ−ブチル、ｉ−ブチル、ｓｅｃ−ブチル、ｔｅｒｔ−ブチル、ｎ−ペンチル、ｉ−ペンチル、ｓｅｃ−ペンチル、ネオペンチル、１，２−ジメチルプロピル、ｉ−アミル、ｎ−ヘキシル、ｉ−ヘキシル、ｓｅｃ−ヘキシル、ｎ−ヘプチル、ｎ−オクチル、２−エチルヘキシル、ｎ−ノニル、ｎ−デシル、好ましくは直鎖であっても又は分岐していてもＣ1〜Ｃ4アルキル、例えばメチル、エチル、ｎ−プロピル、ｉ−プロピル、ｎ−ブチル、ｉ−ブチル、ｓｅｃ−ブチル又はｔｅｒｔ−ブチル；置換されていても良いアリール、好ましくは置換されていても良いＣ6〜Ｃ10アリール、更に好ましくは置換されていても良いＣ6アリール、例えばフェニル又はトリルから選択される。｝
で表される基を表し、
Ｒ11がＣ1〜Ｃ10アルキレン、例えばメチルレン、エチレン、プロピレン、ブチレン、ペンチレン、ヘキシレン、ヘプチレン、オクチレン、ノニレン、デシレン、好ましくはＣ1〜Ｃ4アルキレン、例えばメチレン、エチレン、プロピレン、ブチレン；置換されていても良いアリーレン、好ましくは置換されていても良いＣ6〜Ｃ10アリーレン、更に好ましくは置換されていても良いＣ6アリーレン、例えばフェニレンから選択される。］
で表される成分Ｂ１Ｄとしての少なくとも１種のモノマー、最も好ましくは成分Ｂ１ＤにおいてＸがアセトアセチルを表し、
ｂ１ｅ）以下の成分：
ｂ１ｅ１）０〜３０質量％、好ましくは０〜２５質量％、更に好ましくは５〜２０質量％の成分Ｂ１Ｅ１、好ましくは（メタ）アクリル酸ニトリル及び／又はメチル（メタ）アクリレート、及び／又は
ｂ１ｅ２）０〜４０質量％、好ましくは０〜３０質量％、更に好ましくは５〜２０質量％の成分Ｂ１Ｅ２、好ましくはスチレン及び／又はメチルスチレン、
から選択される上述のモノマーと共重合可能な他のモノマー、
（但し、成分Ｂ１Ａ、Ｂ１Ｂ、Ｂ１Ｃ及び必要によりＢ１Ｄ、Ｂ１Ｅの合計が１００質量％となる。）
のエマルジョン重合により得られる成分Ｂ１としての少なくとも１種のアクリルバインダと、
を含む混合物を含むことを特徴とする殺虫剤又は防虫剤組成物。
【請求項５】
成分Ｂ１は、以下の成分：
ｂ１ａ）成分Ｂ１Ａとして、８１．０質量％のｎ−ブチルアクリレート、
ｂ１ｃ）成分Ｂ１Ｃとして、２．０質量％のＮ−メチロールメタアクリルアミド、
ｂ１ｄ）成分Ｂ１Ｄとして、１．０質量％のアクリル酸、
ｂ１ｅ１）成分Ｂ１Ｅ１として、１６質量％のアクリル酸ニトリル、
のエマルジョン重合により得られる請求項４に記載の殺虫剤又は防虫剤組成物。
【請求項６】
殺虫剤は、
ピレスロイド化合物、例えば
エトフェンプロックス（Etofenprox）：２−（４−エトキシフェニル）−２−メチルプロピル−３−フェノキシベンジルエーテル、
クロロフェナピル（Chlorfenapyr）：４−ブロモ−２−（４−クロロフェニル）−１−エトキシメチル−５−（トリフルオロメチル）ピロール−３−カルボニトリル、
フェンバレレート（Fenvalerate）：（ＲＳ）−α−シアノ−３−フェノキシベンジル（ＲＳ）−２−（４−クロロフェニル）−３メチルブチレート、
エスフェンバレレート（Esfenvalerate）：（Ｓ）−α−シアノ−３−フェノキシベンジル（Ｓ）−２−（４−クロロフェニル）−３−メチルブチレート、
フェンプロパトリン（Fenpropathrin）：（ＲＳ）−α−シアノ−３−フェノキシベンジル２，２，３，３−テトラメチルシクロプロパンカルボキシレート、
シペルメトリン（Cypermethrin）：（ＲＳ）−α−シアノ−３−フェノキシベンジル（１ＲＳ）−ｃｉｓ，ｔｒａｎｓ−３−（２，２−ジクロロビニル）−２，２−ジメチルシクロプロパンカルボキシレート、
α−シペルメトリン：（Ｓ）−α−（１Ｒ）と（Ｒ）−α−（１Ｓ）のジアステレオマーを含むラセミ化合物、
ペルメトリン（Permethrin）：３−フェノキシベンジル（１ＲＳ）−ｃｉｓ，ｔｒａｎｓ−３−（２，２−ジクロロビニル）−２，２−ジメチルシクロプロパンカルボキシレート、
シハロトリン（Cyhalothrin）：（ＲＳ）−α−シアノ−３−フェノキシベンジル（Ｚ）−（１ＲＳ）−ｃｉｓ−３−（２−クロロ−３，３，３−トリフルオロプロパ−１−エニル）−２，２−ジメチルシクロプロパンカルボキシレート、
λ−シハロトリン、
デルタメトリン（Deltamethrin）：（Ｓ）−α−シアノ−３−フェノキシベンジル（１Ｒ）−ｃｉｓ−３−（２，２−ジブロモビニル）−２，２−ジメチルシクロプロパンカルボキシレート、
シクロプロトリン（Cycloprothrin）：（ＲＳ）−α−シアノ−３−フェノキシベンジル（ＲＳ）−２，２−ジクロロ−１−（４−エトキシフェニル）シクロプロパンカルボキシレート、
フルバリネート（Fluvalinate）：α−シアノ−３−フェノキシベンジルＮ−（２−クロロ−α、α、α、α−トリフルオロ−ｐ−トリル）−Ｄ−バリネート、
ビフェントリン（Bifenthrin）：（２−メチルビフェニル−３−イルメチル）０（Ｚ）−（１ＲＳ）−ｃｉｓ−３−（２−クロロ−３，３，３−トリフルオロ−１−プロペニル）−２，２−ジメチルシクロプロパンカルボキシレート、
２−メチル−２−（４−ブロモジフルオロメトキシフェニル）プロピル（３−フェノキシベンジル）エーテル、
トラロメトリン（Tralomethrin）：（Ｓ）−α−シアノ−３−フェノキシベンジル（１Ｒ−ｃｉｓ）３（（１’ＲＳ）（１’、２’、２’、２’−テトラブロモエチル））−２，２−ジメチルシクロプロパンカルボキシレート、
シラフルオフェン（Silafluofen）：４−エトキシフェニル（３−（４−フルオロ−３−フェノキシフェニル）プロピル）ジメチルシラン、
Ｄ−フェノトリン（D-fenothrin）：３−フェノキシベンジル（１Ｒ）−ｃｉｓ，ｔｒａｎｓ−クリサンセメート、
シフェノトリン（Cyphenothrin）：（ＲＳ）−α−シアノ−３−フェノキシベンジル（１Ｒ−ｃｉｓ，ｔｒａｎｓ）−クリサンセメート、
Ｄ−レスメトリン（D-resmethrin）：５−ベンジル−３−フリルメチル（１Ｒ−ｃｉｓ，ｔｒａｎｓ）クリサンセメート、
アクリナトリン（Acrinathrin）：（Ｓ）−α−シアノ−３−フェノキシベンジル（１Ｒ−ｃｉｓ（Ｚ））−（２，２−ジメチル−３−（オキソ−３−（１，１，１，３，３，３−ヘキサフルオロプロピルオキシ）プロペニル）シクロプロパンカルボキシレート、
シフルトリン（Cyfluthrin）：（ＲＳ）−α−シアノ−４−フルオロ−３−フェノキシベンジル３−（２，２−ジクロロビニル）−２，２−ジメチルシクロプロパンカルボキシレート、
テフルトリン（Tefluthrin）：２，３，５，６−テトラフルオロ−４−メチルベンジル（１ＲＳ−ｃｉｓ（Ｚ））−３−（２−クロロ−３，３，３−トリフルオロプロパ−１−エニル）−２，２−ジメチルシクロプロパンカルボキシレート、
トランスフルトリン（Transfluthrin）：２，３，５，６−テトラフルオロベンジル（１Ｒ−ｔｒａｎｓ）−３−（２，２−ジクロロビニル）−２，２−ジメチルシクロプロパンカルボキシレート、
テトラメトリン（Tetramethrin）：３，４，５，６−テトラヒドロフタルイミドメチル（１ＲＳ）−ｃｉｓ、ｔｒａｎｓ−クリサンセメート、
アレトリン（Allethrin）：（ＲＳ）−３−アリル−２−メチル−４−オキソシクロペンタ−２−エニル（１ＲＳ）−ｃｉｓ、ｔｒａｎｓ−クリサンセメート、
プラレトリン（Prallethrin）：（Ｓ）−２−メチル−４−オキソ−３−（２−プロピニル）シクロペンタ−２−エニル（１ＲＳ）−ｃｉｓ、ｔｒａｎｓ−クリサンセメート、
エンペントリン（Empenthrin）：（ＲＳ）−１−エチニル−２−メチル−２−ペンテニル（１Ｒ）−ｃｉｓ、ｔｒａｎｓ−クリサンセメート、
イミプロトリン（Imiprothrin）：２，５−ジオキソ−３−（プロパ−２−イニル）イミダゾリジン−１−イルメチル（１Ｒ）−ｃｉｓ、ｔｒａｎｓ−２，２−ジメチル−３−（２−メチル−１−プロペニル）シクロプロパンカルボキシレート、
Ｄ−フラメトリン（D-flamethrin）：５−（２−プロピニル）フルフリル（１Ｒ）−ｃｉｓ、ｔｒａｎｓ−クリサンセメート、及び５−（２−プロピニル）フルフリル２，２，３，３−テトラメチルシクロプロパンカルボキシレート、
ピリプロキシフェン（Pyriproxyfen）：４−フェノキシフェニル（ＲＳ）−２−（２−ピリジルオキシ）プロピルエーテル、
ピレスルム（Pyrethrum）、
ｄ−ｄ、ｔｒａｎｓ−シフェノトリン（d-d, trans-Cyphenothrin）：（ＲＳ）−α−シアノ−３−フェノキシベンジル（１ＲＳ，３ＲＳ；１ＲＳ，３ＳＲ）−２，２−ジメチル−３−（２−メチルプロパ−１−エニル）シクロプロパンカルボキシレート、
ＤＤＴ；
カルバメート化合物、例えば
アラニカルブ（Alanycarb）：Ｓ−メチル−Ｎ［［Ｎ−メチル−Ｎ−［Ｎ−ベンジル−Ｎ（２−エトキシカルボニルエチル）アミノチオ］カルバモイル］チオアセトイミデート、
ベンジオカルブ（Bendiocarb）：２，２−ジメチル−１，３−ベンゾジオキソール−４−イル−メチルカルバメート、
カルバリル（１−ナフチル）Ｎ−メチルカルバメート、
イソプロカルブ（Isoprocarb）：２−（１−メチルエチル）フェニルメチルカルバメート、
カルボスルファン（Carbosulfan）：２，３−ジヒドロ−２，２−ジメチル−７−ベンゾフラニル［（ジブチルアミノ）チオ］メチルカルバメート、
フェノキシカルブ（Fenoxycarb）：エチル［２−（４−フェノキシフェノキシ）エチル］カルバメート、
インドキサカルブ（Indoxacarb）：メチル−７−クロロ−２，２，３，４，５−テトラヒドロ−２−［メトキシカルボニル（４−トリフルオロメトキシフェニル）］、
プロポキスル（Propoxur）：２−イソプロピルオキシフェノールメチルカルバメート、
ピリミカルブ（Pirimicarb）：２−ジメチルアミノ−５，６−ジメチル−４−ピリミジニル−ジメチルカルバメート、
チオジオカルブ（Thiodiocarb）：ジメチルＮ，Ｎ’（チオビス（メチルイミノ）カルボノイルオキシ）ビスエタンイミジオチオエート、
メソミル（Methomyl）：Ｓ−メチルＮ−（（メチルカルバモイル）オキシ）チオアセトアミデート、
エチオフェンカルブ（Ethiofencarb）：２−（（エチルチオ）メチル）フェニルメチルカルバメート、
フェノチオカルブ（Fenothiocarb）：Ｓ−（４−フェノキシブチル）−Ｎ，Ｎ−ジメチルチオカルバメート、
カルタップ（Cartap）：Ｓ，Ｓ’−（２，５−ジメチルアミノ）トリメチレン）ビス（チオカルバメート）ヒドロクロリド、
フェノブカルブ（Fenobucarb）：２−ｓｅｃ−ブチルフェニルメチルカルバメート、
ＸＭＣ：３，５−ジメチルフェニル−メチルカルバメート、
キシリルカルブ（Xylylcarb）：３，４−ジメチルフェニルメチルカルバメート；
有機リン化合物、例えば
トリクロルフォン（Trichlorfon）：リン酸（２，２，２−トリクロロ−１−ヒドロキシエチル）ジメチルエスエル、
フェニトロチオン（Fenitrothion）：Ｏ，Ｏ−ジメチルＯ−（４−ニトロ−ｍ−トリル）ホスホロチオエート、
ジアジノン（Diazinon）：Ｏ，Ｏ−ジエチル−Ｏ−（２−イソプロピル−６−メチル−４−ピリミジニル）ホスホロチオエート、
ピリダフェンチオン（Pyridaphenthion）：Ｏ−（１，６−ジヒドロ−６−オキソ−１−フェニルピラジジン−３−イル）Ｏ，Ｏ−ジエチルホスホロチオエート、
ピリミホス−エチル（Pirimiphos-Etyl）：Ｏ，Ｏ−ジエチルＯ−（２−（ジエチルアミノ）６−メチルピリミジニル）ホスホロチオエート、
ピリミホス−メチル（Pirimiphos-Methyl）：Ｏ−［２−（ジエチルアミノ）−６−メチル−４−ピリミジニル］Ｏ，Ｏ−ジメチルホスホロチオエート、
エトリムホス（Etrimphos）：Ｏ−６−エトキシ−２−エチル−ピリミジン−４−イル−Ｏ，Ｏ−ジメチル−ホスホロチオエート、
フェンチオン（Fenthion）：Ｏ，Ｏ−ジメチル−Ｏ−［３−メチル−４−（メチルチオ）フェニル］ホスホロチオエート、
ホキシム（Phoxim）：２−（ジエトキシホスフィノトイルオキシイミノ）−２−フェニルアセトニトリル、
クロルピリフォス（Chlorpyrifos）：Ｏ，Ｏ−ジエチル−Ｏ−（３，５，６−トリクロロ−２−ピリニル）ホスホロチオエート、
クロルピリホスメチル（Chlorpyriphosmethyl）：Ｏ，Ｏ−ジメチルＯ−（３，５，６−トリクロロ−２−ピリジニル）ホスホロチオエート、
シアノホス（Cyanophos）：Ｏ，Ｏ−ジメチルＯ−（４−シアノフェニル）ホスホロチオエート、
ピラクロフォス（Pyraclofos）：（Ｒ，Ｓ）［４−クロロフェニル）−ピラゾール−４−イル］−Ｏ−エチル−Ｓ−ｎ−プロピルホスホロチオエート、
アセフェート（Acephate）：Ｏ，Ｓ−ジメチルアセチルホスホロアミドチオエート、
アザメチホス（Azamethiphos）：Ｓ−（６−クロロ−２，３−ジヒドロ−オキソ−１，３−オキサゾロ［４，５−ｂ］ピリジン−３−イルメチルホスホロチオエート、
マラチオン（Malathion）：ジエチルメルカプトスクシネートのＯ，Ｏ−ジメチルホスホロジチオエートエステル、
テメホス（Temephos）：（Ｏ，Ｏ’（チオジ−４−１−フェニレン））Ｏ，Ｏ，Ｏ，Ｏ−テトラメチルホスホロジチオエート、
ジメトエート（Dimethoate）：（（Ｏ，Ｏ−ジメチルＳ−（ｎ−メチルカルバモイルエチル）ホスホロジチオエート、
フォルモチオン（Formothion）：Ｓ［２−ホルミルメチルアミノ］−２−オキソエチル−Ｏ，Ｏ−ジメチルホスホロジチオエート、
フェントエート（Phenthoate）：Ｏ，Ｏ−ジメチルＳ−（α−エトキシカルボニルベンザール）ホスホロジチオエート、
ロドフェンホス（Lodofenphos）：Ｏ−（２，５−ジクロロ−４−ヨードフェニル）−Ｏ，Ｏ−ジメチルホスホロチオエート；
成虫の蚊に対する殺菌効果を有する殺虫剤、例えば
１−（α−（クロロ−α−シクロプロピルベンジリデンアミノ−オキシ）−ｐ−トリル）−３−（２，６−ジフルオロベンゾイル）尿素、
ジフルベンズロン（Diflubenzuron）：Ｎ−（（（３，５−ジクロロ−４−（１，１，２，２−テトラフルオロエトキシ）フェニルアミノ）カルボニル）２，６−ジフルオロベンズアミド、
トリフルムロン（Triflumuron）：２−クロロ−Ｎ−（（（４−（トリフルオロメトキシ）フェニル）−アミノ−）カルボニル）ベンズアミド、又はトリアジン、例えばＮ−シクロプロピル−１，３，５−トリアジン−２，４，６−トリアミン；及び
ラムダシハオトリン（Lambda-cyhalothrine）：（Ｚ）−（１Ｒ，３Ｒ），Ｒ−エステルと（Ｚ）−（１Ｓ，３Ｓ），Ｓ−エステルとの１：１混合物としてのα−シアノ−３−フェノキシベンジル−３−（２−クロロ−３，３，３−トリフルオロプロパ−１−エニル）−２，２−ジメチルシクロプロパンカルボキシレート；
から選択され、
防虫剤は、
Ｎ，Ｎ−ジメチル−ｍ−トルアミド（ＤＥＥＴ）、
Ｎ，Ｎ−ジエチルフェニルアセトアミド（ＤＥＰＡ）、
１−（３−シクロヘキサン−１−イルカルボニル）−２−メチルピペリン、
（２−ヒドロキシメチルシクロヘキシル）酢酸ラクトン、
２−エチル−１，３−ヘキサンジオール、
インダロン、
メチルネオデカンアミド（ＭＮＤＡ）、
昆虫の防除に使用されないピレスロイド、例えば｛（＋／−）−３−アリル−２−メチル−４−オキソシクロペンタ−２−（＋）−エニル−（＋）−ｔｒａｎｓ−クリサンセメート｝（エスビオトリン（Esbiothrin））、
植物の抽出物から誘導されるか、又は植物の抽出物と同一の防虫剤、例えばリモネン、オイゲノール、（＋）−オイカマロル（１）（Eucamalol(1)）、（−）−１−エピオイカマロール又は植物から得られる粗な植物抽出物、例えばユーカリプツスマクラタ（Eucalyptus maculata）、ビテックスロツンジフォリア（Vitex rotundifolia）、シンボポガンマルチニ（Cymbopogan martinii）、シンボポガンシトラツス（Cymbopogan citratus）（レモングラス）、シモポガンナルトヅス（Cymopogan nartdus）（シトロネラソウ）、ＩＲ３５３５（エチルブチルアセチルアミノプロピオネート）、イカリジン（icaridin）（１−ピペリジンカルボン酸２−（２−ヒドロキシエチル）−１−メチルプロピルエステル）；
好適なムロシサイド（mulloscicide）としてのニクロサミド（niclosamide）；
第１世代の抗凝固性殺鼠剤としてのヴァルファリン（warfarin）、クロルファシノン（chlorphacinone）、コウマテトラリル（coumatetralyl）、及び第２世代の抗凝固性殺鼠剤としてのフロコウマフェン（flocoumafen）、ブロジファコウム（brodifacoum）、ジフェナコウム（difenacoum）、ブロマジアロン（bromadialone）、ジフェチアロン（difethialone）及びブロメタリン（bromethalin）から選択される第１世代の抗凝固性殺鼠剤と第２世代の抗凝固性殺鼠剤の殺鼠剤；
水虫の場合に用いられる抗真菌薬であり、以下の群から選択される殺菌剤：
クロトリマゾール（clotrimazole）：１−（２−クロロトリチル）イミダゾール、
ミコナゾール（miconazole）：１−［２−（２，４−ジクロロフェニル）−２−［（２，４−ジクロロフェニル）メトキシ］エトキシ］−１Ｈ−イミダゾール、
エコナゾール（econazole）：４−［２−［（４−クロロフェニル）メトキシ］−２−（２，４−ジクロロフェニル）エチル］−４Ｈ−イミダゾール、
チオコナゾール（tioconazole）：１−［２−［（２−クロロ−３−チエニル）メトキシ］−２−（２，４−ジクロロフェニル）エチル］−１Ｈ−イミダゾール、
ウンデシレン酸、
テルビナフィン（terbinafine）ヒドロクロリド：Ｎ，６，６−トリメチル−Ｎ−（ナフタレン−４−イルメチル）ヘプタ−２−エン−４−イン−１−アミンヒドロクロリド（ラミシルトピカル（lamisil topical））、及び
トルナフテート（tolnaftate）：Ｎ−メチル−Ｎ−（ｍ−トリル）−１−ナフタレン−３−イルオキシチオホルムアミド；
以下の他の殺菌剤、
アゾール、例えばビテルタノール（Bitertanol）、ブロモコナゾール（Bromoconazol）、シプロコナゾール（Cyproconazol）、ジフェノコナゾール（Difenoconazole）、ジニトロコナゾール（Dinitroconazol）、エポキシコナゾール（Epoxiconazol）、フェンブコナゾール（Fenbuconazol）、フルキコナゾール（Fluquiconazol）、フルシラゾール（Flusilazol）、フルトリアフォール（Flutriafol）、ヘキサコナゾール（Hexaconazol）、イマザリル（Imazalil）、イプコナゾール（Ipconazol）、メトコナゾール（Metconazol）、マイクロブタニル（Myclobutanil）、ペンコナゾール（Penconazol）、プロピコナゾール（Propiconazol）、プロクロラゾ（Prochloraz）、プロチオコナゾール（Prothioconazol）、シメコナゾール（Simeconazol）、テブコナゾール（Tebuconazol）、テトラコナゾール（Tetraconazol）、トリアジメフォン（Triadimefon）、トリアジメノール（Triadimenol）、トリフルミゾール（Triflumizol）、トリチコナゾール（Triticonazol）、
ストロビルリン（Strobilurine）、例えばアゾキシストロビン（Azoxystrobin）、ジモキシストロビン（Dimoxystrobin）、フルオキサストロビン（Fluoxastrobin）、クレソキシム−メチル（Kresoxim-methyl）、メトミノストロビン（Metominostrobin）、オリサストロビン（Orysastrobin）、ピコキシストロビン（Picoxystrobin）、ピラクロストロビン（Pyraclostrobin）、トリフロキシストロビン（Trifloxystrobin）、
アシルアラニン（Acylalanine）、例えばベナラキシル（Benalaxyl）、メタラキシル（Metalaxyl）、メフェノキサム（Mefenoxam）、オフラセ（Ofurace）、オキサジキシル（Oxadixyl）、
アミン誘導体、例えばアルジモルフ（Aldimorph）、ドジン（Dodine）、ドデモルフ（Dodemorph）、フェンプロピモルフ（Fenpropimorph）、フェンプロピジン（Fenpropidin）、グアザチン（Guazatine）、イミノクタジン（Iminoctadine）、スピロキサミン（Spiroxamin）、トリデモルフ（Tridemorph）、
アニリノピリミジン（Anilinopyrimidine）、例えばピリメタニル（Pyrimethanil）、メパニピリム（Mepanipyrim）、シプロジニル（Cyprodinil）、
ジカルボキシイミド、例えばイプロジオン（Iprodion）、マイクロゾリン（Myclozolin）、プロシミドン（Procymidon）、ビンクロゾリン（Vinclozolin）、
桂皮酸アミド及び類似物、例えばジメトモルフ（Dimethomorph）、フルメトバー（Flumetover）又はフルモルフ（Flumorph）、
抗生物剤、例えばシクロヘキシミド（Cycloheximid）、グリセオフルビン（Griseofulvin）、カスガマイシン（Kasugamycin）、ナタマイシン（Natamycin）、ポリオキイン（Polyoxin）又はストレプトマイシン（Streptomycin）、
ジチオカルバメート、例えばフェルバム（Ferbam）、ナバム（Nabam）、マネブ（Maneb）、マンコゼブ（Mancozeb）、メタム（Metam）、メチラム（Metiram）、プロピネブ（Propineb）、ポリカルバマト（Polycarbamat）、チラム（Thiram）、ジラム（Ziram）、ジネブ（Zineb）、
複素環式化合物、例えばアニラジン（Anilazin）、ベノマイル（Benomyl）、ボスカリド（Boscalid）、カルベンダジム（Carbendazim）、カルボキン（Carboxin）、オキシカルボキシン（Oxycarboxin）、シアゾファミド（Cyazofamid）、ダゾメト（Dazomet）、ジチアノン（Dithianon）、ファモキサドン（Famoxadon）、フェナミドン（Fenamidon）、フェナリモル（Fenarimol）、フベリダゾール（Fuberidazol）、フルトラニル（Flutolanil）、フラメトピル（Furametpyr）、イソプロチオラン（Isoprothiolan）、メプロニル（Mepronil）、ヌアリモル（Nuarimol）、ピコベンズアミド（Picobenzamid）、プロベンアゾール（Probenazol）、プロキナジド（Proquinazid）、ピリフェノックス（Pyrifenox）、ピロキロン（Pyroquilon）、キノキシフェン（Quinoxyfen）、シルチオファム（Silthiofam）、チアベンダゾール（Thiabendazol）、チフルザミド（Thifluzamid）、チオファナトメチル（Thiophanat methyl）、チアジニル（Tiadinil）、トリシクラゾール（Tricyclazol）、トリフォリン（Triforine）、Mアノルガニカ（M Anorganika）、
ニトロフェニル誘導体、例えばビナパクリル（Binapacryl）、ジノキャプ（Dinocap）、ジノブトン（Dinobuton）、ニトロフタル−イソプロピル、
フェニルピロール、例えばフェンピクロニル（Fenpiclonil）、フルジオキソニル（Fludioxonil）、
スルホン酸誘導体、例えばキャプタフォル（Captafol）、キャプタン（Captan）、ジクロフルアニド（Dichlofluanid）、フォルペト（Folpet）、トリルフルアニド（Tolyfluanid）、
他の殺菌剤、例えばアシベンゾラル（Acibenzolar）−Ｓ−メチル、ベンチアバリカルブ（Benthiavalicarb）、キャルプロパミド（Carpropamid）、クロロタロニル（Chlorothalonil）、シフルフェナミド（Cyflufenamid）、シモキサニル（Cymoxanil）、ダゾメト（Dazomet）、ジクロメジン（Diclomezin）、ジクロシメト（Diclocymet）、ジクロフルアニド（Diclofluanid）、ジエトフェンカルブ（Diethofencarb）、エジフェンホス（Edifenphos）、エタボキサム（Ethaboxam）、フェンヘキサミド（Fenhexamid）、フェン錫−アセタト（Fentin-Acetat）、フェノキサニル（Fenoxanil）、フェリムゾン（Ferimzone）、フルアジナム（Fluazinam）、フォセチル（Fosetyl）、フォセチル−アルミニウム、亜リン酸、イプロバリカルブ（Iprovalicarb）、ヘキサクロルベンゾール（Hexachlorbenzol）、メトラフェノン（Metrafenon）、ペンシキュロン（Pencycuron）、プロパモカルブ（Propamocarb）、フタリド（Phthalid）、トロクロフォス−メチル（Toloclofos-methyl）、キントゼン（Quintozene）、ゾキサミド（Zoxamid）、
から選択される請求項１〜５のいずれか１項に記載の殺虫剤又は防虫剤組成物。
【請求項７】
殺虫剤及び／又は防虫剤の粒径が５０ｎｍ〜２０μｍの範囲、好ましくは５０ｎｍ〜８μｍの範囲、更に好ましくは５０ｎｍ〜４μｍの範囲、もっとも好ましくは５０ｎｍ〜５００ｎｍの範囲である請求項１〜６のいずれか１項に記載の殺虫剤又は防虫剤組成物。
【請求項８】
更に、水、防腐剤、浄化剤、安定剤、ＵＶ保護性を有する薬剤、蛍光増白剤、展着剤、拡散防止剤、発砲形成剤、湿潤剤、防汚剤、増粘剤、他の殺生物剤、可塑剤、接着剤、芳香剤、顔料及び染料からなる群から選択される１種以上の成分を含む請求項１〜７のいずれか１項に記載の殺虫剤又は防虫剤組成物。
【請求項９】
約０．００１〜９５質量％の殺虫剤及び／又は防虫剤を含む請求項１〜８のいずれか１項に記載の殺虫剤又は防虫剤組成物。
【請求項１０】
最終使用者により行われるか、又は地元の工場で行われる含浸のためのキットとして設けられている請求項１〜９のいずれか１項に記載の殺虫剤又は防虫剤組成物。
【請求項１１】
キットにおける組成は、水の添加によって溶液又はエマルジョンの調製にあわせて変更する請求項１０に記載の殺虫剤又は防虫剤組成物。
【請求項１２】
ａ）少なくとも１種の殺虫剤及び／又は少なくとも１種の防虫剤と、
ｂ１）請求項１〜５のいずれか１項に記載の少なくとも１種のアクリルバインダと、を含み、昆虫の殺傷及び／又は虫除けに用いられる含浸テキスタイル材料又はプラスチック材料。
【請求項１３】
請求項６に記載の殺虫剤及び／又は防虫剤を含む請求項１２に記載の含浸テキスタイル材料又はプラスチック材料。
【請求項１４】
更に、防腐剤、浄化剤、安定剤、ＵＶ保護性を有する薬剤、蛍光増白剤、展着剤、拡散防止剤、発砲形成剤、湿潤剤、防汚剤、増粘剤、他の殺生物剤、可塑剤、接着剤、芳香剤、顔料及び染料からなる群から選択される１種以上の成分を含む請求項１２又は１３に記載の含浸テキスタイル材料又はプラスチック材料。
【請求項１５】
テキスタイル材料又はプラスチック材料の質量に対して、０．００１〜１０質量％の少なくとも１種の殺虫剤及び／又は少なくとも１種の防虫剤を含む請求項１２〜１４のいずれか１項に記載の含浸テキスタイル材料又はプラスチック材料。
【請求項１６】
ａ）テキスタイル材料又はプラスチック材料の質量に対して、０．０１〜１０質量％、好ましくは０．０５〜７質量％の少なくとも１種の殺虫剤及び／又は少なくとも１種の防虫剤、更に好ましくは、テキスタイル材料又はプラスチック材料の質量に対して、０．１〜６質量％の、少なくとも１種の殺虫剤及び／又は少なくとも１種の防虫剤としてのピレスロイドと、
ｂ１）テキスタイル材料又はプラスチック材料の質量に対して、０．００１〜１０質量％、好ましくは０．１〜５質量％、更に好ましくは０．２〜３質量％の、請求項１〜５のいずれか１項に記載の少なくとも１種のアクリルバインダと、
を含む請求項１５に記載の含浸テキスタイル材料又はプラスチック材料。
【請求項１７】
ｉ）請求項６に記載の少なくとも１種の殺虫剤及び／又は少なくとも１種の防虫剤及び請求項１〜５のいずれか１項に記載の少なくとも１種のアクリルバインダと、必要により他の成分と、を含む水性調製液又は溶融物を形成する工程、
ｉｉ）
ｉｉａ）テキスタイル材料又はプラスチック材料を水性調製液に通過させるか、又は
ｉｉｂ）テキスタイル材料又はプラスチック材料を、水性調製液に部分的に又は完全に浸漬しているローラに接触させ、そして水性調製液を、ローラに接触しているテキスタイル材料又はプラスチック材料の一面に引き寄せるか、又は
ｉｉｃ）テキスタイル材料又はプラスチック材料を両面コーティングするか、又は
ｉｉｄ）水性調製液をテキスタイル材料又はプラスチック材料に噴霧し、且つその噴霧が手動で又は機械的に噴霧するための装置、例えば工場で用いられるエーロゾル缶又は装置を用いて行われるか、又は
ｉｉｅ）水性調製液をフォームの形で施すか、又は
ｉｉｆ）テキスタイル材料又はプラスチック材料を水性調製液中に沈めるか、又は
ｉｉｇ）水性調製液をテキスタイル材料又はプラスチック材料上に又はテキスタイル材料又はプラスチック材料中にはけ塗りするか、又は
ｉｉｈ）水性調製液をテキスタイル材料又はプラスチック材料に注ぐことにより水性調製液をテキスタイル材料又はプラスチック材料に施すか、或いは溶融物をカレンダ処理により又はドクターブレードを用いて施す工程、
ｉｉｉ）必要により、余分な水性調製液又は溶融物を除去する工程、及び
ｉｖ）テキスタイル材料又はプラスチック材料を乾燥及び／又は硬化する工程、
を含むテキスタイル材料又はプラスチック材料の含浸方法。
【請求項１８】
工程ｉｉａ）は、水性調製液を含む漕において、テキスタイル材料又はプラスチック材料を水性調製液に完全に沈めるか、或いはテキスタイル材料又はプラスチック材料を、２個の水平方向のローラの間に保持される水性調製液に通過させることによって行われる請求項１７に記載の方法。
【請求項１９】
殺虫剤及び／又は防虫剤が請求項６に記載の殺虫剤及び／又は防虫剤である請求項１７又は１８に記載の方法。
【請求項２０】
水性調製液が、更に、浄化剤、安定剤、ＵＶ保護性を有する薬剤、蛍光増白剤、展着剤、拡散防止剤、防腐剤、発砲形成剤、湿潤剤、増粘剤、他の殺生物剤、可塑剤、接着剤、防汚剤、芳香剤、顔料及び染料からなる群から選択される１種以上の成分を含む請求項１７〜１９のいずれか１項に記載の方法。
【請求項２１】
テキスタイル材料又はプラスチック材料の染色が、テキスタイル材料又はプラスチック材料の含浸と同時に行われ、且つ少なくとも１種の染料及び／又は少なくとも１種の顔料を更に含む水性調製液を形成する請求項１７〜２０のいずれか１項に記載の方法。
【請求項２２】
少なくとも１種の殺虫剤及び／又は少なくとも１種の防虫剤及び請求項１〜５のいずれか１項に記載の少なくとも１種のアクリルバインダを含む組成物をテキスタイル材料又はプラスチック材料に施すことによるテキスタイル材料又はプラスチック材料の被覆方法。
【請求項２３】
組成物が、更に、浄化剤、安定剤、ＵＶ保護性を有する薬剤、蛍光増白剤、展着剤、拡散防止剤、防腐剤、発砲形成剤、防汚剤、湿潤剤、増粘剤、他の殺生物剤、可塑剤、接着剤、芳香剤、顔料及び染料からなる群から選択される１種以上の成分を含む請求項２２に記載の方法。
【請求項２４】
テキスタイル材料又はプラスチック材料が、ポリエステル、特にポリエチレンテレフタレートから作製された網製品である請求項１２〜１６のいずれか１項に記載の含浸されたテキスタイル材料又はプラスチック材料。
【請求項２５】
更に、定着剤を含む請求項１〜１１のいずれか１項に記載の殺虫剤又は防虫剤組成物。
【請求項２６】
定着剤は、遊離イソシアネート基を含むイソシアヌレート、好ましくはアルキレン単位に４〜１２個の炭素原子を有する以下のアルキレンジイソシアネートを基礎とするイソシアヌレート、例えば１，１２−ドデカンジイソシアネート、２−エチルテトラメチレンジイソシアネート−１，４、２−メチルペンタメチレンジイソシアネート−１，５、テトラメチレンジイソシアネート−１，４、リシンエステルジイソシアネート（ＬＤＩ）、ヘキサメチレンジイソシアネート−１，６（ＨＭＤＩ）、シクロヘキサン−１，３−及び／又は−１，４−ジイソシアネート、２，４−及び２，６−ヘキサヒドロトルリレンジイソシアネート、並びに対応の異性体混合物の４，４’−、２，２’−及び２，４’−ジシクロヘキシルメタンジイソシアネート並びに対応の混合物、１−イソシアナト−３，３，５−トリメチル−５−イソシアナトメチルシクロヘキサン（ＩＰＤＩ）、２，４−及び／又は２，６−トルリレンジイソシアネート、４，４’−、２，４’−及び／又は２，２’−ジフェニルメタンジイソシアネート（モノマーのＭＤＩ）、ポリフェニルポリメチレンポリイソシアネート（ポリマーのＭＤＩ）及び／又は少なくとも２種の上述のイソシアネートを含む混合物、更に好ましくは、ヘキサメチレンジイソシアネート−１，６（ＨＭＤＩ）を基礎とするイソシアヌレートであり、且つイソシアヌレートは、エチレンオキシド及び／又は１，２−プロピレンオキシド、好ましくはポリエチレンオキシドを基礎とするポリアルキレンオキシドで親水性にされていることを特徴とする殺虫剤又は防虫剤組成物。
【請求項２７】
定着剤は、ポリエチレンオキシドで親水性とされ、プロピレンカーボネートに溶解させたＨＭＤＩ（７０質量％のＨＭＤＩを３０質量％のプロピレンカーボネートに溶解）を基礎とするイソシアヌレートであり、且つ遊離シアネート基の量は、イソシアヌレートの調製のための出発材料として用いられるイソシアネートの量に対して、１１〜１２質量％の範囲であることを特徴とする請求項２６に記載の殺虫剤又は防虫剤組成物。
【請求項２８】
組成物の固体含有量に対して、以下の成分：
ａ）２０〜７０質量％、好ましくは２５〜６５質量％、更に好ましくは３０〜６５質量％の少なくとも１種の殺虫剤及び／又は少なくとも１種の防虫剤（成分Ａ）、
ｂ１）以下のｂ１ａ）〜ｂ１ｅ）を含む２９〜７２質量％、好ましくは３４〜７０質量％、更に好ましくは３３〜６６質量％の少なくとも１種の上述のアクリルバインダ（成分Ｂ１）、すなわち
ｂ１ａ）アクリルバインダに対して、１０〜９０質量％、好ましくは１５〜８０質量％、更に好ましくは２０〜７０質量％のｎ−ブチルアクリレート（成分Ｂ１Ａ）、
ｂ１ｂ）アクリルバインダに対して、１０〜９０質量％、好ましくは１２〜８５質量％、更に好ましくは１５〜６５質量％の少なくとも１種の式Ｉのモノマー（成分Ｂ１Ｂ）、
ｂ１ｃ）アクリルバインダに対して、１〜５質量％の少なくとも１種の式ＩＩのモノマー（成分Ｂ１Ｃ）、
ｂ１ｄ）アクリルバインダに対して、０〜５質量％、好ましくは１〜４質量％、更に好ましくは０．２〜３質量％の少なくとも１種の式ＩＩＩのモノマー（成分Ｂ１Ｄ）、
ｂ１ｅ）以下の成分：
ｂ１ｅ１）アクリルバインダに対して、０〜３０質量％、好ましくは０〜２５質量％、更に好ましくは５〜２０質量％の少なくとも１種の極性モノマー、好ましくは（メタ）アクリル酸ニトリル及び／又はメチル（メタ）アクリレート（成分Ｂ１Ｅ１）、及び／又は
ｂ１ｅ２）アクリルバインダに対して、０〜４０質量％、好ましくは０〜３０質量％、更に好ましくは５〜２０質量％の少なくとも１種の無極性モノマー、好ましくはスチレン及び／又はメチルスチレン（成分Ｂ１Ｅ２）、
から選択される上述のモノマーと共重合可能な他のモノマー（成分Ｂ１Ｅ）、
ｃ）１〜８質量％、好ましくは１〜５質量％、更に好ましくは２〜４質量％の少なくとも１種の定着剤（成分Ｃ）、
（但し、各成分の合計は、殺虫剤組成物の固体含有量に対して１００質量％となる。）
を含む請求項２５〜２７のいずれか１項に記載の殺虫剤又は防虫剤組成物。
【請求項２９】
工程ｉｖ）の硬化を６０〜１７０℃で行う請求項１７〜２３のいずれか１項に記載の方法。
【請求項３０】
テキスタイル材料又はプラスチック材料は、ポリエステル製ネット材料である請求項５に記載の殺虫剤及び／又は防虫剤組成物。
【請求項３１】
成分Ａはα−シペルメトリンである請求項５〜３０のいずれか１項に記載の殺虫剤及び／又は防虫剤組成物。
【請求項３２】
ａ）成分Ａとして、６．４〜１６ｇ／Ｌのα−シペルメトリン、
ｂ１）成分Ｂ１として、１０〜１６．７ｇ／Ｌの、請求項５に記載のアクリルバインダ、
ｃ）成分Ｃとして、０〜０．８３ｇ／Ｌ、好ましくは０．５〜０．８３ｇ／Ｌの定着剤（但し、定着剤は、ポリエチレンオキシドで親水性とされ、プロピレンカーボネートに溶解させたＨＭＤＩ（７０質量％のＨＭＤＩを３０質量％のプロピレンカーボネートに溶解）を基礎とするイソシアヌレートであり、且つ遊離シアネート基の量は、イソシアヌレートの調製のための出発材料として用いられるイソシアネートの量に対して、１１〜１２質量％の範囲である。）、及び
水、
を含む請求項５、３０又は３１のいずれか１項に記載の殺虫剤及び／又は防虫剤組成物。
【請求項３３】
ａ）成分Ａとして、ポリエステル製ネット材料の質量に対して、０．３２〜１．６質量％のα−シペルメトリン、
ｂ１）成分Ｂ１として、ポリエステル製ネット材料の質量に対して、１〜１．５質量％のアクリルバインダ、
を含む含浸されたポリエステル製ネット材料。
【国際調査報告】
2007524773.tif 000031
2007524773.tif 000032
2007524773.tif 000033
2007524773.tif 000034
2007524773.tif 000035
2007524773.tif 000036